(57)【要約】本発明の実施形態は、基準信号伝送方法、デバイス、およびシステムを提供する。この方法は、基準信号を搬送するシンボル上にあり、この基準信号を送信するために使用される少なくとも１つの周波数領域リソースグループに対応する少なくとも１つの基準信号生成系列を第１のデバイスによって決定することであって、１つの周波数領域リソースグループは１つの基準信号生成系列に対応する、決定することと、少なくとも１つの基準信号生成系列に基づいて基準信号を第１のデバイスによって生成し、基準信号を、その時間領域がシンボルであり、その周波数領域が少なくとも１つの周波数領域リソースグループである時間周波数リソースにマッピングすることとを含む。
2019516301.tif 000002
【特許請求の範囲】
【請求項１】
基準信号を搬送するシンボル上にあり、前記基準信号を送信するために使用される少なくとも１つの周波数領域リソースグループに対応する少なくとも１つの基準信号生成系列を第１のデバイスによって決定するステップであって、１つの周波数領域リソースグループが１つの基準信号生成系列に対応する、決定するステップと、
前記少なくとも１つの基準信号生成系列に基づいて前記基準信号を前記第１のデバイスによって生成し、前記基準信号を、その時間領域が前記シンボルであり、その周波数領域が前記少なくとも１つの周波数領域リソースグループである時間周波数リソースにマッピングするステップとを含む基準信号伝送方法。
【請求項２】
前記第１のデバイスと第２のデバイスの両方が、基準信号を、その時間領域が前記シンボルであり、その周波数領域が第３の周波数領域リソースグループである時間周波数リソースにマッピングするとき、第３の基準信号生成系列に基づいて前記基準信号を生成するために前記第１のデバイスおよび前記第２のデバイスによって使用される循環シフトまたは直交カバーコードが異なり、前記第３の周波数領域リソースグループが前記少なくとも１つの周波数領域リソースグループのうちの１つであり、前記第３の基準信号生成系列が前記第３の周波数領域リソースグループに対応する基準信号生成系列である請求項１に記載の方法。
【請求項３】
前記循環シフトもしくは前記直交カバーコードが、第１のパラメータセットに基づいて前記第１のデバイスによって決定され、前記第１のパラメータセット内のパラメータが、ユーザ機器固有パラメータ、時間領域固有パラメータ、セル固有パラメータ、ネットワーク側デバイス固有パラメータ、周波数領域固有パラメータ、ネットワーク側構成パラメータ、および組み合わせパラメータ、のうちの１つもしくは複数を含み、前記組み合わせパラメータが、前記ユーザ機器固有パラメータ、前記時間領域固有パラメータ、前記セル固有パラメータ、前記ネットワーク側デバイス固有パラメータ、前記周波数領域固有パラメータ、および前記ネットワーク側構成パラメータの中の複数のパラメータの組み合わせである、または、
前記第１のデバイスがユーザ機器であるとき、前記循環シフトもしくは前記直交カバーコードが、前記第１のデバイスに接続されたネットワーク側デバイスによって前記第１のデバイスに通知される請求項２に記載の方法。
【請求項４】
前記第１のデバイスと第２のデバイスの両方が、基準信号を、その時間領域が前記シンボルであり、その周波数領域が第３の周波数領域リソースグループである時間周波数リソースにマッピングするとき、前記第３の周波数領域リソースグループ上の前記第１のデバイスに対応する基準信号生成系列が、第３の周波数領域リソースグループ上の前記第２のデバイスに対応する基準信号生成系列とは異なる請求項１に記載の方法。
【請求項５】
基準信号を搬送するシンボル上にあり、前記基準信号を送信するために使用される少なくとも１つの周波数領域リソースグループに対応する少なくとも１つの基準信号生成系列を決定するように構成された決定ユニットであって、１つの周波数領域リソースグループが１つの基準信号生成系列に対応する、決定ユニットと、
前記少なくとも１つの基準信号生成系列に基づいて前記基準信号を生成し、前記基準信号を、その時間領域が前記シンボルであり、その周波数領域が前記少なくとも１つの周波数領域リソースグループである時間周波数リソースにマッピングするように構成された信号生成ユニットとを備えるデバイス。
【請求項６】
前記第１のデバイスと第２のデバイスの両方が、基準信号を、その時間領域が前記シンボルであり、その周波数領域が第３の周波数領域リソースグループである時間周波数リソースにマッピングするとき、第３の基準信号生成系列に基づいて前記基準信号を生成するために前記第１のデバイスおよび前記第２のデバイスによって使用される循環シフトまたは直交カバーコードが異なり、前記第３の周波数領域リソースグループが前記少なくとも１つの周波数領域リソースグループのうちの１つであり、前記第３の基準信号生成系列が前記第３の周波数領域リソースグループに対応する基準信号生成系列である請求項５に記載のデバイス。
【請求項７】
前記決定ユニットが、具体的には、第１の周波数領域リソースグループに対応する第１の基準信号生成系列を決定し、第２の周波数領域リソースグループに対応する第２の基準信号生成系列を決定するように構成され、
前記信号生成ユニットが、具体的には、前記第１の基準信号生成系列に基づいて前記基準信号の第１の基準信号系列を生成して、前記第１の基準信号系列を、その時間領域が前記シンボルであり、その周波数領域が前記第１の周波数領域リソースグループである時間周波数リソースにマッピングし、前記第２の基準信号生成系列に基づいて前記基準信号の第２の基準信号系列を生成して、前記第２の基準信号系列を、その時間領域が前記シンボルであり、その周波数領域が前記第２の周波数領域リソースグループである時間周波数リソースにマッピングするように構成される請求項５または６に記載のデバイス。
【請求項８】
前記基準信号生成系列が、第２のパラメータセットに基づいて前記デバイスによって決定され、前記第２のパラメータセット内のパラメータが、ユーザ機器固有パラメータ、時間領域固有パラメータ、セル固有パラメータ、ネットワーク側デバイス固有パラメータ、周波数領域固有パラメータ、ネットワーク側構成パラメータ、および組み合わせパラメータ、のうちの１つもしくは複数を含み、前記組み合わせパラメータが、前記ユーザ機器固有パラメータ、前記時間領域固有パラメータ、前記セル固有パラメータ、前記ネットワーク側デバイス固有パラメータ、前記周波数領域固有パラメータ、および前記ネットワーク側構成パラメータの中の複数のパラメータの組み合わせである、または
前記周波数領域リソースグループと前記基準信号生成系列の間の対応が前もって承認されている、または
前記デバイスがユーザ機器であるとき、前記周波数領域リソースグループと前記基準信号生成系列の間の対応が、前記デバイスに接続されたネットワーク側デバイスによって前記デバイスに送信される請求項５乃至７のいずれかに記載のデバイス。
【請求項９】
ユーザ機器の基準信号を搬送する周波数領域リソースを前記ユーザ機器によって決定するステップであって、前記周波数領域リソースが、周波数領域内で等間隔に分散された副搬送波であり、前記基準信号がデータチャネル復調に使用される、決定するステップと、
前記周波数領域リソース上で基地局に前記基準信号を前記ユーザ機器によって送信するステップ、または、基地局によって送信された前記基準信号を前記周波数領域リソース上で前記ユーザ機器によって受信するステップとを含む基準信号通信方法。
【請求項１０】
前記ユーザ機器の基準信号を搬送する周波数領域リソースをユーザ機器によって決定する前記ステップが、
前記ユーザ機器の前記基準信号を搬送する前記周波数領域リソースを第１のパラメータに基づいて前記ユーザ機器によって決定するステップを含み、
前記第１のパラメータが、以下のパラメータ、すなわち、前記ユーザ機器固有パラメータ、時間領域固有パラメータ、セル固有パラメータ、周波数領域固有パラメータ、および前記基地局からの第１の構成パラメータ、のうちの少なくとも１つを含む請求項９に記載の方法。
【請求項１１】
前記基地局からの前記第１の構成パラメータが、以下のパラメータ、すなわち、アンテナポート、伝送コムの周波数領域開始場所、伝送コムインデックス、および副搬送波セットインデックス、のうちの少なくとも１つを含む請求項１０に記載の方法。
【請求項１２】
前記ユーザ機器が、前記基準信号の系列に使用される循環シフトおよび／または直交カバーコードを第２のパラメータに基づいて決定し、
前記第２のパラメータが、以下のパラメータ、すなわち、前記ユーザ機器固有パラメータ、前記時間領域固有パラメータ、前記セル固有パラメータ、前記周波数領域固有パラメータ、および前記基地局からの前記第２の構成パラメータ、のうちの少なくとも１つを含む請求項９乃至１１のいずれかに記載の方法。
【請求項１３】
前記基地局からの前記第２の構成パラメータが、以下のパラメータ、すなわち、前記アンテナポート、前記伝送コムの前記周波数領域開始場所、前記伝送コムインデックス、前記副搬送波セットインデックス、循環シフト識別子、および直交カバーコード識別子、のうちの少なくとも１つを含む請求項１２に記載の方法。
【請求項１４】
ユーザ機器であって、
前記ユーザ機器の基準信号を搬送する周波数領域リソースを決定するように構成された決定ユニットであって、前記周波数領域リソースが、周波数領域内で等間隔に分散された副搬送波であり、前記基準信号がデータチャネル復調に使用される、決定ユニットと、
前記周波数領域リソース上で基地局に前記基準信号を送信する、または基地局によって送信された前記基準信号を前記周波数領域リソース上で受信するように構成されたトランシーバユニットとを備えるユーザ機器。
【請求項１５】
前記決定ユニットが、具体的には、前記ユーザ機器の前記基準信号を搬送する前記周波数領域リソースを第１のパラメータに基づいて決定するように構成され、
前記第１のパラメータが、以下のパラメータ、すなわち、前記ユーザ機器固有パラメータ、時間領域固有パラメータ、セル固有パラメータ、周波数領域固有パラメータ、および前記基地局からの第１の構成パラメータ、のうちの少なくとも１つを含む請求項１４に記載のユーザ機器。
【請求項１６】
前記基地局からの前記第１の構成パラメータが、以下のパラメータ、すなわち、アンテナポート、伝送コムの周波数領域開始場所、伝送コムインデックス、および副搬送波セットインデックス、のうちの少なくとも１つを含む請求項１５に記載のユーザ機器。
【請求項１７】
前記決定ユニットが、前記基準信号の系列に使用される循環シフトおよび／または直交カバーコードを第２のパラメータに基づいて決定するようにさらに構成され、
前記第２のパラメータが、以下のパラメータ、すなわち、前記ユーザ機器固有パラメータ、前記時間領域固有パラメータ、前記セル固有パラメータ、前記周波数領域固有パラメータ、および前記基地局からの第２の構成パラメータ、のうちの少なくとも１つを含む請求項１４乃至１６のいずれかに記載のユーザ機器。
【請求項１８】
前記基地局からの前記第２の構成パラメータが、以下のパラメータ、すなわち、前記アンテナポート、前記伝送コムの前記周波数領域開始場所、前記伝送コムインデックス、前記副搬送波セットインデックス、循環シフト識別子、および直交カバーコード識別子、のうちの少なくとも１つを含む請求項１７に記載のユーザ機器。
【請求項１９】
基準信号を搬送するシンボル上にあり、前記基準信号を送信するために使用される少なくとも１つの周波数領域リソースグループに対応する少なくとも１つの基本系列を第１のユーザ機器によって決定するステップであって、１つの周波数領域リソースグループが１つの基本系列に対応する、決定するステップと、
前記少なくとも１つの基本系列に基づいて前記基準信号を前記ユーザ機器によって生成し、前記基準信号を、その時間領域が前記シンボルであり、その周波数領域が前記少なくとも１つの周波数領域リソースグループである時間周波数リソースにマッピングするステップとを含む基準信号伝送方法。
【請求項２０】
前記第１のユーザ機器と第２のユーザ機器の両方が第３の周波数領域リソースグループ上で基準信号系列を生成する場合、第３の基本系列に基づいて前記基準信号系列を生成するために前記第１のユーザ機器および前記第２のユーザ機器によって使用される循環シフトが異なり、前記第３の周波数領域リソースグループが前記少なくとも１つの周波数領域リソースグループのうちの１つであり、前記第３の基本系列が前記第３の周波数領域リソースグループに対応する基本系列である請求項１９に記載の方法。
【請求項２１】
基準信号を搬送するシンボル上にあり、前記基準信号を送信するために使用される少なくとも１つの周波数領域リソースグループに対応する少なくとも１つの基本系列を第１のユーザ機器によって決定する前記ステップが、第１の周波数領域リソースグループに対応する第１の基本系列を前記第１のユーザ機器によって決定し、第２の周波数領域リソースグループに対応する第２の基本系列を決定するステップを含み、
前記少なくとも１つの基本系列に基づいて前記基準信号を前記第１のユーザ機器によって生成し、前記基準信号を、その時間領域が、前記基準信号を送信するために使用される前記シンボルであり、その周波数領域が前記少なくとも１つの周波数領域リソースグループである時間周波数リソースにマッピングする前記ステップが、前記第１の基本系列に基づいて前記基準信号の第１の基準信号系列を前記第１のユーザ機器によって生成し、前記第１の基準信号系列を、その時間領域が前記シンボルであり、その周波数領域が前記第１の周波数領域リソースグループである時間周波数リソースにマッピングするステップと、前記第２の基本系列に基づいて前記基準信号の第２の基準信号系列を前記第１のユーザ機器によって生成し、前記第２の基準信号系列を、その時間領域が前記シンボルであり、その周波数領域が前記第２の周波数領域リソースグループである時間周波数リソースにマッピングするステップとを含む請求項１９または２０に記載の方法。
【請求項２２】
前記第１の基準信号系列を生成するために前記第１のユーザ機器によって使用される循環シフトが、前記第２の基準信号系列を生成するために使用される循環シフトと同じである請求項２１に記載の方法。
【請求項２３】
前記循環シフトが前記基地局によって前記第１のユーザ機器に通知される、または
前記循環シフトが、構成パラメータに基づいて前記第１のユーザ機器によって決定され、前記構成パラメータが、前記第１のユーザ機器のものである、ユーザ機器固有構成パラメータ、時間領域固有構成パラメータ、セル固有構成パラメータ、および周波数領域固有構成パラメータ、のうちの１つもしくは複数を含み、前記構成パラメータが、前記セル固有構成パラメータもしくは前記周波数領域固有構成パラメータのみを含むことはできない請求項２２に記載の方法。
【請求項２４】
基準信号を搬送するシンボル上にあり、前記基準信号を送信するために使用される少なくとも１つの周波数領域リソースグループに対応する少なくとも１つの基本系列を決定するように構成された決定ユニットであって、１つの周波数領域リソースグループが１つの基本系列に対応する、決定ユニットと、
前記少なくとも１つの基本系列に基づいて前記基準信号を生成し、前記基準信号を、その時間領域が前記シンボルであり、その周波数領域が前記少なくとも１つの周波数領域リソースグループである時間周波数リソースにマッピングするように構成された信号生成ユニットとを備えるユーザ機器。
【請求項２５】
前記ユーザ機器と第２のユーザ機器が第３の周波数領域リソースグループ上で基準信号系列を生成する場合、第３の基本系列に基づいて前記基準信号系列を生成するために前記ユーザ機器および前記第２のユーザ機器によって使用される循環シフトが異なり、前記第３の周波数領域リソースグループが前記少なくとも１つの周波数領域リソースグループのうちの１つであり、前記第３の基本系列が前記第３の周波数領域リソースグループに対応する基本系列である請求項２４に記載のユーザ機器。
【請求項２６】
前記決定ユニットが、具体的には、第１の周波数領域リソースグループに対応する第１の基準系列を決定し、第２の周波数領域リソースグループに対応する第２の基準系列を決定するように構成され、
前記信号生成ユニットが、具体的には、前記第１の基本系列に基づいて前記基準信号の第１の基準信号系列を生成して、前記第１の基準信号系列を、その時間領域が前記シンボルであり、その周波数領域が前記第１の周波数領域リソースグループである時間周波数リソースにマッピングし、前記第２の基本系列に基づいて前記基準信号の第２の基準信号系列を生成して、前記第２の基準信号系列を、その時間領域が前記シンボルであり、その周波数領域が前記第２の周波数領域リソースグループである時間周波数リソースにマッピングするように構成される請求項２４または２５に記載のユーザ機器。
【請求項２７】
前記周波数領域リソースグループと前記基準系列の間の対応が、前もって基地局および前記ユーザ機器によって承認されている、または
前記周波数領域リソースグループと前記基準系列の間の対応が基地局によって前記ユーザ機器に送信される請求項２４乃至２６のいずれかに記載のユーザ機器。
【請求項２８】
請求項５乃至８のいずれかに記載のデバイスを備える通信システム。
【請求項２９】
請求項１４乃至１８のいずれかに記載のデバイスを備える通信システム。
【請求項３０】
基地局と、
請求項２４乃至２６のいずれかに記載のユーザ機器とを備える通信システム。
【発明の詳細な説明】
【技術分野】
【０００１】
本発明の実施形態は、通信分野に関し、より詳細には、基準信号伝送方法、デバイス、およびシステムに関する。
【背景技術】
【０００２】
本出願は、参照によりその全体が本明細書に組み込まれる、２０１６年４月８日に中国特許庁に出願された「ＲＥＦＥＲＥＮＣＥ  ＳＩＧＮＡＬ  ＴＲＡＮＳＭＩＳＳＩＯＮ  ＭＥＴＨＯＤ，  ＵＳＥＲ  ＥＱＵＩＰＭＥＮＴ，  ＢＡＳＥ  ＳＴＡＴＩＯＮ，  ＡＮＤ  ＳＹＳＴＥＭ」という名称の中国特許出願第２０１６１０２１８１１０．４号の優先権を主張するものである。
【０００３】
本出願は、参照によりその全体が本明細書に組み込まれる、２０１６年９月２９日に中国特許庁に出願された「ＲＥＦＥＲＥＮＣＥ  ＳＩＧＮＡＬ  ＴＲＡＮＳＭＩＳＳＩＯＮ  ＭＥＴＨＯＤ，  ＤＥＶＩＣＥ，  ＡＮＤ  ＳＹＳＴＥＭ」という名称の中国特許出願第２０１６１０８６７１１５．Ｘ号の優先権を主張するものである。
【０００４】
第５世代（５ｔｈ  Ｇｅｎｅｒａｔｉｏｎ、５Ｇ）ネットワークは、ＮＲ（Ｎｅｗ  Ｒａｄｉｏ／ＲＡＴ）とも呼ばれる。国際電気通信連合（Ｉｎｔｅｒｎａｔｉｏｎａｌ  Ｔｅｌｅｃｏｍｍｕｎｉｃａｔｉｏｎｓ  Ｕｎｉｏｎ、ＩＴＵ）は、５Ｇの予想および要件における３つのタイプのサービス、すなわち、拡張モバイルブロードバンド（Ｅｎｈａｎｃｅｄ  Ｍｏｂｉｌｅ  Ｂｒｏａｄｂａｎｄ、ｅＭＢＢ）サービス、超高信頼低遅延通信（Ｕｌｔｒａ−ｒｅｌｉａｂｌｅ  ａｎｄ  Ｌｏｗ  Ｌａｔｅｎｃｙ  Ｃｏｍｍｕｎｉｃａｔｉｏｎｓ、ＵＲＬＬＣ）サービス、および大規模マシンタイプ通信（Ｍａｓｓｉｖｅ  Ｍａｃｈｉｎｅ  Ｔｙｐｅ  Ｃｏｍｍｕｎｉｃａｔｉｏｎ、ｍＭＴＣ）サービスを定義する。ＵＲＬＬＣサービスにおける予想遅延は極めて短く、最短遅延は１ｍｓにすぎない。ＵＲＬＬＣサービスは緊急遅延を有するので、データが到着すると、リソースが直ちにスケジュールされ、待機なしに割り当てられることが必要である。さらに、ＵＲＬＬＣサービスは高信頼性要件を有し、通常、９９．９９９％という超高信頼性を必要とする。
【０００５】
本発明の実施形態に関連する従来技術では、ロングタームエボリューション（Ｌｏｎｇ  Ｔｅｒｍ  Ｅｖｏｌｕｔｉｏｎ、ＬＴＥ）におけるアップリンクマルチユーザマルチ入力マルチ出力（Ｕｐｌｉｎｋ  Ｍｕｌｔｉ−Ｕｓｅｒ  Ｍｕｌｔｉｐｌｅ−Ｉｎｐｕｔ  Ｍｕｌｔｉｐｌｅ−Ｏｕｔｐｕｔ、ＵＬ  ＭＵ−ＭＩＭＯ）システムでは、ＵＬ  ＭＵ−ＭＩＭＯにおいてペアにされたユーザ機器（Ｕｓｅｒ  Ｅｑｕｉｐｍｅｎｔ、ＵＥ）の間で基準信号（Ｒｅｆｅｒｅｎｃｅ  ｓｉｇｎａｌ、ＲＳ）リソース多重化を実施するように、符号分割多重化（Ｃｏｄｅ  Ｄｉｖｉｓｉｏｎ  Ｍｕｌｔｉｐｌｅｘｉｎｇ、ＣＤＭ）様式で、同じ時間周波数リソース上で相互に直交する復調基準信号（Ｄｅｍｏｄｕｌａｔｉｏｎ  Ｒｅｆｅｒｅｎｃｅ  Ｓｉｇｎａｌ、ＤＭＲＳ）を定義することが可能にされている。ＵＬ  ＭＵ−ＭＩＭＯにおいてペアにされたＵＥが異なる帯域幅を占有し、その帯域幅が部分的に重複する場合、異なるＵＥは、異なる長さの基準信号基本系列を使用する。この場合、異なるＵＥのＲＳ間の直交性は、基本系列の循環シフトのみを使用することによって保証不可能である。類似の問題は、ダウンリンクマルチユーザマルチ入力マルチ出力（Ｄｏｗｎｌｉｎｋ  Ｍｕｌｔｉ−Ｕｓｅｒ  Ｍｕｌｔｉｐｌｅ−Ｉｎｐｕｔ  Ｍｕｌｔｉｐｌｅ−Ｏｕｔｐｕｔ、ＤＬ  ＭＵ−ＭＩＭＯ）システムにおいてペアにされたＵＥが異なる帯域幅を占有し、その帯域幅が部分的に重複するシナリオ、および異なるセル間の直交／擬似直交パイロット設計のシナリオにも存在する。複数のＵＥのＲＳリソース多重化を実施するために異なる帯域幅シナリオにおいて異なるＵＥのＲＳ間の直交性をどのようにして保証するかは、本発明の実施形態において解決されるべき技術的問題である。
【発明の概要】
【０００６】
本発明の実施形態は、複数のＵＥのＲＳリソース多重化を実施するために、基準信号伝送方法、デバイス、およびシステムを提供する。
【０００７】
第１の態様によれば、基準信号伝送方法が提供され、この方法は、基準信号を搬送するシンボル上にあり、この基準信号を送信するために使用される少なくとも１つの周波数領域リソースグループに対応する少なくとも１つの基本系列を第１のユーザ機器によって決定することであって、１つの周波数領域リソースグループは１つの基本系列に対応し、各周波数領域リソースグループは、同じ量を有する複数の副搬送波を含む、決定することと、少なくとも１つの基本シーケンスに基づいて基準信号をユーザ機器によって生成し、基準信号を、その時間領域がシンボルであり、その周波数領域が少なくとも１つの周波数領域リソースグループである時間周波数リソースにマッピングすることとを含む。
【０００８】
第１の態様を参照して、第１の可能な実装形態では、第１のユーザ機器と第２のユーザ機器の両方が第３の周波数領域リソースグループ上で基準信号系列を生成する場合、第３の基本系列に基づいて基準信号系列を生成するために第１のユーザ機器および第２のユーザ機器によって使用される循環シフトは異なり、第３の周波数領域リソースグループは少なくとも１つの周波数領域リソースグループのうちの１つであり、第３の基本系列は第３の周波数領域リソースグループに対応する基本系列である。
【０００９】
第１の態様または第１の態様の第１の可能な実装形態を参照して、第２の可能な実装形態では、基準信号を搬送するシンボル上にあり、この基準信号を送信するために使用される少なくとも１つの周波数領域リソースグループに対応する少なくとも１つの基本系列を第１のユーザ機器によって決定することの具体的な実装形態は、第１の周波数領域リソースグループに対応する第１の基本系列を第１のユーザ機器によって決定し、第２の周波数領域リソースグループに対応する第２の基本系列を決定することであり、少なくとも１つの基本系列に基づいて基準信号を第１のユーザ機器によって生成し、基準信号を、その時間領域が基準信号を送信するために使用されるシンボルであり、その周波数領域が少なくとも１つの周波数領域リソースグループである時間周波数リソースにマッピングすることの具体的な実装形態は、第１の基本系列に基づいて基準信号の第１の基準信号系列を第１のユーザ機器によって生成し、この第１の基準信号系列を、その時間領域がシンボルであり、その周波数領域が第１の周波数領域リソースグループである時間周波数リソースにマッピングすることと、第２の基本系列に基づいて基準信号の第２の基準信号系列を第１のユーザ機器によって生成し、この第２の基準信号系列を、その時間領域がシンボルであり、その周波数領域が第２の周波数領域リソースグループである時間周波数リソースにマッピングすることである。
【００１０】
第１の態様の第２の可能な実装形態を参照して、第３の可能な実装形態では、第１の基準信号系列を生成するために第１のユーザ機器によって使用される循環シフトは、第２の基準信号系列を生成するために使用される循環シフトと同じである。
【００１１】
第１の態様の第３の可能な実装形態を参照して、第４の可能な実装形態では、循環シフトは基地局によって第１のユーザ機器に通知される、または、循環シフトは、構成パラメータに基づいて第１のユーザ機器によって決定され、この構成パラメータは、第１のユーザ機器のものである、ユーザ機器固有構成パラメータ、時間領域固有構成パラメータ、セル固有構成パラメータ、および周波数領域固有構成パラメータ、のうちの１つまたは複数を含み、この構成パラメータは、セル固有構成パラメータまたは周波数領域固有構成パラメータのみを含むことはできない。
【００１２】
第１の態様の前述の可能な実装形態を参照して、第４の可能な実装形態では、周波数領域リソースグループと基準系列の間の対応は、前もって基地局および第１のユーザ機器によって承認されている、または、周波数領域リソースグループと基本系列の間の対応は、基地局によって第１のユーザ機器に送信される。
【００１３】
第２の態様によれば、第１の態様または第１の態様の可能な実装形態のいずれか１つにおける方法を実行するように構成されたユーザ機器が提供される。
【００１４】
具体的には、ユーザ機器は、第１の態様または第１の態様の可能な実装形態のいずれか１つにおける方法を実行するように構成されたユニットを含んでよい。
【００１５】
第３の態様によれば、メモリとプロセッサとを含む別のユーザ機器が提供され、メモリは命令を記憶するように構成され、プロセッサは、メモリ内に記憶された命令を遂行するように構成され、プロセッサが第１の態様または第１の態様の可能な実装形態のいずれか１つにおける方法を実行するように、メモリ内に記憶された命令を遂行する。
【００１６】
第４の態様によれば、コンピュータプログラムを記憶するように構成されたコンピュータ可読記憶媒体が提供され、このコンピュータプログラムは、第１の態様または第１の態様の可能な実装形態のいずれか１つにおける方法を実行するために使用される命令を含む。
【００１７】
第５の態様によれば、別の基準信号伝送方法が提供され、この方法は、基地局によって送信されたダウンリンク制御シグナリングをユーザ機器によって受信することであって、このダウンリンク制御シグナリングは、基準信号を搬送するシンボル上にあり、この基準信号を送信するためにユーザ機器によって使用される周波数領域リソースグループを示すために使用される、受信することと、基準信号系列をユーザ機器によって生成し、この基準信号系列を、その時間領域がシンボルであり、その周波数領域が周波数領域リソースグループである時間周波数リソースにマッピングすることとを含む。
【００１８】
第５の態様を参照して、第５の態様の第１の可能な実装形態では、方法は、ユーザ機器によって占有される周波数領域リソースおよび周波数領域コムに基づいて周波数領域リソースグループをユーザ機器によって決定することであって、この周波数領域リソースグループは、複数の均等に離隔されたコム歯を含む（１つのコム歯は１つの副搬送波である）、決定することをさらに含む。
【００１９】
第５の態様または第５の態様の第１の可能な実装形態を参照して、第５の態様の第２の可能な実装形態では、周波数領域コムは、複数の均等に離隔されたコム歯（副搬送波）を取得する目的で、連続的な周波数領域リソースからＮ個の副搬送波の間隔で１つの副搬送波を取得するために使用される。
【００２０】
第５の態様ならびに第５の態様の第１の可能な実装形態および第２の可能な実装形態を参照して、第５の態様の第３の可能な実装形態では、コム構造は、Ｎ個の副搬送波の間隔で取得されるＭ個の連続した副搬送波を含んでよく、複数のＭ個の副搬送波間の間隔は等しい。
【００２１】
第６の態様によれば、第５の態様または第５の態様の可能な実装形態のいずれか１つにおける方法を実行するように構成されたユーザ機器が提供される。
【００２２】
具体的には、ユーザ機器は、第５の態様または第５の態様の可能な実装形態のいずれか１つにおける方法を実行するように構成されたユニットを含んでよい。
【００２３】
第７の態様によれば、メモリとプロセッサとを含む別のユーザ機器が提供され、メモリは命令を記憶するように構成され、プロセッサは、メモリ内に記憶された命令を遂行するように構成され、プロセッサが第５の態様または第５の態様の可能な実装形態のいずれか１つにおける方法を実行するように、メモリ内に記憶された命令を遂行する。
【００２４】
第８の態様によれば、コンピュータプログラムを記憶するように構成されたコンピュータ可読記憶媒体が提供され、このコンピュータプログラムは、第５の態様または第５の態様の可能な実装形態のいずれか１つにおける方法を実行するために使用される命令を含む。
【００２５】
第９の態様によれば、別の基準信号通信方法が提供され、この方法は、ユーザ機器の基準信号を搬送する周波数領域リソースをユーザ機器によって決定することであって、この周波数領域リソースは、周波数領域内で等間隔に分散された副搬送波であり、基準信号はデータチャネル復調に使用される、決定することと、周波数領域リソース上で基地局に基準信号をユーザ機器によって送信すること、または、基地局によって送信された基準信号を周波数領域リソース上でユーザ機器によって受信することとを含む。
【００２６】
第９の態様を参照して、第９の態様の第１の可能な実装形態では、ユーザ機器の基準信号を搬送する周波数領域リソースをユーザ機器によって決定することは、ユーザ機器の基準信号を搬送する周波数領域リソースを第１のパラメータに基づいてユーザ機器によって決定することを含み、この第１のパラメータは、以下のパラメータ、すなわち、ユーザ機器固有パラメータ、時間領域固有パラメータ、セル固有パラメータ、周波数領域固有パラメータ、および基地局からの第１の構成パラメータ、のうちの少なくとも１つを含み、この基地局からの第１の構成パラメータは、基地局によってユーザ機器に送信される構成情報であり、この構成情報は、ユーザ機器の基準信号を搬送する周波数領域リソースを決定するためにユーザ機器によって使用される。
【００２７】
第９の態様および第９の態様の第１の可能な実装形態を参照して、第９の態様の第２の可能な実装形態では、基地局からの第１の構成パラメータは、以下のパラメータ、すなわち、アンテナポート、伝送コムの周波数領域開始場所、伝送コムインデックス、および副搬送波セットインデックス、のうちの少なくとも１つを含む。
【００２８】
第９の態様または第９の態様の第１の可能な実装形態および第２の可能な実装形態のいずれか１つを参照して、第９の態様の第３の可能な実装形態では、ユーザ機器は、基準信号の系列に使用される循環シフトおよび／または直交カバーコードを第２のパラメータに基づいて決定し、この第２のパラメータは、以下のパラメータ、すなわち、ユーザ機器固有パラメータ、時間領域固有パラメータ、セル固有パラメータ、周波数領域固有パラメータ、および基地局からの第２の構成パラメータ、のうちの少なくとも１つを含み、この基地局からの第２の構成パラメータは、基地局によってユーザ機器に送信される構成情報であり、この構成情報は、基準信号の系列に使用される循環シフトおよび／または直交カバーコードを決定するためにユーザ機器によって使用される。
【００２９】
第９の態様および第９の態様の第１の可能な実装形態から第３の可能な実装形態を参照して、第９の態様の第４の可能な実装形態では、基地局からの第２の構成パラメータは、以下のパラメータ、すなわち、アンテナポート、伝送コムの周波数領域開始場所、伝送コムインデックス、副搬送波セットインデックス、循環シフト識別子、および直交カバーコード識別子、のうちの少なくとも１つを含む。
【００３０】
第１０の態様によれば、第９の態様または第９の態様の可能な実装形態のいずれか１つにおける方法を実行するように構成されたユーザ機器が提供される。
【００３１】
第１１の態様によれば、メモリとプロセッサとを含む別のユーザ機器が提供され、メモリは命令を記憶するように構成され、プロセッサは、メモリ内に記憶された命令を遂行するように構成され、プロセッサが第９の態様または第９の態様の可能な実装形態のいずれか１つにおける方法を実行するように、メモリ内に記憶された命令を遂行する。
【００３２】
第１２の態様によれば、コンピュータプログラムを記憶するように構成されたコンピュータ可読記憶媒体が提供され、このコンピュータプログラムは、第９の態様または第９の態様の可能な実装形態のいずれか１つにおける方法を実行するために使用される命令を含む。
【００３３】
第１３の態様によれば、別の基準信号伝送方法が提供され、この方法は、ユーザ機器にダウンリンク制御情報を基地局によって送信することであって、ダウンリンク制御シグナリングは、基準信号を搬送するシンボル上にあり、この基準信号を送信するためにユーザ機器によって使用される周波数領域リソースグループを示すために使用される、送信することと、周波数領域リソースグループ上でユーザ機器によって送信された基準信号を基地局によって受信することとを含む。
【００３４】
第１３の態様を参照して、第１３の態様の第１の可能な実装形態では、ダウンリンク制御シグナリングは周波数領域コムインデックスを搬送し、この周波数領域コムインデックスは、ユーザ機器の周波数領域リソースと組み合わせて周波数領域リソースグループを決定するために使用され、この周波数領域リソースグループは、複数の均等に離隔されたコム歯を含む（１つのコム歯は１つの副搬送波である）。
【００３５】
第１３の態様および第１３の態様の第１の可能な実装形態を参照して、第１３の態様の第２の可能な実装形態では、周波数領域コムは、１つのタイプの基本系列に対応し、周波数領域コムインデックスは、基準信号系列を生成するために使用される基本系列を決定するためにユーザ機器によってさらに使用され、周波数領域コムと基本系列の間に多対１または１対１の対応があってよい。
【００３６】
第１３の態様ならびに第１３の態様の第１の可能な実装形態および第２の可能な実装形態を参照して、第１３の態様の第３の可能な実装形態では、基地局は、ＵＥ固有メッセージを使用することなどによってダウンリンク制御シグナリングを送信する。
【００３７】
第１４の態様によれば、第１３の態様または第１３の態様の可能な実装形態のいずれか１つにおける方法を実行するように構成された基地局が提供される。
【００３８】
具体的には、基地局は、第１３の態様または第１３の態様の可能な実装形態のいずれか１つにおける方法を実行するように構成されたユニットを含んでよい。
【００３９】
第１５の態様によれば、メモリとプロセッサとを含む別の基地局が提供され、メモリは命令を記憶するように構成され、プロセッサは、メモリ内に記憶された命令を遂行するように構成され、プロセッサが第１３の態様または第１３の態様の可能な実装形態のいずれか１つにおける方法を実行するように、メモリ内に記憶された命令を遂行する。
【００４０】
第１６の態様によれば、コンピュータプログラムを記憶するように構成されたコンピュータ可読記憶媒体が提供され、このコンピュータプログラムは、第１３の態様または第１３の態様の可能な実装形態のいずれか１つにおける方法を実行するために使用される命令を含む。
【００４１】
第１７の態様によれば、別の基準信号通信方法が提供され、この方法は、ユーザ機器にダウンリンク制御情報を基地局によって送信することであって、このダウンリンク制御情報は、ユーザ機器の基準信号を搬送する周波数領域リソースを決定するようにユーザ機器に指示するために使用され、この周波数領域リソースは、周波数領域内で等間隔に分散された副搬送波であり、基準信号はデータチャネル復調に使用される、送信することと、周波数領域リソース上でユーザ機器に基準信号を基地局によって送信すること、または、ユーザ機器によって送信された基準信号を周波数領域リソース上で基地局によって受信することとを含む。
【００４２】
第１７の態様を参照して、第１７の態様の第１の可能な実装形態では、ダウンリンク制御シグナリングは第１のパラメータを搬送し、この第１のパラメータは、ユーザ機器の基準信号を搬送する周波数領域リソースを決定するために使用され、第１のパラメータは、以下のパラメータ、すなわち、ユーザ機器固有パラメータ、時間領域固有パラメータ、セル固有パラメータ、周波数領域固有パラメータ、および基地局からの第１の構成パラメータ、のうちの少なくとも１つを含み、この基地局からの第１の構成パラメータは、基地局によってユーザ機器に送信される構成情報であり、この構成情報は、ユーザ機器の基準信号を搬送する周波数領域リソースを決定するためにユーザ機器によって使用される。
【００４３】
第１７の態様および第１７の態様の第１の可能な実装形態を参照して、第１７の態様の第２の可能な実装形態では、基地局からの第１の構成パラメータは、以下のパラメータ、すなわち、アンテナポート、伝送コムの周波数領域開始場所、伝送コムインデックス、および副搬送波セットインデックス、のうちの少なくとも１つを含む。
【００４４】
第１７の態様ならびに第１７の態様の第１の可能な実装形態および第２の可能な実装形態を参照して、第１７の態様の第３の可能な実装形態では、ダウンリンク制御シグナリングは第２のパラメータを搬送し、この第２のパラメータは、基準信号の系列に使用される循環シフトおよび／または直交カバーコードを決定するために使用され、第２のパラメータは、以下のパラメータ、すなわち、ユーザ機器固有パラメータ、時間領域固有パラメータ、セル固有パラメータ、周波数領域固有パラメータ、および基地局からの第２の構成パラメータ、のうちの少なくとも１つを含み、この基地局からの第２の構成パラメータは、基地局によってユーザ機器に送信される構成情報であり、この構成情報は、基準信号の系列に使用される循環シフトおよび／または直交カバーコードを決定するためにユーザ機器によって使用される。
【００４５】
第１７の態様および第１７の態様の第１の可能な実装形態から第３の可能な実装形態を参照して、第１７の態様の第４の可能な実装形態では、基地局からの第２の構成パラメータは、以下のパラメータ、すなわち、アンテナポート、伝送コムの周波数領域開始場所、伝送コムインデックス、副搬送波セットインデックス、循環シフト識別子、および直交カバーコード識別子、のうちの少なくとも１つを含む。
【００４６】
第１８の態様によれば、第１７の態様または第１７の態様の可能な実装形態のいずれか１つにおける方法を実行するように構成された基地局が提供される。
【００４７】
具体的には、基地局は、第１７の態様または第１７の態様の可能な実装形態のいずれか１つにおける方法を実行するように構成されたユニットを含んでよい。
【００４８】
第１９の態様によれば、メモリとプロセッサとを含む別の基地局が提供され、メモリは命令を記憶するように構成され、プロセッサは、メモリ内に記憶された命令を遂行するように構成され、プロセッサが第１７の態様または第１７の態様の可能な実装形態のいずれか１つにおける方法を実行するように、メモリ内に記憶された命令を遂行する。
【００４９】
第２０の態様によれば、コンピュータプログラムを記憶するように構成されたコンピュータ可読記憶媒体が提供され、このコンピュータプログラムは、第１７の態様または第１７の態様の可能な実装形態のいずれか１つにおける方法を実行するために使用される命令を含む。
【００５０】
第２１の態様によれば、基準信号伝送方法が提供され、この方法は、基準信号を搬送するシンボル上にあり、この基準信号を送信するために使用される少なくとも１つの周波数領域リソースグループに対応する少なくとも１つの基準信号生成系列を第１のデバイスによって決定することであって、１つの周波数領域リソースグループは１つの基準信号生成系列に対応する、決定することと、少なくとも１つの基準信号生成系列に基づいて基準信号を第１のデバイスによって生成し、基準信号を、その時間領域がシンボルであり、その周波数領域が少なくとも１つの周波数領域リソースグループである時間周波数リソースにマッピングすることとを含む。
【００５１】
第２１の態様を参照して、第１の可能な実装形態では、第１のデバイスと第２のデバイスの両方が、基準信号を、その時間領域がシンボルであり、その周波数領域が第３の周波数領域リソースグループである時間周波数リソースにマッピングするとき、第３の基準信号生成系列に基づいて基準信号を生成するために第１のデバイスおよび第２のデバイスによって使用される循環シフトまたは直交カバーコードは異なり、第３の周波数領域リソースグループは少なくとも１つの周波数領域リソースグループのうちの１つであり、第３の基準信号生成系列は第３の周波数領域リソースグループに対応する基準信号生成系列である。
【００５２】
第２１の態様の第１の可能な実装形態を参照して、第２の可能な実装形態では、循環シフトまたは直交カバーコードは、第１のパラメータセットに基づいて第１のデバイスによって決定され、この第１のパラメータセット内のパラメータは、ユーザ機器固有パラメータ、時間領域固有パラメータ、セル固有パラメータ、ネットワーク側デバイス固有パラメータ、周波数領域固有パラメータ、ネットワーク側構成パラメータ、および組み合わせパラメータ、のうちの１つまたは複数を含み、この組み合わせパラメータは、ユーザ機器固有パラメータ、時間領域固有パラメータ、セル固有パラメータ、ネットワーク側デバイス固有パラメータ、周波数領域固有パラメータ、およびネットワーク側構成パラメータの中の複数のパラメータの組み合わせである、または、第１のデバイスがユーザ機器であるとき、循環シフトもしくは直交カバーコードは、第１のデバイスに接続されたネットワーク側デバイスによって第１のデバイスに通知される。
【００５３】
第２１の態様を参照して、第３の可能な実装形態では、第１のデバイスと第２のデバイスの両方が、基準信号を、その時間領域がシンボルであり、その周波数領域が第３の周波数領域リソースグループである時間周波数リソースにマッピングするとき、第３の周波数領域リソースグループ上の第１のデバイスに対応する基準信号生成系列は、第３の周波数領域リソースグループ上の第２のデバイスに対応する基準信号生成系列とは異なる。
【００５４】
第２１の態様の第３の可能な実装形態を参照すると、第４の可能な実装形態では、基準信号を搬送するシンボル上にあり、その基準信号を送信するために使用される少なくとも１つの周波数領域リソースグループに対応する少なくとも１つの基準信号生成系列を第１のデバイスによって決定することの具体的な実装形態は、第１の周波数領域リソースグループに対応する第１の基準信号生成系列を第１のデバイスによって決定し、第２の周波数領域リソースグループに対応する第２の基準信号生成系列を決定することであり、少なくとも１つの基準信号生成系列に基づいて基準信号を第１のデバイスによって生成し、基準信号を、その時間領域が基準信号を送信するために使用されるシンボルであり、その周波数領域が少なくとも１つの周波数領域リソースグループである時間周波数リソースにマッピングすることの具体的な実装形態は、第１の基準信号生成系列に基づいて基準信号の第１の基準信号系列を第１のデバイスによって生成し、この第１の基準信号系列を、その時間領域がシンボルであり、その周波数領域が第１の周波数領域リソースグループである時間周波数リソースにマッピングすること、および、第２の基準信号生成系列に基づいて基準信号の第２の基準信号系列を第１のデバイスによって生成し、この第２の基準信号系列を、その時間領域がシンボルであり、その周波数領域が第２の周波数領域リソースグループである時間周波数リソースにマッピングすることである。
【００５５】
第２１の態様の前述の可能な実装形態を参照して、第５の可能な実装形態では、基準信号生成系列は、第２のパラメータセットに基づいて第１のデバイスによって決定され、この第２のパラメータセット内のパラメータは、ユーザ機器固有パラメータ、時間領域固有パラメータ、セル固有パラメータ、ネットワーク側デバイス固有パラメータ、周波数領域固有パラメータ、ネットワーク側構成パラメータ、および組み合わせパラメータ、のうちの１つまたは複数を含み、この組み合わせパラメータは、ユーザ機器固有パラメータ、時間領域固有パラメータ、セル固有パラメータ、ネットワーク側デバイス固有パラメータ、周波数領域固有パラメータ、およびネットワーク側構成パラメータの中の複数のパラメータの組み合わせである、または、周波数領域リソースグループと基準信号生成系列の間の対応は前もって承認されている、もしくは、第１のデバイスがユーザ機器であるとき、周波数領域リソースグループと基準信号生成系列の間の対応は、第１のデバイスに接続されたネットワーク側デバイスによって第１のデバイスに送信される。
【００５６】
第２２の態様によれば、第２１の態様または第２１の態様の可能な実装形態のいずれか１つにおける方法を実行するように構成されたデバイスが提供される。
【００５７】
具体的には、デバイスは、第２１の態様または第２１の態様の可能な実装形態のいずれか１つにおける方法を実行するように構成されたユニットを含んでよい。
【００５８】
第２３の態様によれば、メモリとプロセッサとを含む別のデバイスが提供され、メモリは命令を記憶するように構成され、プロセッサは、メモリ内に記憶された命令を遂行するように構成され、プロセッサが第２１の態様または第２１の態様の可能な実装形態のいずれか１つにおける方法を実行するように、メモリ内に記憶された命令を遂行する。
【００５９】
第２４の態様によれば、コンピュータプログラムを記憶するように構成されたコンピュータ可読記憶媒体が提供され、このコンピュータプログラムは、第２１の態様または第２１の態様の可能な実装形態のいずれか１つにおける方法を実行するために使用される命令を含む。
【００６０】
第２５の態様によれば、通信システムが提供され、この通信システムはユーザ機器を含み、このユーザ機器は、第１の態様または第１の態様の可能な実装形態のいずれか１つにおけるユーザ機器を含む。
【００６１】
第２６の態様によれば、通信システムが提供され、この通信システムは基地局とユーザ機器とを含み、このユーザ機器は、第２の態様もしくは第２の態様の可能な実装形態のいずれか１つにおけるユーザ機器、または第３の態様もしくは第３の態様の可能な実装形態のいずれか１つにおけるユーザ機器である。
【００６２】
第２７の態様によれば、通信システムが提供され、この通信システムはユーザ機器を含み、このユーザ機器は、第９の態様または第９の態様の可能な実装形態のいずれか１つにおけるユーザ機器を含む。
【００６３】
第２８の態様によれば、通信システムが提供され、この通信システムはデバイスを含み、このデバイスは、第２２の態様もしくは第２２の態様の可能な実装形態のいずれか１つにおけるデバイス、または第２３の態様もしくは第２３の態様の可能な実装形態のいずれか１つにおけるデバイスである。一方、前述の技術的解決策に基づいて、異なる基本系列が、異なる周波数領域リソースグループに基づいて決定され、基準系列が、基本系列に基づいて生成され、対応する時間周波数リソースにマッピングされ、異なるＵＥが、異なる帯域幅においてＲＳ直交性を実施する助けとなり、それによって、ＲＳリソース多重化効率を改善し、複数のＵＥのＲＳリソース多重化を実施する。他方、異なる周波数領域リソースグループが、基準信号を送信するために異なるユーザ機器に割り当てられ、したがって、ＲＳリソース多重化効率が改善され、複数のＵＥのＲＳリソース多重化が実施される。
【図面の簡単な説明】
【００６４】
【図１】本発明の実施形態による基準信号伝送方法の概略図である。
【図２】本発明の実施形態によるアップリンクにおける複数のユーザのＲＳリソース多重化の概略図である。
【図３】本発明の実施形態による基準信号伝送方法の概略図である。
【図４】本発明の実施形態による基準信号伝送方法の概略図である。
【図５】本発明の実施形態による周波数領域リソースおよび周波数領域コムの概略図である。
【図６】本発明の実施形態による、ＦＤＭとＣＤＭを組み合わせる方法を使用することによって複数のユーザ機器によりＲＳリソースを多重化することの概略図である。
【図７】本発明の実施形態による別の基準信号伝送方法の概略図である。
【図８】本発明の実施形態による物理装置の概略的構造図である。
【図９】本発明の実施形態によるさらに別の基準信号伝送方法の概略図である。
【図１０】本発明の実施形態によるアップリンクにおける複数のユーザのＲＳリソース多重化の別の概略図である。
【発明を実施するための形態】
【００６５】
以下は、添付の図面を参照しながら、本発明の実施形態における技術的解決策について説明する。
【００６６】
本発明の実施形態の技術的解決策は、Ｇｌｏｂａｌ  Ｓｙｓｔｅｍ  ｆｏｒ  Ｍｏｂｉｌｅ  Ｃｏｍｍｕｎｉｃａｔｉｏｎｓ（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ（登録商標））、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）システム、およびユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）などの種々の通信システムに適用されてよいことが理解されるべきである。
【００６７】
端末（Ｔｅｒｍｉｎａｌ）は、ユーザ機器（Ｕｓｅｒ  Ｅｑｕｉｐｍｅｎｔ、ＵＥ）、ユーザなどと呼ばれることがある。端末は、無線アクセスネットワーク（Ｒａｄｉｏ  Ａｃｃｅｓｓ  Ｎｅｔｗｏｒｋ、ＲＡＮ）を使用することによって１つまたは複数のコアネットワークと通信し得る。端末は、モバイル電話（「セルラー式」電話とも呼ばれる）などのモバイル端末およびモバイル端末をもつコンピュータであってよい。たとえば、端末は、音声および／またはデータを無線アクセスネットワークと交換する、ポータブル装置、ポケットサイズの装置、ハンドヘルド装置、コンピュータ内蔵装置、または車載モバイル装置であってよい。
【００６８】
本発明の実施形態を理解しやすいように、本発明の実施形態の説明に導入されるいくつかの要素が、本明細書において最初に説明される。
【００６９】
エアインタフェースリソースは、エアインタフェース時間領域リソースおよびエアインタフェース周波数領域リソースとして定義され、通常、リソース要素（Ｒｅｓｏｕｒｃｅ  Ｅｌｅｍｅｎｔ、ＲＥ）、リソースブロック（Ｒｅｓｏｕｒｃｅ  Ｂｌｏｃｋ、ＲＢ）、シンボル（ｓｙｍｂｏｌ）、副搬送波（ｓｕｂｃａｒｒｉｅｒ）、および伝送時間間隔（Ｔｒａｎｓｍｉｓｓｉｏｎ  Ｔｉｍｅ  Ｉｎｔｅｒｖａｌ、ＴＴＩ）によって表される。エアインタフェースリソースは、周波数領域および時間領域の観点から分割されてよい。周波数領域分割の最小リソース粒度は副搬送波であり、時間領域分割の最小リソース粒度はシンボルである。
【００７０】
１つのＲＥは、１つのシンボル時間内の１つの副搬送波のリソースを表し、各ＲＥは、固有の情報を搬送してよい。Ｎ個のシンボルが、時間に関して１つのＴＴＩを形成する。１つのＴＴＩ内のＭ個の副搬送波は、１つのＲＢへと組み合わされる。
【００７１】
ＵＲＬＬＣサービスの低遅延および高信頼性の要件を保証するために、ＵＲＬＬＣアップリンクサービスは、プリエンプション様式または予約様式で短いＴＴＩ内のＭＢＢアップリンクサービスの物理リソースを柔軟に占有してよい。短いＴＴＩは、本明細書では、時間に関して、より短いサブフレームである。現在、１つのＬＴＥサブフレーム長は１ｍｓであり、短いＴＴＩのサブフレームは、１ｍｓよりも短い長さを有し、たとえば、０．１２５ｍｓまたは別の時間長であってよい。短いＴＴＩでは、時間領域シンボルの量が減少されるので、アップリンクでは、アップリンクデータ復調ＲＳの伝送に使用可能なシンボルはほとんどなく、１つのシンボルしかないことがある。したがって、複数のユーザのＲＳに関するシナリオでは、２つのユーザ機器によって占有される時間周波数リソースが重複することがある。さらに、異なるセル間の直交／擬似直交パイロット設計のシナリオおよびＵＬ／ＤＬ  ＭＵ−ＭＩＭＯにおいてペアにされたＵＥが異なる帯域幅を占有する（帯域幅が部分的に重複する）シナリオは、類似の技術的問題に直面する。複数のユーザのＲＳリソース多重化をどのようにして実施するかは、本発明の実施形態において解決されるべき技術的問題である。
【００７２】
図１は、本発明の実施形態による基準信号伝送方法の概略図である。図１における方法は、ユーザ機器によって実行される。
【００７３】
１０１。第１のユーザ機器は、基準信号を搬送するシンボル上にあり、この基準信号を送信するために使用される少なくとも１つの周波数領域リソースグループに対応する少なくとも１つの基本系列を決定する。
【００７４】
１つの周波数領域リソースグループは、１つのタイプの基本系列に対応し、各周波数領域リソースグループは、同じ量を有する複数の副搬送波を含む。
【００７５】
本発明のこの実施形態では、１つの周波数領域リソースグループは、複数の周波数領域副搬送波を含んでよく、各周波数領域リソースグループは、同じ量の副搬送波を含むことが理解されるべきである。
【００７６】
本発明のこの実施形態では、基準信号を搬送するために使用されるシンボルは１つまたは複数のシンボルを含んでよいことが理解されるべきである。
【００７７】
１つの基本系列は１つのタイプの基本系列に等しくないことが理解されるべきである。１つの基本系列は基本系列量を示し、１つのタイプの基本系列は基本系列タイプを示す。
【００７８】
第１のユーザ機器は、少なくとも１つの周波数領域リソースグループ上で基準信号を送信し、各周波数領域リソースグループは、基準信号の１つの基準信号系列を送信し、少なくとも１つの周波数領域リソースグループ上で送信される少なくとも１つの基準信号系列は、基準信号を形成する。各基準信号系列は、１つの基本系列を使用することによって生成され、第１のユーザ機器は、基本系列の量は周波数領域リソースグループの量と同じであることを決定する必要がある。１つの周波数領域リソースグループは、１つのタイプの基本系列に対応し、異なる周波数領域リソースグループは、同じ基本系列または異なる基本系列を使用してよく、少なくとも１つの基本系列のタイプの総量は、少なくとも１つの基本系列の量よりも少ないかこれに等しい。１つの周波数領域リソースグループは、１つのタイプの基本系列に対応し、周波数領域リソースグループタイプは、基本系列タイプと１対１の対応があってもよいし、基本系列タイプと多対１の対応があってもよいことが理解されるべきである。たとえば、１つの周波数領域リソースグループインデックスは、１つのタイプの基本系列のインデックスに対応し、周波数領域リソースグループインデックスは、基本系列インデックスに関連することがある。具体的な例では、周波数領域リソースグループインデックス１、２、および３は、基本系列インデックス１に対応し、周波数領域リソースグループインデックス４は、基本系列インデックス２に対応する。言い換えれば、異なる周波数領域リソースグループは、同じ基本系列を使用してもよいし、異なる基本系列を使用してもよい。基準信号を送信するために使用される少なくとも１つの周波数領域リソースグループに対応する少なくとも１つの基本系列のタイプの総量は、少なくとも１つの基本系列の量よりも少ないかこれに等しい。
【００７９】
任意選択で、周波数領域リソースグループと基本系列の間の対応は、基地局およびユーザ機器によって前もって承認されている。
【００８０】
代替として、任意選択で、周波数領域リソースグループと基本系列の間の対応は、基地局によってユーザ機器に送信される。
【００８１】
１０２。第１のユーザ機器は、少なくとも１つの基本系列に基づいて基準信号を生成し、基準信号を、その時間領域がシンボルであり、その周波数領域が少なくとも１つの周波数領域リソースグループである時間周波数リソースにマッピングする。
【００８２】
第１のユーザ機器が、基本系列に基づいて基準信号を生成し、各基本系列は、基準信号の１つの基準信号系列を生成するために使用され、すべての生成された基準信号系列は、基準系列を形成することが理解されるべきである。
【００８３】
基準信号を生成した後、第１のユーザ機器は、基準信号を、基準信号を送信するための時間周波数リソースにマッピングしてよいことが理解されるべきである。時間周波数リソースの時間領域はシンボル（基準信号を搬送するシンボル）であり、周波数領域は、少なくとも１つの周波数領域リソースグループである。
【００８４】
基準信号を時間周波数リソースにマッピングした後、第１のユーザ機器は基準信号を送信してよいことが理解されるべきである。
【００８５】
本発明のこの実施形態では、異なる基本系列は、異なる周波数領域リソースグループに基づいて決定され、基準信号は、基本系列に基づいて生成され、対応する時間周波数リソースにマッピングされる。これは、異なる帯域幅内の異なるＵＥのＲＳの直交性を実施する助けとなり、それによって、ＲＳリソース多重化効率を改善し、複数のユーザのＲＳリソース多重化を実施する。
【００８６】
任意選択で、第１のユーザ機器および第２のユーザ機器が、シンボル上で第３の周波数領域リソースグループを多重化する場合、第３の基本系列に基づいて基準信号系列を生成するためにユーザ機器および第２のユーザ機器によって使用される循環シフトは異なる。第３の周波数領域リソースグループは、少なくとも１つの周波数領域リソースグループのうちの１つであり、第３の基本系列は、第３の周波数領域リソースグループに対応する基本系列である。
【００８７】
本発明のこの実施形態では、異なる循環シフトは、同じ周波数領域リソースグループ上の異なるＵＥの基本系列のために構成され、したがって、異なる帯域幅内のＵＥのＲＳの直交性は、同じ周波数領域リソースグループ上で実施可能である。したがって、ＲＳリソース多重化効率は改善可能であり、複数のユーザのＲＳリソース多重化が実施可能である。
【００８８】
さらに、ステップ１０１の具体的な実装形態は、第１のユーザ機器が、第１の周波数領域リソースグループに対応する第１の基本系列を決定し、第２の周波数領域リソースグループに対応する第２の基本系列を決定することである。この場合、ステップ１０２の具体的な実装形態は、第１のユーザ機器が、第１の基本系列に基づいて基準信号の第１の基準信号系列を生成し、この第１の基準信号系列を、その時間領域がシンボルであり、その周波数領域が第１の周波数領域リソースグループである時間周波数リソースにマッピングすることと、第１のユーザ機器が、第２の基本系列に基づいて基準信号の第２の基準信号系列を生成し、この第２の基準信号系列を、その時間領域がシンボルであり、その周波数領域が第２の周波数領域リソースグループである時間周波数リソースにマッピングすることである。
【００８９】
任意選択で、第１の基準信号系列を生成するために第１のユーザ機器によって使用される循環シフトは、第２の基準信号系列を生成するために使用される循環シフトとは異なる。
【００９０】
代替として、任意選択で、第１の基準信号系列を生成するために第１のユーザ機器によって使用される循環シフトは、第２の基準信号系列を生成するために使用される循環シフトと同じである。
【００９１】
さらに、第１の基準信号系列を生成するために第１のユーザ機器によって使用される循環シフトが、第２の基準信号系列を生成するために使用される循環シフトと同じであるとき、循環シフトは、基地局によってユーザ機器に通知される、または、循環シフトは、構成パラメータに基づいてユーザ機器によって決定される。構成パラメータは、ＵＥ固有構成パラメータ、時間領域固有構成パラメータ、セル固有構成パラメータ、および周波数領域固有構成パラメータ、のうちの１つまたは複数を含み、構成パラメータは、セル固有構成パラメータまたは周波数領域固有構成パラメータのみを含むことはできない。
【００９２】
本発明のこの実施形態における方法は、以下で特定の実施形態を参照しながら、さらに説明される。
【００９３】
図２は、本発明の実施形態によるアップリンクにおける複数のユーザのＲＳリソース多重化の概略図である。図１に示されるように、ＲＢは、４つの周波数領域リソースグループすなわち周波数領域におけるＮからＮ＋３と、７つのシンボルすなわち時間領域における０から６とを含む。ＵＥ１は、その時間領域がシンボル２であり、その周波数領域が周波数領域リソースグループＮからＮ＋３である時間周波数リソース上で、データを送信し、ＵＥ２は、その時間領域がシンボル４および５であり、その周波数領域が周波数領域リソースグループＮおよびＮ＋１である時間周波数リソース上で、データを送信し、ＵＥ３は、その時間領域がシンボル４および５であり、その周波数領域が周波数領域リソースグループＮ＋２およびＮ＋３である時間周波数リソース上で、データを送信する。ＵＥ１、ＵＥ２、およびＵＥ３は、シンボル３（灰色グリッドで示される時間周波数リソース）上で基準信号を送信する。ＵＥ１は、その時間領域がシンボル３であり、その周波数領域が周波数領域リソースグループＮからＮ＋３である時間周波数リソース上で、基準信号を送信し、ＵＥ２は、その時間領域がシンボル３であり、その周波数領域が周波数領域リソースグループＮおよびＮ＋１である時間周波数リソース上で、基準信号を送信し、ＵＥ３は、その時間領域がシンボル３であり、その周波数領域が周波数領域リソースグループＮ＋２およびＮ＋３である時間周波数リソース上で、基準信号を送信する。
【００９４】
本発明のこの実施形態では、１つの基準信号は、１つの基本系列に基づいて生成された１つの基準信号系列を含んでもよいし、複数の基本系列に基づいて生成された複数の基準信号系列を含んでもよい。
【００９５】
本発明のこの実施形態では、１つの周波数領域リソースグループは１つのタイプの基本系列に対応し、複数の異なる周波数領域リソースグループは、同じタイプの基本系列に対応してよい。各周波数領域リソースグループは、１つまたは複数の副搬送波を含んでよい。周波数領域リソースグループと基本系列の間の対応は、たとえば、周波数領域リソースグループインデックスが基本系列インデックスに関連することであってよい。たとえば、周波数領域リソースグループインデックス１、２、および３は、基本系列インデックス１に対応しており、周波数領域リソースグループインデックス５は、基本系列インデックス２に対応する。図２における周波数領域リソースグループＮ、Ｎ＋１、Ｎ＋２、およびＮ＋３はそれぞれ、基本系列Ｎ’、Ｎ’＋１、Ｎ’＋２、およびＮ’＋３に対応すると仮定される。
【００９６】
さらに、周波数領域リソースグループと基本系列の間の対応は、プロトコルにおいて指定されてもよいし、基地局およびユーザ機器によって前もって承認されてもよいし、構成メッセージを使用することによってユーザ機器に基地局によって通知されてもよいことが理解されるべきである。これは、本発明のこの実施形態では限定されない。
【００９７】
１つのＵＥの場合、ＵＥは、占有された周波数領域リソースグループ上で、周波数領域リソースグループに対応する基本系列を使用して基準信号の基準信号系列を生成し、この基準信号系列を、周波数領域リソースグループに対応する時間周波数リソースにマッピングする。
【００９８】
ＵＥ１は、一例として使用される。ＵＥは、基本系列Ｎ、Ｎ＋１、Ｎ＋２、およびＮ＋３に基づいて基準信号系列Ｎ’、Ｎ’＋１、Ｎ’＋２、およびＮ’＋３を別個に生成し、これらの基準信号系列を、その時間領域がシンボル３であり、その周波数領域が周波数領域リソースグループＮ、Ｎ＋１、Ｎ＋２、およびＮ＋３である時間周波数リソースに別個にマッピングする。
【００９９】
基本系列に基づいて基準信号系列を生成するためにユーザ機器によって使用される循環シフトは、基地局によってユーザ機器に通知されてもよいし、構成パラメータに基づいてユーザ機器によって決定されてもよいことが理解されるべきである。構成パラメータは、ユーザ機器のものである、ＵＥ固有構成パラメータ、時間領域固有構成パラメータ、セル固有構成パラメータ、および周波数領域固有構成パラメータ、のうちの１つまたは複数を含んでよい。構成パラメータはセル固有構成パラメータまたは周波数領域固有構成パラメータのみを含むことはできないことが留意されるべきである。
【０１００】
好ましくは、基本系列に基づいて基準信号系列を生成するために同じユーザ機器によって使用される循環シフトは同じである。同じユーザ機器によって使用される循環シフトが同じであるとき、基地局が、ユーザ機器に１つのタイプの循環シフトのみを通知してもよいし、ユーザ機器が、構成パラメータに基づいて、１つのタイプの循環シフトのみを決定してもよい。
【０１０１】
さらに、同じ周波数領域リソースグループ上で、異なるユーザ機器が、同じ基本系列の異なる循環シフトを使用して、それぞれの基準信号系列を生成する。たとえば、周波数領域リソースグループＮ上で、基本系列Ｎを使用することによって基準信号系列を生成するためにＵＥ１およびＵＥ２によって使用される循環シフトは異なる。
【０１０２】
各周波数領域リソースグループ上で図２における各ＵＥによって使用される基本系列および循環シフトの具体的な例は、表１に示されている。
【０１０３】
【表１】
2019516301.tif 000003
【０１０４】
表１に示されるように、１つのＵＥの観点から、複数の基本系列の同じ循環シフトが、送信されるデータに対応するＲＳに使用されてよく、したがって、基地局側制御シグナリングのオーバヘッドが大きく減少可能である。
【０１０５】
本発明のこの実施形態では、時間周波数リソースグループは、基準信号を生成するために使用される基本系列を暗黙的に示すために使用され、したがって、ＲＳリソース多重化率が増加可能であり、複数のユーザ機器のＲＳリソース多重化が実施可能であり、複数のユーザのＲＳ間の直交性がさらに保証可能である。
【０１０６】
図３は、本発明の実施形態による基準信号伝送方法の概略図である。図３における方法は、ユーザ機器によって実行される。
【０１０７】
３０１。ユーザ機器が、基地局によって送信されたダウンリンク制御シグナリングを受信し、このダウンリンク制御シグナリングは、基準信号を搬送するシンボル上にあり、基準信号を送信するためにユーザ機器によって使用される周波数領域リソースグループを示すために使用され、各周波数領域リソースグループは、同じ量を有する複数の副搬送波を含む。
【０１０８】
任意選択で、ダウンリンク制御シグナリングは、ユーザ固有ＵＥ固有構成メッセージである。
【０１０９】
３０２。ユーザ機器が、基準信号系列を生成し、この基準信号系列を、その時間領域がシンボルであり、その周波数領域が周波数領域リソースグループである時間周波数リソースにマッピングする。
【０１１０】
本発明のこの実施形態では、ユーザ機器は、基地局によって割り当てられた周波数領域リソースグループに基づいて基準信号を生成し、したがって、異なるユーザ機器は、異なる周波数領域リソースを使用して、基準信号を送信することができる。したがって、ＲＳリソース多重化効率は改善可能であり、複数のユーザのＲＳリソース多重化が実施可能である。
【０１１１】
任意選択で、ダウンリンク制御シグナリングは、周波数領域コムのインデックスを搬送する。この方法は以下のこと、すなわち、ユーザ機器が、ユーザ機器によって占有される周波数領域リソースおよび周波数領域コムに基づいて周波数領域リソースグループを決定し、この周波数領域リソースグループは、複数の均等に離隔されたコム歯を含む（１つのコム歯は１つの副搬送波である）、決定することをさらに含む。周波数領域コムは、複数の均等に離隔されたコム歯（副搬送波）を取得する目的で、連続的な周波数領域リソースからＮ個の副搬送波の間隔で１つの副搬送波を取得するために使用される。同じ周波数領域リソース（帯域幅）の場合、異なる利用可能な周波数領域リソースは、異なる周波数領域コムを使用することによって取得可能である。異なる周波数領域コムは異なるユーザに割り当てられ、したがって、ユーザ機器は、基準信号を送信するために、同じ帯域幅内で異なる周波数領域リソースを取得することができる。
【０１１２】
任意選択で、いくつかの実施形態では、コム構造は、各Ｎ個の副搬送波内にＭ個の副搬送波を含んでよく、Ｍ個の副搬送波間の間隔は等しい。
【０１１３】
たとえば、Ｍが２のとき、コム構造は、各Ｎ個の副搬送波から選択された２つの副搬送波を含んでよい。２つの副搬送波は連続しており、１つおきの副搬送波間の間隔は等しい。
【０１１４】
図４は、本発明の実施形態による基準信号伝送方法の概略図である。図４における方法は、ユーザ機器によって遂行される。
【０１１５】
４０１。ユーザ機器が、ユーザ機器の基準信号を搬送する周波数領域リソースを決定し、この周波数領域リソースは、周波数領域内で等間隔に分散された副搬送波であり、基準信号はデータチャネル復調に使用される。
【０１１６】
任意選択で、いくつかの実施形態では、基準信号を送信するために使用されるアンテナポートは、基準信号を使用することによって復調されるデータチャネルのアンテナポートに関連する。一般に、２つのアンテナポートのアンテナポート番号は同じである。
【０１１７】
４０２。ユーザ機器が、周波数領域リソース上で基地局に基準信号を送信する、または、基地局によって送信された基準信号を周波数領域リソース上で受信する。
【０１１８】
任意選択で、いくつかの実施形態では、周波数領域内で等間隔に分散された副搬送波は、周波数領域コム歯であってよい。
【０１１９】
任意選択で、いくつかの実施形態では、コム構造は、各Ｎ個の副搬送波内にＭ個の副搬送波を含んでよく、Ｍ個の副搬送波間の間隔は等しい。
【０１２０】
任意選択で、いくつかの実施形態では、ユーザ機器は、第１のパラメータに基づいて、ユーザ機器の基準信号を搬送する周波数領域リソースを決定してよい。
【０１２１】
任意選択で、いくつかの実施形態では、第１のパラメータは、ユーザ機器固有パラメータ、時間領域固有パラメータ、セル固有パラメータ、周波数領域固有パラメータ、および基地局からの第１の構成パラメータ、のうちの１つまたは複数であってよい。
【０１２２】
ユーザ機器固有パラメータの値は、ユーザ機器の関連パラメータ、たとえば、ユーザ機器の識別子情報または無線ネットワーク一時識別子（Ｒａｄｉｏ  Ｎｅｔｗｏｒｋ  Ｔｅｍｐｏｒａｒｙ  Ｉｄｅｎｔｉｔｙ、ＲＮＴＩ）を識別するために使用可能であることが理解されるべきである。
【０１２３】
セル固有パラメータの値はセルの関連パラメータを識別するために使用可能であることが理解されるべきである。たとえば、セル固有パラメータは、セルの識別子情報であってよい。
【０１２４】
時間領域固有パラメータの値は基準信号のシンボルの時間領域場所を識別するために使用可能であることが理解されるべきである。たとえば、時間領域固有パラメータは、サブフレーム番号、タイムスロット番号、ミニスロット番号、またはシンボルであってよい。
【０１２５】
周波数領域固有パラメータの値は基準信号の周波数領域場所を識別するために使用可能であることが理解されるべきである。たとえば、周波数領域固有パラメータは、リソースブロック（ｒｅｓｏｕｒｃｅ  ｂｌｏｃｋ、ＲＢ）番号、リソースブロックグループ（ｒｅｓｏｕｒｃｅ  ｂｌｏｃｋ  ｇｒｏｕｐ、ＲＢＧ）番号、副搬送波番号、またはリソース要素グループ（ｒｅｓｏｕｒｃｅ  ｅｌｅｍｅｎｔ  ｇｒｏｕｐ、ＲＥＧ）番号であってよい。
【０１２６】
任意選択で、いくつかの実施形態では、第１の構成パラメータは、基地局によってユーザ機器のために構成されたパラメータであってもよいし、基地局によってユーザ機器のために構成されたパラメータのうちの少なくともいくつかまたはすべてであってもよい。
【０１２７】
任意選択で、いくつかの実施形態では、第１の構成パラメータはさらに、基地局によってユーザ機器のために構成された構成情報内のパラメータのうちの少なくともいくつかまたはすべてであってよい。
【０１２８】
任意選択で、いくつかの実施形態では、第１の構成パラメータは、ユーザ機器の基準信号を搬送する周波数領域リソースを決定するために使用される。
【０１２９】
任意選択で、いくつかの実施形態では、基地局からの第１の構成パラメータは、アンテナポート、伝送コムの周波数領域開始場所、伝送コムインデックス、および副搬送波セットインデックス、のうちの１つまたは複数であってよい。
【０１３０】
任意選択で、いくつかの実施形態では、ユーザ機器は、第２のパラメータに基づいて、基準信号の系列に使用される循環シフト（Ｃｙｃｌｉｃ  Ｓｈｉｆｔ、ＣＳ）および／または直交カバーコード（Ｏｒｔｈｏｇｏｎａｌ  Ｃｏｖｅｒ  Ｃｏｄｅ、ＯＣＣ）を決定してよい。第２のパラメータは、ユーザ機器固有パラメータ、時間領域固有パラメータ、セル固有パラメータ、周波数領域固有パラメータ、および基地局からの第２の構成パラメータ、のうちの１つまたは複数である。
【０１３１】
ユーザ機器固有パラメータの値は、ユーザ機器の関連パラメータ、たとえば、ユーザ機器の識別子情報または無線ネットワーク一時識別子（Ｒａｄｉｏ  Ｎｅｔｗｏｒｋ  Ｔｅｍｐｏｒａｒｙ  Ｉｄｅｎｔｉｔｙ、ＲＮＴＩ）を識別するために使用可能であることが理解されるべきである。
【０１３２】
セル固有パラメータの値はセルの関連パラメータを識別するために使用可能であることが理解されるべきである。たとえば、セル固有パラメータはセルの識別子情報であってよい。
【０１３３】
時間領域固有パラメータの値は基準信号のシンボルの時間領域場所を識別するために使用可能であることが理解されるべきである。たとえば、時間領域固有パラメータは、サブフレーム番号、タイムスロット番号、ミニスロット番号、またはシンボルであってよい。
【０１３４】
周波数領域固有パラメータの値は基準信号の周波数領域場所を識別するために使用可能であることが理解されるべきである。たとえば、周波数領域固有パラメータは、リソースブロック（ｒｅｓｏｕｒｃｅ  ｂｌｏｃｋ、ＲＢ）番号、リソースブロックグループ（ｒｅｓｏｕｒｃｅ  ｂｌｏｃｋ  ｇｒｏｕｐ、ＲＢＧ）番号、副搬送波番号、またはリソース要素グループ（ｒｅｓｏｕｒｃｅ  ｅｌｅｍｅｎｔ  ｇｒｏｕｐ、ＲＥＧ）番号であってよい。
【０１３５】
任意選択で、いくつかの実施形態では、第２の構成パラメータは、基地局によってユーザ機器のために構成されたパラメータであってもよいし、基地局によってユーザ機器のために構成されたパラメータのうちの少なくともいくつかまたはすべてであってもよい。
【０１３６】
任意選択で、いくつかの実施形態では、第２の構成パラメータはさらに、基地局によってユーザ機器のために構成された構成情報内のパラメータのうちの少なくともいくつかまたはすべてであってよい。
【０１３７】
任意選択で、いくつかの実施形態では、第２の構成パラメータは、基準信号の系列に使用される循環シフトおよび／または直交カバーコードを決定するために使用される。
【０１３８】
任意選択で、いくつかの実施形態では、第２の構成パラメータは、アンテナポート、伝送コムの周波数領域開始場所、伝送コムインデックス、副搬送波セットインデックス、循環シフト識別子、および直交カバーコード識別子、のうちの１つまたは複数であってよい。
【０１３９】
第１のパラメータと第２のパラメータは同じであってもよいし、異なってもよいし、または、第１のパラメータと第２のパラメータは部分的に重複してもよいことが理解されるべきである。たとえば、第１のパラメータが第２のパラメータを含む、または、第２のパラメータが第１のパラメータを含む、または、第１のパラメータおよび第２のパラメータの中のいくつかのパラメータが同じである。
【０１４０】
たとえば、図５は、本発明の実施形態による周波数領域リソースおよび周波数領域コムの概略図である。図５に示されるように、周波数領域コム１に示される周波数領域コム歯のグループは、周波数領域コム１に基づいて取得されてよく（第１の副搬送波が開始点として使用され、その後、１つの副搬送波が、１つの副搬送波の間隔で取得される）、周波数領域コム２に示される周波数領域コム歯のグループは、周波数領域コム２に基づいて取得されてよい（第２の副搬送波が開始点として使用され、その後、１つの副搬送波が、１つの副搬送波の間隔で取得される）。図５に示されるように、同じ周波数領域リソース（周波数領域リソース１）の場合、異なる周波数領域リソースグループは、異なる周波数領域コムに基づいて取得されてよい。
【０１４１】
さらに、ユーザ機器と第２のユーザ機器が同じ周波数領域リソースを占有する場合、ユーザ機器および第２のユーザ機器によって使用される周波数領域コムは異なる。
【０１４２】
ユーザ機器と第２のユーザ機器が異なる周波数領域リソースを占有する場合、異なるユーザ機器が、重複された周波数領域リソース上で異なる周波数領域コムを使用するという条件で、ユーザ機器および第２のユーザ機器によって使用される周波数領域コムは、同じであってもよいし、異なってもよい。
【０１４３】
本発明のこの実施形態の実装形態では、方法は、ユーザ機器が、周波数領域コムに基づいて基本系列を決定し、この基本系列に基づいて基準信号系列を生成し、周波数領域コムは１つのタイプの基本系列に対応することをさらに含む。周波数領域コムと基本系列の間の多対１または１対１のマッピング対応があってよい。
【０１４４】
任意選択で、周波数領域コムと基本系列の間の対応は、基地局およびユーザ機器によって前もって承認されている。
【０１４５】
代替として、任意選択で、周波数領域コムと基本系列の間の対応は、基地局によってユーザ機器に送信される。
【０１４６】
本発明のこの実施形態の別の実装形態では、ユーザ機器は、既存のＦＤＭ技術における基本系列に基づいて基準信号系列を生成する様式を使用してよい。特定の実装形態については、従来技術を参照されたい。詳細は、本発明のこの実施形態では、本明細書において説明されない。
【０１４７】
任意選択で、いくつかの実施形態では、ネットワーク内に複数のユーザ機器があり、複数のユーザ機器の基準信号は直交または擬似直交である必要があり、ユーザ機器の周波数領域リソースは同じまたは部分的に重複されるとき、ＲＳリソースは、周波数分割多重化（Ｆｒｅｑｕｅｎｃｙ  Ｄｉｖｉｓｉｏｎ  Ｍｕｌｔｉｐｌｅｘｉｎｇ、ＦＤＭ）の方法を使用する、またはＦＤＭと符号分割多重化（Ｃｏｄｅ  Ｄｉｖｉｓｉｏｎ  Ｍｕｌｔｉｐｌｅｘｉｎｇ、ＣＤＭ）を組み合わせることによって多重化されてよい。コム構造はＦＤＭに使用されてよく、ＣＳ、ＯＣＣ、またはそれらの組み合わせはＣＤＭに使用されてよい。
【０１４８】
基準信号が直交するとき、基準信号の系列が完全に無相関であることが考えられ得ることが理解されるべきである。基準信号が擬似直交であるとき、擬似直交基準信号間に特定の相関があるが、相関は比較的低い。
【０１４９】
別の例では、図６は、本発明の実施形態による、ＦＤＭとＣＤＭを組み合わせる方法を使用することによって複数のユーザ機器によりＲＳリソースを多重化することの概略図である。図６に示されるように、ユーザ機器２、ユーザ機器３、およびユーザ機器１の周波数領域リソースは部分的に重複し、ユーザ機器４の周波数領域リソースは、ユーザ機器１、２、および３の周波数領域リソースの各々と部分的に重複する。この場合、ＦＤＭの方法に２つのコム歯のみがある場合、４つのユーザ機器のＲＳは、２つのコム歯のみを使用することによっては直交であることができず、４つのユーザ機器のＲＳは、ＦＤＭとＣＤＭを組み合わせる多重化様式で互いと直交することができる。図６に示されるように、ユーザ機器１は、コム１を第１のＣＳまたは第１のＯＣＣと組み合わせる方法を使用し、ユーザ機器２は、コム２を第１のＣＳまたは第１のＯＣＣと組み合わせる方法を使用し、ユーザ機器３は、コム２を第１のＣＳまたは第１のＯＣＣと組み合わせる方法を使用し、ユーザ機器４は、コム１を第２のＣＳまたは第２のＯＣＣと組み合わせる方法を使用する。このようにして、４つのユーザ機器のＲＳは、周波数領域および符号領域多重化方法を使用することによって、互いに対して直交する。
【０１５０】
本発明のこの実施形態における複数のユーザ機器は、同じセルに限定されない。ユーザ機器は、同じセル内に配置されてもよいし、異なるセル内に配置されてもよく、ユーザ機器がデータを送信する方向は、同じであってもよいし、異なってもよく、具体的に言えば、複数のユーザ機器は、アップリンクまたはダウンリンクに使用されてよく、すなわち、ユーザ機器のうちのいくつかはアップリンクに使用され、いくつかのユーザ機器はダウンリンクに使用される。この実施形態における解決策は、複数のユーザ機器のＲＳが実際のネットワーク内で直交または擬似直交である必要があるときに使用されてよい。
【０１５１】
ユーザ機器は、ユーザ機器のＲＳに使用されるように基地局によって構成されたアンテナポートを使用することによって、ＲＳに使用されるコム歯を決定してもよく、または、ユーザのために基地局によって構成された伝送コム歯の識別子を使用することによって、もしくは、サウンディング基準信号（Ｓｏｕｎｄｉｎｇ  Ｒｅｆｅｒｅｎｃｅ  Ｓｉｇｎａｌ、ＳＲＳ）標識方法に類似した方法を使用することによって、基地局は、コムの周波数領域開始場所を示し、ユーザ機器は、周波数領域開始場所に基づいて、使用のためにコム歯を決定する。さらに、基地局は、異なるコム歯をいくつかの副搬送波セットとしてさらに使用し、副搬送波セット系列番号をユーザ機器のために構成することによって、ユーザ機器によって占有されるコム歯を示してよい。
【０１５２】
ユーザ機器のＲＳ系列に使用されるＣＳおよび／またはＯＣＣは、ＲＳのアンテナポート、伝送コム、周波数領域開始場所、および副搬送波セット系列番号などのパラメータのうちの１つまたは複数に関連してよい。たとえば、ＲＳのアンテナポート、伝送コム、コムの周波数領域開始場所、または副搬送波セット系列番号が、ＣＳおよび／またはＯＣＣの識別子との１対１の対応であることがあらかじめ定義される。いくつかのシナリオでは、基地局は、ＲＳ系列に使用されるＣＳおよび／またはＯＣＣの識別子を直接的に構成してよい。この場合、ＣＳおよび／またはＯＣＣの識別子は、ＣＳおよび／またはＯＣＣのものであり、ＲＳのアンテナポート、伝送コム、周波数領域開始場所、または副搬送波セット系列番号に対応する識別子とは異なってよい。
【０１５３】
前述のパラメータに加えて、ユーザ機器によって決定される、ＲＳおよびＣＳに使用されるコム歯ならびに／またはＲＳ系列に使用されるＯＣＣは、ユーザ機器固有パラメータ、時間領域固有パラメータ、セル固有パラメータ、ネットワーク側デバイス固有パラメータ、周波数領域固有パラメータ、およびネットワーク側構成パラメータ、のうちの１つまたは複数にさらに関連してよい。図７は、本発明の実施形態による基準信号伝送方法の概略図である。図７における方法は、基地局によって実行される。
【０１５４】
７０１。基地局は、ダウンリンク制御情報をユーザ機器に送信し、ダウンリンク制御シグナリングは、基準信号を搬送するシンボル上にあり、基準信号を送信するためにユーザ機器によって使用される、周波数領域リソースグループを示すために使用され、各周波数領域リソースグループは、同じ量を有する複数の副搬送波を含む。
【０１５５】
７０２。基地局は、周波数領域リソースグループ上で、ユーザ機器によって送信された基準信号を受信する。
【０１５６】
本発明のこの実施形態では、基地局は、基準信号を生成するためにユーザ機器に周波数領域リソースグループを割り当て、したがって、異なるユーザ機器は、異なる周波数領域リソースを使用して基準信号を送信することができる。したがって、ＲＳリソース多重化効率は改善可能であり、複数のユーザのＲＳリソース多重化が実施可能である。
【０１５７】
任意選択で、ダウンリンク制御シグナリングは周波数領域コムインデックスを搬送し、周波数領域コムインデックスは、ユーザ機器の周波数領域リソースと組み合わせて周波数領域リソースグループを決定するために使用される。周波数領域リソースグループは、複数の均等に離隔されたコム歯を含む（１つのコム歯は１つの副搬送波である）。
【０１５８】
任意選択で、周波数領域コムは１つのタイプの基本系列に対応し、周波数領域コムインデックスは、基準信号系列を生成するために使用される基本系列を決定するためにユーザ機器によってさらに使用される。周波数領域コムと基本系列の間の多対１または１対１の対応があってよい。
【０１５９】
任意選択で、基地局は、ＵＥ固有メッセージなどを使用することによって、ダウンリンク制御シグナリングを送信する。
【０１６０】
本発明の実施形態は、図１に示される実施形態において第１のユーザ機器によって実行される方法を実行するように構成されたユーザ機器１をさらに開示する。具体的には、ユーザ機器１は、図１に示される実施形態において第１のユーザ機器によって実行される方法を実行するように構成されたユニットを含んでよい。
【０１６１】
本発明の実施形態は、図３に示される実施形態においてユーザ機器によって実行される方法を実行するように構成されたユーザ機器２をさらに開示する。具体的には、ユーザ機器２は、図３に示される実施形態においてユーザ機器によって実行される方法を実行するように構成されたユニットを含んでよい。
【０１６２】
本発明の実施形態は、図４に示される実施形態においてユーザ機器によって実行される方法を実行するように構成されたユーザ機器３をさらに開示する。具体的には、ユーザ機器３は、図４に示される実施形態においてユーザ機器によって実行される方法を実行するように構成されたユニットを含んでよい。
【０１６３】
本発明の実施形態は、図７に示される実施形態において基地局によって実行される方法を実行するように構成された基地局１をさらに開示する。具体的には、基地局１は、図７に示される実施形態において基地局によって実行される方法を実行するように構成されたユニットを含んでよい。
【０１６４】
本発明の実施形態は、ユーザ機器４をさらに提供する。ユーザ機器４の物理装置の概略的構造図は、図８における物理装置８００であってよく、この物理装置は、プロセッサ８０２と、メモリ８０３と、送信機８０１と、受信機８０４とを含む。
【０１６５】
受信機８０４、送信機８０１、プロセッサ８０２、およびメモリ８０３は、バスシステム８０６を使用することによって互いに接続される。バス８０６は、ＩＳＡバス、ＰＣＩバス、ＥＩＳＡバスなどであってよい。バスは、アドレスバス、データバス、制御バスなどに分類されてよい。標識しやすいように、バスは、図８における両方向矢印１つのみを使用することによって示される。しかしながら、それは、１つのバスのみまたは１つのタイプのバスのみがあることを意味しない。特定の適用例では、送信機８０１および受信機８０４は、アンテナ８０５に結合されてよい。
【０１６６】
任意選択で、いくつかの実施形態では、受信機８０４、送信機８０１、プロセッサ８０２、およびメモリ８０３は、制御および／またはデータ信号を送信するために、内部リンクを使用することによって互いとさらに通信してよい。メモリ８０３は、プログラムを記憶するように構成される。具体的には、プログラムはプログラムコードを含んでよく、プログラムコードはコンピュータ動作命令を含む。メモリ８０３は、読み出し専用メモリとランダムアクセスメモリとを含み、プロセッサ８０２に命令およびデータを提供してよい。メモリ８０３は、高速ランダムアクセスメモリ（ｒａｎｄｏｍ  ａｃｃｅｓｓ  ｍｅｍｏｒｙ、略してＲＡＭ）を含んでもよいし、少なくとも１つの磁気ディスクストレージなどの非一時的なメモリ（ｎｏｎ−ｔｒａｎｓｉｔｏｒｙ  ｍｅｍｏｒｙ）をさらに含んでもよい。
【０１６７】
プロセッサ８０２は、メモリ８０３内に記憶されたプログラムを遂行するように構成される。
【０１６８】
具体的には、ユーザ機器４において、プロセッサ８０２は、図１に示される実施形態における方法を実行し、図１に示される実施形態における第１のユーザ機器の機能を実施するように構成されてよい。
【０１６９】
プロセッサ８０２は、集積回路チップであってよく、信号処理性能を有する。実装形態プロセスでは、前述の方法におけるステップは、プロセッサ８０２内のハードウェアの集積論理回路またはソフトウェアの形をとる命令を使用することによって完了されてよい。プロセッサ８０２は、中央処理ユニット（Ｃｅｎｔｒａｌ  Ｐｒｏｃｅｓｓｉｎｇ  Ｕｎｉｔ、ＣＰＵ）、ネットワークプロセッサ（Ｎｅｔｗｏｒｋ  Ｐｒｏｃｅｓｓｏｒ、ＮＰ）などを含む汎用プロセッサであってもよいし、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、または別のプログラマブル論理デバイス、ディスクリートゲートもしくはトランジスタ論理デバイス、またはディスクリートハードウェアアセンブリであってもよい。プロセッサ８０２は、本発明の実施形態に開示されている方法、ステップ、および論理ブロック図を実施または実行してよい。汎用プロセッサはマイクロプロセッサであってもよいし、プロセッサは任意の従来のプロセッサなどであってもよい。本発明の実施形態を参照して開示される方法のステップは、ハードウェア復号プロセッサを使用することによって直接的に実行および完了されてもよいし、復号プロセッサ内でハードウェアモジュールとソフトウェアモジュールの組み合わせを使用することによって実行および完了されてもよい。ソフトウェアモジュールは、ランダムアクセスメモリ、フラッシュメモリ、読み出し専用メモリ、プログラマブル読み出し専用メモリ、電気的消去可能プログラマブルメモリ、またはレジスタなどの、当分野における十分発達した記憶媒体内に配置されてよい。記憶媒体は、メモリ８０３内に配置される。プロセッサ８０２は、メモリ８０３内の情報を読み取り、プロセッサのハードウェアと組み合わせて前述の方法のステップを完了する。
【０１７０】
本発明の実施形態は、ユーザ機器５をさらに提供する。ユーザ機器５の物理装置の概略的構造図は図８に示され得、ユーザ機器５に含まれる物理ユニットは、ユーザ機器４のそれらに類似している。詳細は、再度説明されない。
【０１７１】
具体的には、ユーザ機器５において、プロセッサ８０２は、図３に示される実施形態における方法を実行し、図３に示される実施形態におけるユーザ機器の機能を実施するように構成されてよい。
【０１７２】
本発明の実施形態は、ユーザ機器６をさらに提供する。ユーザ機器６の物理装置の概略的構造図は図８に示され得、ユーザ機器６に含まれる物理ユニットは、ユーザ機器４のそれらに類似している。詳細は、再度説明されない。
【０１７３】
具体的には、ユーザ機器６において、プロセッサ８０２は、図４に示される実施形態における方法を実行し、図４に示される実施形態におけるユーザ機器の機能を実施するように構成されてよい。
【０１７４】
本発明の実施形態は、基地局２をさらに提供する。基地局２の物理装置の概略的構造図は図８に示され得、基地局２に含まれる物理ユニットは、ユーザ機器４のそれらに類似している。詳細は、再度説明されない。
【０１７５】
具体的には、基地局２において、プロセッサ８０２は、図７に示される実施形態における方法を実行し、図７に示される実施形態における基地局の機能を実施するように構成されてよい。
【０１７６】
本発明の実施形態は、基準信号伝送装置１を提供し、この装置は、プロセッサと、メモリとを含む。
【０１７７】
任意選択で、装置１は、受信機と、送信機とをさらに含む。
【０１７８】
具体的には、装置１において、メモリはプログラムコードを記憶するように構成され、プロセッサは、図１に示される実施形態における方法を実施するためにプログラムコードを呼び出すように構成される。
【０１７９】
本発明の実施形態は、基準信号伝送装置２を提供し、この装置は、プロセッサと、メモリとを含む。
【０１８０】
任意選択で、装置２は、受信機と、送信機とをさらに含む。
【０１８１】
具体的には、装置２において、メモリはプログラムコードを記憶するように構成され、プロセッサは、図３に示される実施形態における方法を実施するためにプログラムコードを呼び出すように構成される。
【０１８２】
本発明の実施形態は、基準信号伝送装置３を提供し、この装置は、プロセッサと、メモリとを含む。
【０１８３】
任意選択で、装置３は、受信機と、送信機とをさらに含む。
【０１８４】
具体的には、装置３において、メモリはプログラムコードを記憶するように構成され、プロセッサは、図４に示される実施形態における方法を実施するためにプログラムコードを呼び出すように構成される。
【０１８５】
本発明の実施形態は、基準信号伝送装置４を提供し、この装置は、プロセッサと、メモリとを含む。
【０１８６】
任意選択で、装置４は、受信機と、送信機とをさらに含む。
【０１８７】
具体的には、装置４において、メモリはプログラムコードを記憶するように構成され、プロセッサは、図７に示される実施形態における方法を実施するためにプログラムコードを呼び出すように構成される。
【０１８８】
本発明の実施形態はコンピュータ可読記憶媒体１をさらに提供し、このコンピュータ可読記憶媒体は１つまたは複数のプログラムを記憶し、この１つまたは複数のプログラムは命令を含み、複数のアプリケーションプログラムを含むポータブル電子デバイスによって遂行されるとき、命令は、ポータブル電子デバイスが、図１に示される実施形態における方法を実行することを可能にする。
【０１８９】
本発明の実施形態はコンピュータ可読記憶媒体２をさらに提供し、このコンピュータ可読記憶媒体は１つまたは複数のプログラムを記憶し、この１つまたは複数のプログラムは命令を含み、複数のアプリケーションプログラムを含むポータブル電子デバイスによって遂行されるとき、命令は、ポータブル電子デバイスが、図３に示される実施形態における方法を実行することを可能にする。
【０１９０】
本発明の実施形態はコンピュータ可読記憶媒体３をさらに提供し、このコンピュータ可読記憶媒体は１つまたは複数のプログラムを記憶し、この１つまたは複数のプログラムは命令を含み、複数のアプリケーションプログラムを含むポータブル電子デバイスによって遂行されるとき、命令は、ポータブル電子デバイスが、図４に示される実施形態における方法を実行することを可能にする。
【０１９１】
本発明の実施形態はコンピュータ可読記憶媒体４をさらに提供し、このコンピュータ可読記憶媒体は１つまたは複数のプログラムを記憶し、この１つまたは複数のプログラムは命令を含み、複数のアプリケーションプログラムを含むポータブル電子デバイスによって遂行されるとき、命令は、ポータブル電子デバイスが、図７に示される実施形態における方法を実行することを可能にする。
【０１９２】
本発明の実施形態は、基地局とユーザ機器とを含む通信システムをさらに提供する。ユーザ機器は、前述の実施形態におけるユーザ機器１、ユーザ機器２、またはユーザ機器３であってよく、基地局は、前述の実施形態における基地局１または基地局２であってよい。
【０１９３】
図９は、本発明の実施形態による基準信号伝送方法の概略図である。図９における方法は、第１のデバイスによって実行される。第１のデバイスは、ユーザ機器であってもよいし、基地局などのネットワーク側デバイスであってもよい。
【０１９４】
９０１。第１のデバイスは、基準信号を搬送するシンボル上にあり、基準信号を送信するために使用される少なくとも１つの周波数領域リソースグループに対応する少なくとも１つの基準信号生成系列を決定する。
【０１９５】
１つの周波数領域リソースグループは、１つの基準信号生成系列に対応する。
【０１９６】
本発明のこの実施形態では、１つの周波数領域リソースグループは複数の周波数領域副搬送波を含んでよく、各周波数領域リソースグループは、同じ量の副搬送波を含んでもよいし、異なる量の副搬送波を含んでもよいことが理解されるべきである。
【０１９７】
本発明のこの実施形態では、基準信号を搬送するために使用されるシンボルは１つまたは複数のシンボルを含んでよいことが理解されるべきである。
【０１９８】
基準信号生成系列は、異なるタイプの系列、たとえば、ＺＣ系列または擬似ランダム系列を含んでもよいし、相関要件を満たす別の系列であってもよいことが理解されるべきである。このことは、本発明のこの実施形態では限定されない。
【０１９９】
第１のデバイスは、少なくとも１つの周波数領域リソースグループ上で基準信号を送信する。各周波数領域リソースグループは、基準信号の１つの基準信号系列を送信するために使用され、少なくとも１つの周波数領域リソースグループ上で送信される少なくとも１つの基準信号系列は、基準信号を形成する。各基準信号系列は、１つの基準信号生成系列を使用することによって生成され、第１のデバイスは、基準信号生成系列の量が周波数領域リソースグループの量と同じであることを決定する必要がある。１つの周波数領域リソースグループは１つの基準信号生成系列に対応し、異なる周波数領域リソースグループは、同じ基準信号生成系列を使用してもよいし、異なる基準信号生成系列を使用してもよい。１つの周波数領域リソースグループが１つの基準信号生成系列に対応し、周波数領域リソースグループと基準信号生成系列の間に１対１または多対１の対応があってよいことが理解されるべきである。たとえば、１つの周波数領域リソースグループインデックスは１つの基準信号生成系列インデックスに対応し、周波数領域リソースグループインデックスは、基準信号生成系列インデックスに関連することがある。具体的な例では、周波数領域リソースグループインデックス１、２、および３は、基準信号生成系列インデックス１に対応し、周波数領域リソースグループインデックス４は、基本系列インデックス２に対応する。言い換えれば、同じ基準信号生成系列または異なる基準信号生成系列が、異なる周波数領域リソースグループに使用されてよい。
【０２００】
任意選択で、実施形態では、基準信号生成系列は、第２のパラメータセットに基づいて第１のデバイスによって決定され、第２のパラメータセット内のパラメータは、ユーザ機器固有パラメータ、時間領域固有パラメータ、セル固有パラメータ、ネットワーク側デバイス固有パラメータ、周波数領域固有パラメータ、ネットワーク側構成パラメータ、および組み合わせパラメータ、のうちの１つまたは複数を含む。組み合わせパラメータは、ユーザ機器固有パラメータ、時間領域固有パラメータ、セル固有パラメータ、ネットワーク側デバイス固有パラメータ、周波数領域固有パラメータ、およびネットワーク側構成パラメータの中の複数のパラメータの組み合わせである。
【０２０１】
代替として、任意選択で、別の実施形態では、周波数領域リソースグループと基準信号生成系列の間の対応は、前もって承認されている。たとえば、基準信号生成系列と周波数領域リソースグループの周波数領域リソース場所の間のマッピング関係テーブルは、プロトコルにおいて指定されることがある。
【０２０２】
代替として、任意選択で、さらに別の実施形態では、第１のデバイスがユーザ機器であるとき、周波数領域リソースグループと基準信号生成系列の間の対応は、ネットワーク側デバイスによって第１のユーザ機器に送信される。
【０２０３】
９０２。第１のデバイスが、少なくとも１つの基準信号生成系列に基づいて基準信号を生成し、この基準信号を、その時間領域がシンボルであり、その周波数領域が少なくとも１つの周波数領域リソースグループである時間周波数リソースにマッピングする。
【０２０４】
第１のデバイスは、基準信号生成系列に基づいて基準信号を生成し、各基準信号生成系列は、基準信号の１つの基準信号系列を生成するために使用され、すべての生成された基準信号系列は基準信号を形成することが理解されるべきである。
【０２０５】
基準信号を生成した後、第１のデバイスは、基準信号を、基準信号を送信するための時間周波数リソースにマッピングしてよいことが理解されるべきである。時間周波数リソースの時間領域はシンボル（基準信号を搬送するシンボル）であり、周波数領域は、少なくとも１つの周波数領域リソースグループである。
【０２０６】
基準信号を時間周波数リソースにマッピングした後、第１のデバイスは基準信号を送信してよいことが理解されるべきである。
【０２０７】
本発明のこの実施形態では、異なる基準信号生成系列は、異なる周波数領域リソースグループに基づいて決定され、基準信号は、基準信号生成系列に基づいて生成され、対応する時間周波数リソースにマッピングされる。これは、異なる帯域幅内の異なるデバイスに対してＲＳ直交性／擬似直交性を実施する助けとなり、それによって、ＲＳリソース多重化効率を改善し、複数のデバイスのＲＳリソース多重化を実施する。
【０２０８】
任意選択で、実施形態では、第１のデバイスと第２のデバイスの両方が、基準信号を、その時間領域がシンボルであり、その周波数領域が第３の周波数領域リソースグループである時間周波数リソースにマッピングするとき、第３の基準信号生成系列に基づいて基準信号系列を生成するために第１のデバイスおよび第２のデバイスによって使用される循環シフトまたは直交カバーコードは、異なる。第３の周波数領域リソースグループは少なくとも１つの周波数領域リソースグループのうちの１つであり、第３の基準信号生成系列は、第３の周波数領域リソースグループに対応する基準信号生成系列である。
【０２０９】
任意選択で、この実施形態の具体的な実装形態では、循環シフトまたは直交カバーコードは、第１のパラメータセットに基づいて第１のデバイスによって決定され、第１のパラメータセット内のパラメータは、ユーザ機器固有パラメータ、時間領域固有パラメータ、セル固有パラメータ、ネットワーク側デバイス固有パラメータ、周波数領域固有パラメータ、およびネットワーク側構成パラメータ、のうちの１つまたは複数を含む。
【０２１０】
代替として、任意選択で、この実施形態の別の具体的な実装形態では、第１のデバイスがユーザ機器であるとき、循環シフトまたは直交カバーコードは、第１のデバイスに接続されたネットワーク側デバイスによって第１のデバイスに通知される。
【０２１１】
任意選択で、別の実施形態では、第１のデバイスと第２のデバイスの両方が、基準信号を、その時間領域がシンボルであり、その周波数領域が第３の周波数領域リソースグループである時間周波数リソースにマッピングするとき、第３の周波数領域リソースグループ上の第１のデバイスに対応する基準信号生成系列は、第３の周波数領域リソースグループ上の第２のデバイスに対応する基準信号生成系列とは異なる。
【０２１２】
たとえば、第３の周波数領域リソースグループは少なくとも１つの周波数領域リソースグループのうちの１つであり、第３の基準信号生成系列は、第３の周波数領域リソースグループ上の第１のデバイスに対応する基準信号生成系列であり、第４の基準信号生成系列は、第３の周波数領域リソースグループ上の第２のデバイスに対応する基準信号生成系列である。第１のデバイスと第２のデバイスは、基準信号を、その時間領域がシンボルであり、その周波数領域が第３の周波数領域リソースグループである時間周波数リソースにマッピングする。この場合、第１のデバイスは、第３の基準信号生成系列に基づいて基準信号を生成してよく、第２のデバイスは、第４の基準信号生成系列に基づいて基準信号を生成してよい。
【０２１３】
第１のデバイスは第１のユーザ機器であってよく、第２のデバイスは第２のユーザ機器であってよく、第１のユーザ機器および第２のユーザ機器は、同じネットワーク側デバイスに接続する／この上に存在してもよいし、異なるネットワーク側デバイスに接続する／この上に存在してもよく、または、第１のデバイスは第１のネットワーク側デバイスであってよく、第２のデバイスは第２のネットワーク側デバイスであってよく、または、第１のデバイスは第１のネットワーク側デバイスであってよく、第２のデバイスは第２のユーザ機器であってよく、それに／その上に第２のユーザ機器が接続する／存在するネットワーク側デバイスは、第１のネットワーク側デバイスと同じであってもよいし、これと異なってもよく、または、第１のデバイスは第１のユーザ機器であってよく、第２のデバイスは第２のネットワーク側デバイスであってよく、それに／その上に第１のユーザ機器が接続する／存在するネットワーク側デバイスは、第２のネットワーク側デバイスと同じであってもよいし、これと異なってもよいことが理解されるべきである。
【０２１４】
ネットワーク側デバイスは、ＬＴＥにおける進化型ＮｏｄｅＢ（Ｅｖｏｌｖｅｄ  ＮｏｄｅＢ、ｅＮＢ）またはＮＲにおける送信／受信点（Ｔｒａｎｓｍｉｓｓｉｏｎ／Ｒｅｃｅｐｔｉｏｎ  Ｐｏｉｎｔ、ＴＲＰ）などの、ユーザ機器をスケジュールおよび制御することが可能なデバイスであってよいことが理解されるべきである。
【０２１５】
任意選択で、実施形態では、基準信号生成系列は、第２のパラメータセットに基づいて第１のデバイスによって決定され、第２のパラメータセット内のパラメータは、ユーザ機器固有パラメータ、時間領域固有パラメータ、セル固有パラメータ、ネットワーク側デバイス固有パラメータ、周波数領域固有パラメータ、ネットワーク側構成パラメータ、および組み合わせパラメータ、のうちの１つまたは複数を含む。組み合わせパラメータは、ユーザ機器固有パラメータ、時間領域固有パラメータ、セル固有パラメータ、ネットワーク側デバイス固有パラメータ、周波数領域固有パラメータ、およびネットワーク側構成パラメータの中の複数のパラメータの組み合わせである。
【０２１６】
任意選択で、別の実施形態では、周波数領域リソースグループと基準信号生成系列の間の対応は、前もって承認されている。
【０２１７】
任意選択で、さらに別の実施形態では、第１のデバイスがユーザ機器であるとき、周波数領域リソースグループと基準信号生成系列の間の対応は、第１のデバイスに接続されたネットワーク側デバイスによって第１のデバイスに送信される。
【０２１８】
本発明のこの実施形態では、伝送のために異なる帯域幅を占有するデバイスが同じ周波数領域リソースグループ上でＲＳ直交性を実施するように、異なる循環シフトまたは直交カバーコードは、同じ周波数領域リソースグループ上の異なるデバイスの基準信号生成系列のために構成される、または、異なる基準信号生成系列は、同じ周波数領域リソースグループ上の異なるデバイスのために構成される。したがって、ＲＳリソース多重化効率は改善可能であり、複数のデバイスによるＲＳリソース多重化が実施可能である。
【０２１９】
さらに、ステップ９０１の具体的な実装形態は、第１のデバイスが、第１の周波数領域リソースグループに対応する第１の基準信号生成系列を決定し、第２の周波数領域リソースグループに対応する第２の基準信号生成系列を決定することである。この場合、ステップ９０２の具体的な実装形態は、第１のデバイスが、第１の基準信号生成系列に基づいて基準信号の第１の基準信号系列を生成し、この第１の基準信号系列を、その時間領域がシンボルであり、その周波数領域が第１の周波数領域リソースグループである時間周波数リソースにマッピングすることと、第１のユーザ機器が、第２の基準信号生成系列に基づいて基準信号の第２の基準信号系列を生成し、この第２の基準信号系列を、その時間領域がシンボルであり、その周波数領域が第２の周波数領域リソースグループである時間周波数リソースにマッピングすることである。
【０２２０】
第１の基準信号系列を生成するために第１のデバイスによって使用される循環シフトまたは直交カバーコードは、第２の基準信号系列を生成するために使用される循環シフトまたは直交カバーコードと同じであってもよいし、これと異なってもよいことが理解されるべきである。
【０２２１】
本発明のこの実施形態における方法は、以下で特定の実施形態を参照しながら、さらに説明される。
【０２２２】
図１０は、本発明の実施形態による複数のデバイスのＲＳリソース多重化の概略図である。図１０に示されるように、ＲＢは、４つの周波数領域リソースグループすなわち周波数領域におけるＮからＮ＋３と、７つのシンボルすなわち時間領域における０から６とを含む。デバイス１は、その時間領域がシンボル２であり、その周波数領域が周波数領域リソースグループＮからＮ＋３である時間周波数リソース上で、データを送信し、デバイス２は、その時間領域がシンボル４および５であり、その周波数領域が周波数領域リソースグループＮおよびＮ＋１である時間周波数リソース上で、データを送信し、デバイス３は、その時間領域がシンボル４および５であり、その周波数領域が周波数領域リソースグループＮ＋２およびＮ＋３である時間周波数リソース上で、データを送信する。デバイス１、デバイス２、およびデバイス３は、シンボル３（灰色グリッドで示される時間周波数リソース）上で基準信号を送信する。デバイス１は、その時間領域がシンボル３であり、その周波数領域が周波数領域リソースグループＮからＮ＋３である時間周波数リソース上で、基準信号を送信し、デバイス２は、その時間領域がシンボル３であり、その周波数領域が周波数領域リソースグループＮおよびＮ＋１である時間周波数リソース上で、基準信号を送信し、デバイス３は、その時間領域がシンボル３であり、その周波数領域が周波数領域リソースグループＮ＋２およびＮ＋３である時間周波数リソース上で、基準信号を送信する。
【０２２３】
本発明のこの実施形態では、１つの基準信号は、１つの基準信号生成系列に基づいて生成される１つの基準信号系列を含んでもよいし、複数の基本系列に基づいて生成される複数の基準信号系列を含んでもよい。
【０２２４】
本発明のこの実施形態では、１つの周波数領域リソースグループは１つの基準信号生成系列に対応し、複数の異なる周波数領域リソースグループ内の周波数領域リソースグループは、異なる基準信号生成系列に対応してもよいし、同じ基準信号生成系列に対応してもよい。各周波数領域リソースグループは、１つまたは複数の副搬送波を含んでよい。周波数領域リソースグループと基準信号生成系列の間の対応は、たとえば、周波数領域リソースグループインデックスが基準信号生成系列インデックスに関連することであってよい。たとえば、周波数領域リソースグループインデックス１、２、および３は基準信号生成系列インデックス１に対応し、周波数領域リソースグループインデックス５は基準信号生成系列インデックス２に対応する。図１０における周波数領域リソースグループＮ、Ｎ＋１、Ｎ＋２、およびＮ＋３はそれぞれ、基準信号生成系列Ｍ０、Ｍ１、Ｍ２、およびＭ３に対応すると仮定される。Ｍ０、Ｍ１、Ｍ２、およびＭ３は、同じであってもよいし、互いと異なってもよいし、部分的に同じであってもよい。
【０２２５】
さらに、特定の周波数領域リソースグループ上でデバイスによって使用される基準信号生成系列は、第２のパラメータセットに基づいてデバイスによって決定されてよいことが理解されるべきである。第２のパラメータセット内のパラメータは、ユーザ機器固有パラメータ、時間領域固有パラメータ、セル固有パラメータ、ネットワーク側デバイス固有パラメータ、周波数領域固有パラメータ、ネットワーク側構成パラメータ、および組み合わせパラメータ、のうちの１つまたは複数を含む。組み合わせパラメータは、ユーザ機器固有パラメータ、時間領域固有パラメータ、セル固有パラメータ、ネットワーク側デバイス固有パラメータ、周波数領域固有パラメータ、およびネットワーク側構成パラメータの中の複数のパラメータの特徴の組み合わせである。代替として、第２のパラメータセットは、プロトコルにおいて指定されてもよいし、デバイスがユーザ機器であるとき、ネットワーク側デバイスによってユーザ機器に通知されてもよい。このことは、本発明のこの実施形態では限定されない。
【０２２６】
１つのデバイスの場合、デバイスは、占有された周波数領域リソースグループ上で、周波数領域リソースグループに対応する基準信号生成系列を使用して、基準信号の基準信号系列を生成し、この基準信号系列を周波数領域リソースグループに対応する時間周波数リソースにマッピングする。
【０２２７】
デバイス１は、一例として使用される。デバイス１は、基準信号生成系列Ｍ０、Ｍ１、Ｍ２、およびＭ３に基づいて基準信号系列を別個に生成し、この基準信号系列を、その時間領域がシンボル３であり、その周波数領域が周波数領域リソースグループＮ、Ｎ＋１、Ｎ＋２、およびＮ＋３である時間周波数リソースに別個にマッピングする。
【０２２８】
基準信号生成系列に基づいて基準信号系列を生成するとき、デバイスは、対応する直交パラメータを使用して、異なるデバイスの基準信号間の直交性／擬似直交性を保証することがあることが理解されるべきである。たとえば、使用される基準信号生成系列がＺＣ系列であるとき、直交パラメータは循環シフトである、または、使用される基準信号生成系列が擬似ランダム系列であるとき、直交パラメータは直交カバーコードである。使用される直交パラメータは、第１のパラメータセットに基づいてデバイスによって決定されてよい。第１のパラメータセット内のパラメータは、ユーザ機器固有パラメータ、時間領域固有パラメータ、セル固有パラメータ、ネットワーク側デバイス固有パラメータ、周波数領域固有パラメータ、およびネットワーク側構成パラメータ、のうちの１つまたは複数を含む。デバイスがユーザ機器であるとき、第１のパラメータセットは、ネットワーク側デバイスによってユーザ機器に通知されてよい。このことは、本発明のこの実施形態では限定されない。
【０２２９】
基準信号生成系列に基づいて基準信号系列を生成するために同じデバイスによって使用される直交パラメータは、同じであってもよいし、異なってもよく、デバイスは、好ましくは、同じ直交パラメータを使用する。同じデバイスによって使用される直交パラメータが同じとき、デバイスは、パラメータに基づいて循環シフトを決定してよい。この場合、デバイスがユーザ機器である場合、ネットワーク側デバイスは、ユーザ機器に、１つの直交パラメータのみを通知してよい。
【０２３０】
同じ周波数領域リソースグループ上で、異なるデバイスは、同じ基準信号生成系列の異なる直交パラメータを使用して、それぞれの基準信号系列を生成してよい。たとえば、周波数領域リソースグループＮ上で、基準信号生成系列Ｍ０を使用することによって基準信号系列を生成するためにデバイス１およびデバイス２によって使用される直交パラメータは、異なる。さらに、同じ周波数領域リソースグループ上で、異なるデバイスは、異なる基準信号生成系列を使用して、それぞれの基準信号系列を生成してよい。たとえば、周波数領域リソースグループＮ上で、デバイス１およびデバイス２は、基準信号生成系列Ｍ０１およびＭ０２を使用することによって、それぞれの基準信号系列を別個に生成する。
【０２３１】
各周波数領域リソースグループ上で図１０における各デバイスによって使用される基準信号生成系列および直交パラメータの５つの具体的な例が、表２、表３、表４、表５、および表６に示されている。
【０２３２】
【表２】
2019516301.tif 000004
【０２３３】
【表３】
2019516301.tif 000005
【０２３４】
【表４】
2019516301.tif 000006
【０２３５】
【表５】
2019516301.tif 000007
【０２３６】
【表６】
2019516301.tif 000008
【０２３７】
表２に示されるように、１つのデバイスの観点から、複数の基準信号生成系列の同じ直交パラメータが、送信されるデータに対応するＲＳに使用されることがある。
【０２３８】
表３に示されるように、１つのデバイスの観点から、複数の基準信号生成系列の異なる直交パラメータが、送信されるデータに対応するＲＳに使用されることがある。
【０２３９】
表４に示されるように、１つのデバイスの観点から、異なる周波数領域リソースグループ上で、同じ基準信号生成系列が、送信されるデータに対応するＲＳに使用されることがある。
【０２４０】
表５に示されるように、異なるデバイスの観点から、同じ周波数領域リソースグループ上で、異なる基準信号生成系列が、送信されるデータに対応するＲＳに使用されることがある。１つのデバイスの観点から、異なる周波数領域リソースグループ上で、異なる基準信号生成系列が、送信されるデータに対応するＲＳに使用されることがある。
【０２４１】
表６に示されるように、異なるデバイスの観点から、同じ周波数領域リソースグループ上で、異なる基準信号生成系列が、送信されるデータに対応するＲＳに使用されることがある。１つのデバイスの観点から、異なる周波数領域リソースグループ上で、同じ基準信号生成系列が、送信されるデータに対応するＲＳに使用されることがある。
【０２４２】
本発明のこの実施形態では、基準信号を生成するために使用される基準信号生成系列は周波数領域リソースグループに対応し、したがって、ＲＳリソース多重化率が増加可能であり、複数のデバイスのＲＳリソース多重化が実施可能であり、複数のデバイスのＲＳ間の直交性／擬似直交性がさらに保証可能である。
【０２４３】
本発明の実施形態は、図９に示される実施形態において第１のデバイスによって実行される方法を実行するように構成されたデバイス１をさらに開示する。このデバイスは、図９に示される実施形態において第１のデバイスによって実行される方法を実行するように構成されたユニットを含んでよい。
【０２４４】
具体的には、デバイスは、決定ユニットと、信号生成ユニットとを含んでよい。決定ユニットは、基準信号を搬送するシンボル上にあり、基準信号を送信するために使用される少なくとも１つの周波数領域リソースグループに対応する少なくとも１つの基準信号生成系列を決定するように構成され、１つの周波数領域リソースグループは、１つの基準信号生成系列に対応する。信号生成ユニットは、少なくとも１つの基準信号生成系列に基づいて基準信号を生成し、基準信号を、その時間領域がシンボルであり、その周波数領域が少なくとも１つの周波数領域リソースグループである時間周波数リソースにマッピングするように構成される。
【０２４５】
任意選択で、実施形態では、第１のデバイスと第２のデバイスの両方が、基準信号を、その時間領域がシンボルであり、その周波数領域が第３の周波数領域リソースグループである時間周波数リソースにマッピングするとき、第３の基準信号生成系列に基づいて基準信号を生成するために第１のデバイスおよび第２のデバイスによって使用される循環シフトまたは直交カバーコードは、異なる。第３の周波数領域リソースグループは少なくとも１つの周波数領域リソースグループのうちの１つであり、第３の基準信号生成系列は、第３の周波数領域リソースグループに対応する基準信号生成系列である。
【０２４６】
任意選択で、この実施形態の実装形態では、循環シフトまたは直交カバーコードは、第１のパラメータセットに基づいて第１のデバイスによって決定され、第１のパラメータセット内のパラメータは、ユーザ機器固有パラメータ、時間領域固有パラメータ、セル固有パラメータ、ネットワーク側デバイス固有パラメータ、周波数領域固有パラメータ、およびネットワーク側構成パラメータ、のうちの１つまたは複数を含む。
【０２４７】
代替として、任意選択で、この実施形態の別の実装形態では、第１のデバイスがユーザ機器であるとき、循環シフトまたは直交カバーコードは、第１のデバイスに接続されたネットワーク側デバイスによって第１のデバイスに通知される。
【０２４８】
任意選択で、別の実施形態では、第１のデバイスと第２のデバイスの両方が、基準信号を、その時間領域がシンボルであり、その周波数領域が第３の周波数領域リソースグループである時間周波数リソースにマッピングするとき、この第３の周波数領域リソースグループ上の第１のデバイスに対応する基準信号生成系列は、第３の周波数領域リソースグループ上の第２のデバイスに対応する基準信号生成系列とは異なる。
【０２４９】
任意選択で、決定ユニットは、具体的には、第１の周波数領域リソースグループに対応する第１の基準信号生成系列を決定し、第２の周波数領域リソースグループに対応する第２の基準信号生成系列を決定するように構成される。信号生成ユニットは、具体的には、第１の基準信号生成系列に基づいて基準信号の第１の基準信号系列を生成して、この第１の基準信号系列を、その時間領域がシンボルであり、その周波数領域が第１の周波数領域リソースグループである時間周波数リソースにマッピングし、第２の基準信号生成系列に基づいて基準信号の第２の基準信号系列を生成して、この第２の基準信号系列を、その時間領域がシンボルであり、その周波数領域が第１の周波数領域リソースグループである時間周波数リソースにマッピングするように構成される。
【０２５０】
任意選択で、基準信号生成系列は、第２のパラメータセットに基づいてデバイスによって決定され、第２のパラメータセット内のパラメータは、ユーザ機器固有パラメータ、時間領域固有パラメータ、セル固有パラメータ、ネットワーク側デバイス固有パラメータ、周波数領域固有パラメータ、ネットワーク側構成パラメータ、および組み合わせパラメータ、のうちの１つまたは複数を含む。組み合わせパラメータは、ユーザ機器固有パラメータ、時間領域固有パラメータ、セル固有パラメータ、ネットワーク側デバイス固有パラメータ、周波数領域固有パラメータ、およびネットワーク側構成パラメータの中の複数のパラメータの組み合わせである。
【０２５１】
代替として、任意選択で、周波数領域リソースグループと基準信号生成系列の間の対応は、前もって承認されている。
【０２５２】
代替として、任意選択で、デバイスがユーザ機器であるとき、周波数領域リソースグループと基準信号生成系列の間の対応が、デバイスに接続されたネットワーク側デバイスによってデバイスに送信される。
【０２５３】
本発明の実施形態は、デバイス２をさらに開示する。デバイスの物理装置の概略的構造図は、図８における物理装置８００であってよく、この物理装置８００は、プロセッサ８０２と、メモリ８０３と、送信機８０１と、受信機８０４とを含む。
【０２５４】
受信機８０４、送信機８０１、プロセッサ８０２、およびメモリ８０３は、バスシステム８０６を使用することによって互いに接続される。バス８０６は、ＩＳＡバス、ＰＣＩバス、ＥＩＳＡバスなどであってよい。バスは、アドレスバス、データバス、制御バスなどに分類されてよい。標識しやすいように、バスは、図６における両方向矢印１つのみを使用することによって示される。しかしながら、それは、１つのバスのみまたは１つのタイプのバスのみがあることを意味しない。特定の適用例では、送信機８０１および受信機８０４は、アンテナ８０５に結合されてよい。
【０２５５】
任意選択で、いくつかの実施形態では、受信機８０４、送信機８０１、プロセッサ８０２、およびメモリ８０３は、制御および／またはデータ信号を送信するために、内部リンクを使用することによって互いとさらに通信してよい。
【０２５６】
メモリ８０３は、プログラムを記憶するように構成される。具体的には、プログラムはプログラムコードを含んでよく、プログラムコードはコンピュータ動作命令を含む。メモリ８０３は、読み出し専用メモリとランダムアクセスメモリとを含み、プロセッサ８０２に命令およびデータを提供してよい。メモリ８０３は、高速ＲＡＭメモリを含んでよく、非一時的なメモリ（ｎｏｎ−ｔｒａｎｓｉｔｏｒｙ  ｍｅｍｏｒｙ）、たとえば、少なくとも１つのディスクメモリをさらに含んでよい。
【０２５７】
プロセッサ８０２は、メモリ８０３内に記憶されたプログラムを遂行するように構成される。
【０２５８】
具体的には、デバイス内で、プロセッサ８０２は、以下の方法、すなわち、
基準信号を搬送するシンボル上にあり、この基準信号を送信するために使用される少なくとも１つの周波数領域リソースグループに対応する少なくとも１つの基準信号生成系列を決定することであって、１つの周波数領域リソースグループは１つの基準信号生成系列に対応する、決定することと、
少なくとも１つの基準信号生成系列に基づいて基準信号を生成し、基準信号を、その時間領域がシンボルであり、その周波数領域が少なくとも１つの周波数領域リソースグループである時間周波数リソースにマッピングすることと
を実行するように構成される。
【０２５９】
第１のデバイスによって実行され、本発明の図９における実施形態に開示されている前述の方法は、プロセッサ８０２に適用されてもよいし、プロセッサ８０２によって実施されてもよい。プロセッサ８０２は、集積回路チップであってよく、信号処理性能を有する。実装形態プロセスでは、前述の方法におけるステップは、プロセッサ８０２内のハードウェアの集積論理回路またはソフトウェアの形をとる命令を使用することによって完了されてよい。プロセッサ８０２は、ＣＰＵ、ネットワークプロセッサ（Ｎｅｔｗｏｒｋ  Ｐｒｏｃｅｓｓｏｒ、ＮＰ）などを含む汎用プロセッサであってもよいし、ＤＳＰ、ＡＳＩＣ、ＦＰＧＡ、または別のプログラマブル論理デバイス、ディスクリートゲートもしくはトランジスタ論理デバイス、またはディスクリートハードウェア構成要素であってもよい。プロセッサ８０２は、本発明の実施形態に開示されている方法、ステップ、および論理ブロック図を実施または実行してよい。汎用プロセッサはマイクロプロセッサであってもよいし、プロセッサは任意の従来のプロセッサなどであってよい。本発明の実施形態を参照して開示される方法のステップは、ハードウェア復号プロセッサを使用することによって直接的に実行および完了されてもよいし、復号プロセッサ内でハードウェアモジュールとソフトウェアモジュールの組み合わせを使用することによって実行および完了されてもよい。ソフトウェアモジュールは、ランダムアクセスメモリ、フラッシュメモリ、読み出し専用メモリ、プログラマブル読み出し専用メモリ、電気的消去可能プログラマブルメモリ、またはレジスタなどの、当分野における十分発達した記憶媒体内に配置されてよい。記憶媒体は、メモリ８０３内に配置される。プロセッサ８０２は、メモリ８０３内の情報を読み取り、プロセッサのハードウェアと組み合わせて前述の方法のステップを完了する。
【０２６０】
任意選択で、実施形態では、第１のデバイスと第２のデバイスの両方が、基準信号を、その時間領域がシンボルであり、その周波数領域が第３の周波数領域リソースグループである時間周波数リソースにマッピングするとき、第３の基準信号生成系列に基づいて基準信号系列を生成するために第１のデバイスおよび第２のデバイスによって使用される循環シフトまたは直交カバーコードは、異なる。第３の周波数領域リソースグループは少なくとも１つの周波数領域リソースグループのうちの１つであり、第３の基準信号生成系列は、第３の周波数領域リソースグループに対応する基準信号生成系列である。
【０２６１】
任意選択で、この実施形態の具体的な実装形態では、循環シフトまたは直交カバーコードは、第１のパラメータセットに基づいて第１のデバイスによって決定され、第１のパラメータセット内のパラメータは、ユーザ機器固有パラメータ、時間領域固有パラメータ、セル固有パラメータ、ネットワーク側デバイス固有パラメータ、周波数領域固有パラメータ、およびネットワーク側構成パラメータ、のうちの１つまたは複数を含む。
【０２６２】
代替として、任意選択で、この実施形態の別の具体的な実装形態では、第１のデバイスがユーザ機器であるとき、循環シフトまたは直交カバーコードは、第１のデバイスに接続されたネットワーク側デバイスによって第１のデバイスに通知される。
【０２６３】
任意選択で、別の実施形態では、第１のデバイスと第２のデバイスの両方が、基準信号を、その時間領域がシンボルであり、その周波数領域が第３の周波数領域リソースグループである時間周波数リソースにマッピングするとき、第３の周波数領域リソースグループ上の第１のデバイスに対応する基準信号生成系列は、第３の周波数領域リソースグループ上の第２のデバイスに対応する基準信号生成系列とは異なる。
【０２６４】
任意選択で、実施形態では、基準信号生成系列は、第２のパラメータセットに基づいて第１のデバイスによって決定され、第２のパラメータセット内のパラメータは、ユーザ機器固有パラメータ、時間領域固有パラメータ、セル固有パラメータ、ネットワーク側デバイス固有パラメータ、周波数領域固有パラメータ、ネットワーク側構成パラメータ、および組み合わせパラメータ、のうちの１つまたは複数を含む。組み合わせパラメータは、ユーザ機器固有パラメータ、時間領域固有パラメータ、セル固有パラメータ、ネットワーク側デバイス固有パラメータ、周波数領域固有パラメータ、およびネットワーク側構成パラメータの中の複数のパラメータの組み合わせである。
【０２６５】
任意選択で、別の実施形態では、周波数領域リソースグループと基準信号生成系列の間の対応は、前もって承認されている。
【０２６６】
任意選択で、さらに別の実施形態では、第１のデバイスがユーザ機器であるとき、周波数領域リソースグループと基準信号生成系列の間の対応は、第１のデバイスに接続されたネットワーク側デバイスによって第１のデバイスに送信される。
【０２６７】
さらに、基準信号を搬送するシンボル上にあり、基準信号を送信するために使用される少なくとも１つの周波数領域リソースグループに対応する少なくとも１つの基準信号生成系列をプロセッサ８０２によって決定する具体的な実装形態は、プロセッサ８０２が、第１の周波数領域リソースグループに対応する第１の基準信号生成系列を決定し、第２の周波数領域リソースグループに対応する第２の基準信号生成系列を決定することである。この場合、少なくとも１つの基準信号生成系列に基づいて基準信号をプロセッサ８０２によって生成し、基準信号を、その時間領域がシンボルであり、その周波数領域が少なくとも１つの周波数領域リソースグループである時間周波数リソースにマッピングする具体的な実装形態は、プロセッサ８０２が、第１の基準信号生成系列に基づいて基準信号の第１の基準信号系列を生成し、この第１の基準信号系列を、その時間領域がシンボルであり、その周波数領域が第１の周波数領域リソースグループである時間周波数リソースにマッピングし、第２の基準信号生成系列に基づいて基準信号の第２の基準信号系列を生成して、この第２の基準信号系列を、その時間領域がシンボルであり、その周波数領域が第２の周波数領域リソースグループである時間周波数リソースにマッピングすることである。
【０２６８】
本発明の実施形態はコンピュータ可読記憶媒体４をさらに提供し、このコンピュータ可読記憶媒体は１つまたは複数のプログラムを記憶し、この１つまたは複数のプログラムは命令を含み、複数のアプリケーションプログラムを含むポータブル電子デバイスによって遂行されるとき、命令は、ポータブル電子デバイスが、図９に示される実施形態における方法を実行することを可能にする。
【０２６９】
本発明の実施形態は、前述のデバイス１またはデバイス２を含む通信システムをさらに提供する。
【０２７０】
当業者は、本明細書に開示されている実施形態において説明された例と組み合わせて、ユニットおよびアルゴリズムステップは、電子ハードウェアまたはコンピュータソフトウェアと電子ハードウェアの組み合わせによって実施されてよいことを認識してよい。機能がハードウェアによって実行されるかソフトウェアによって実行されるかは、特定の適用例および技術的解決策の設計制約条件に依存する。当業者は、異なる方法を使用して、各特定の適用例のために説明された機能を実施し得るが、実装形態が本発明の実施形態の範囲を越えることが考慮されるべきではない。
【０２７１】
簡便で簡潔な説明の目的で、前述のシステム、装置、およびユニットの詳細な作業プロセスについて、前述の方法実施形態における対応するプロセスに対して参照がなされてよく、詳細は、本明細書において再度説明されないことが、当業者によって明確に理解され得る。
【０２７２】
本出願において提供されるいくつかの実施形態では、開示されるシステム、装置、および方法は他の様式で実施されてよいことが理解されるべきである。たとえば、説明される装置実施形態は例にすぎない。たとえば、ユニット分割は、論理機能分割にすぎず、実際の実装形態では他の分割であってよい。たとえば、複数のユニットまたは構成要素が別のシステムへと組み合わされても統合されてもよいし、いくつかの特徴が無視されてもよいし、実行されなくてもよい。さらに、表示または議論された相互的な結合または直接的な結合もしくは通信接続は、いくつかのインタフェースを使用することによって実施されてよい。装置またはユニット間の間接的な結合または通信接続は、電子的な形、機械的な形、または他の形で実施されてよい。
【０２７３】
別個の部分として説明されるユニットは物理的に別個であってもなくてもよく、ユニットとして表示された部分は、物理的ユニットであってもなくてもよく、１つの位置に配置されてもよいし、複数のネットワークユニット上に分散されてもよい。ユニットのうちのいくつかまたはすべては、実施形態の解決策の目的を達成するために、実際の要件に基づいて選択されてよい。
【０２７４】
さらに、本発明の実施形態における機能ユニットが１つの処理ユニットへと統合されてもよいし、ユニットの各々が物理的に単体で存在してもよいし、２つ以上のユニットが１つのユニットへと統合される。
【０２７５】
機能が、ソフトウェア機能ユニットの形で実施され、独立した製品として販売または使用されるとき、機能は、コンピュータ可読記憶媒体内に記憶されてよい。そのような理解に基づいて、本発明の実施形態の技術的解決策は本質的に、または従来技術に寄与する部分、または技術的解決策のうちのいくつかは、ソフトウェア製品の形で実施されてよい。コンピュータソフトウェア製品は、記憶媒体内に記憶され、本発明の実施形態において説明された方法のステップのうちのすべてまたはいくつかを実行するようにコンピュータデバイス（パーソナルコンピュータ、サーバ、またはネットワークデバイスであってよい）に指示するためのいくつかの命令を含む。前述の記憶媒体は、ＵＳＢフラッシュドライブ、リムーバブルハードディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなどの、プログラムコードを記憶可能な任意の媒体を含む。
【０２７６】
前述の説明は、本発明の具体的な実装形態にすぎないが、本発明の保護範囲を制限することを意図したものではない。本発明に開示されている技術的範囲内で当業者によって容易に考え出されるいかなる変形または置き換えも、本発明の保護範囲内に含まれるものとする。したがって、本発明の保護範囲は、特許請求の範囲の保護範囲に従うものとする。
【図１】
2019516301.tif 000009
【図２】
2019516301.tif 000010
【図３】
2019516301.tif 000011
【図４】
2019516301.tif 000012
【図５】
2019516301.tif 000013
【図６】
2019516301.tif 000014
【図７】
2019516301.tif 000015
【図８】
2019516301.tif 000016
【図９】
2019516301.tif 000017
【図１０】
2019516301.tif 000018
【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
基準信号を搬送するシンボル上にあり、前記基準信号を送信するために使用される少なくとも１つの周波数領域リソースグループに対応する少なくとも１つの基準信号生成系列を第１のデバイスによって決定するステップであって、１つの周波数領域リソースグループが１つの基準信号生成系列に対応する、決定するステップと、
前記少なくとも１つの基準信号生成系列に基づいて前記基準信号を前記第１のデバイスによって生成し、前記基準信号を、その時間領域が前記シンボルであり、その周波数領域が前記少なくとも１つの周波数領域リソースグループである時間周波数リソースにマッピングするステップとを含む基準信号伝送方法。
【請求項２】
前記第１のデバイスと第２のデバイスの両方が、基準信号を、その時間領域が前記シンボルであり、その周波数領域が第３の周波数領域リソースグループである時間周波数リソースにマッピングするとき、第３の基準信号生成系列に基づいて前記基準信号を生成するために前記第１のデバイスおよび前記第２のデバイスによって使用される循環シフトまたは直交カバーコードが異なり、前記第３の周波数領域リソースグループが前記少なくとも１つの周波数領域リソースグループのうちの１つであり、前記第３の基準信号生成系列が前記第３の周波数領域リソースグループに対応する基準信号生成系列である請求項１に記載の方法。
【請求項３】
前記循環シフトもしくは前記直交カバーコードが、第１のパラメータセットに基づいて前記第１のデバイスによって決定され、前記第１のパラメータセット内のパラメータが、ユーザ機器固有パラメータ、時間領域固有パラメータ、セル固有パラメータ、ネットワーク側デバイス固有パラメータ、周波数領域固有パラメータ、ネットワーク側構成パラメータ、および組み合わせパラメータ、のうちの１つもしくは複数を含み、前記組み合わせパラメータが、前記ユーザ機器固有パラメータ、前記時間領域固有パラメータ、前記セル固有パラメータ、前記ネットワーク側デバイス固有パラメータ、前記周波数領域固有パラメータ、および前記ネットワーク側構成パラメータの中の複数のパラメータの組み合わせである、または、
前記第１のデバイスがユーザ機器であるとき、前記循環シフトもしくは前記直交カバーコードが、前記第１のデバイスに接続されたネットワーク側デバイスによって前記第１のデバイスに通知される請求項２に記載の方法。
【請求項４】
前記第１のデバイスと第２のデバイスの両方が、基準信号を、その時間領域が前記シンボルであり、その周波数領域が第３の周波数領域リソースグループである時間周波数リソースにマッピングするとき、前記第３の周波数領域リソースグループ上の前記第１のデバイスに対応する基準信号生成系列が、第３の周波数領域リソースグループ上の前記第２のデバイスに対応する基準信号生成系列とは異なる請求項１に記載の方法。
【請求項５】
基準信号を搬送するシンボル上にあり、前記基準信号を送信するために使用される少なくとも１つの周波数領域リソースグループに対応する少なくとも１つの基準信号生成系列を決定するように構成された決定ユニットであって、１つの周波数領域リソースグループが１つの基準信号生成系列に対応する、決定ユニットと、
前記少なくとも１つの基準信号生成系列に基づいて前記基準信号を生成し、前記基準信号を、その時間領域が前記シンボルであり、その周波数領域が前記少なくとも１つの周波数領域リソースグループである時間周波数リソースにマッピングするように構成された信号生成ユニットとを備えるデバイス。
【請求項６】
前記デバイスと第２のデバイスの両方が、基準信号を、その時間領域が前記シンボルであり、その周波数領域が第３の周波数領域リソースグループである時間周波数リソースにマッピングするとき、第３の基準信号生成系列に基づいて前記基準信号を生成するために前記デバイスおよび前記第２のデバイスによって使用される循環シフトまたは直交カバーコードが異なり、前記第３の周波数領域リソースグループが前記少なくとも１つの周波数領域リソースグループのうちの１つであり、前記第３の基準信号生成系列が前記第３の周波数領域リソースグループに対応する基準信号生成系列である請求項５に記載のデバイス。
【請求項７】
前記決定ユニットが、第１の周波数領域リソースグループに対応する第１の基準信号生成系列を決定し、第２の周波数領域リソースグループに対応する第２の基準信号生成系列を決定するように構成され、
前記信号生成ユニットが、前記第１の基準信号生成系列に基づいて前記基準信号の第１の基準信号系列を生成して、前記第１の基準信号系列を、その時間領域が前記シンボルであり、その周波数領域が前記第１の周波数領域リソースグループである時間周波数リソースにマッピングし、前記第２の基準信号生成系列に基づいて前記基準信号の第２の基準信号系列を生成して、前記第２の基準信号系列を、その時間領域が前記シンボルであり、その周波数領域が前記第２の周波数領域リソースグループである時間周波数リソースにマッピングするように構成される請求項５または６に記載のデバイス。
【請求項８】
前記基準信号生成系列が、第２のパラメータセットに基づいて前記デバイスによって決定され、前記第２のパラメータセット内のパラメータが、ユーザ機器固有パラメータ、時間領域固有パラメータ、セル固有パラメータ、ネットワーク側デバイス固有パラメータ、周波数領域固有パラメータ、ネットワーク側構成パラメータ、および組み合わせパラメータ、のうちの１つもしくは複数を含み、前記組み合わせパラメータが、前記ユーザ機器固有パラメータ、前記時間領域固有パラメータ、前記セル固有パラメータ、前記ネットワーク側デバイス固有パラメータ、前記周波数領域固有パラメータ、および前記ネットワーク側構成パラメータの中の複数のパラメータの組み合わせである、または
前記周波数領域リソースグループと前記基準信号生成系列の間の対応が事前定義されている、または
前記デバイスがユーザ機器であるとき、前記周波数領域リソースグループと前記基準信号生成系列の間の対応が、前記デバイスに接続されたネットワーク側デバイスによって前記デバイスに送信される請求項５乃至７のいずれかに記載のデバイス。
【請求項９】
ユーザ機器の基準信号を搬送する周波数領域リソースを前記ユーザ機器によって決定するステップであって、前記周波数領域リソースが、周波数領域内で等間隔に分散された副搬送波であり、前記基準信号がデータチャネル復調に使用される、決定するステップと、
前記周波数領域リソース上で基地局に前記基準信号を前記ユーザ機器によって送信するステップ、または、基地局によって送信された前記基準信号を前記周波数領域リソース上で前記ユーザ機器によって受信するステップとを含む基準信号通信方法。
【請求項１０】
前記ユーザ機器の基準信号を搬送する周波数領域リソースをユーザ機器によって決定する前記ステップが、
前記ユーザ機器の前記基準信号を搬送する前記周波数領域リソースを第１のパラメータに基づいて前記ユーザ機器によって決定するステップを含み、
前記第１のパラメータが、以下のパラメータ、すなわち、ユーザ機器固有パラメータ、時間領域固有パラメータ、セル固有パラメータ、周波数領域固有パラメータ、および前記基地局からの第１の構成パラメータ、のうちの少なくとも１つを含む請求項９に記載の方法。
【請求項１１】
前記基地局からの前記第１の構成パラメータが、以下のパラメータ、すなわち、アンテナポート、伝送コムの周波数領域開始場所、伝送コムインデックス、および副搬送波セットインデックス、のうちの少なくとも１つを含む請求項１０に記載の方法。
【請求項１２】
前記ユーザ機器が、前記基準信号の系列に使用される循環シフトおよび／または直交カバーコードを第２のパラメータに基づいて決定し、
前記第２のパラメータが、以下のパラメータ、すなわち、前記ユーザ機器固有パラメータ、前記時間領域固有パラメータ、前記セル固有パラメータ、前記周波数領域固有パラメータ、および前記基地局からの第２の構成パラメータ、のうちの少なくとも１つを含む請求項９乃至１１のいずれかに記載の方法。
【請求項１３】
前記基地局からの前記第２の構成パラメータが、以下のパラメータ、すなわち、前記アンテナポート、前記伝送コムの前記周波数領域開始場所、前記伝送コムインデックス、前記副搬送波セットインデックス、循環シフト識別子、および直交カバーコード識別子、のうちの少なくとも１つを含む請求項１２に記載の方法。
【請求項１４】
ユーザ機器であって、
前記ユーザ機器の基準信号を搬送する周波数領域リソースを決定するように構成された決定ユニットであって、前記周波数領域リソースが、周波数領域内で等間隔に分散された副搬送波であり、前記基準信号がデータチャネル復調に使用される、決定ユニットと、
前記周波数領域リソース上で基地局に前記基準信号を送信する、または基地局によって送信された前記基準信号を前記周波数領域リソース上で受信するように構成されたトランシーバユニットとを備えるユーザ機器。
【請求項１５】
前記決定ユニットが、前記ユーザ機器の前記基準信号を搬送する前記周波数領域リソースを第１のパラメータに基づいて決定するように構成され、
前記第１のパラメータが、以下のパラメータ、すなわち、ユーザ機器固有パラメータ、時間領域固有パラメータ、セル固有パラメータ、周波数領域固有パラメータ、および前記基地局からの第１の構成パラメータ、のうちの少なくとも１つを含む請求項１４に記載のユーザ機器。
【手続補正２】
【補正対象書類名】明細書
【補正対象項目名】全文
【補正方法】変更
【補正の内容】
【発明の詳細な説明】
【技術分野】
【０００１】
本発明の実施形態は、通信分野に関し、より詳細には、基準信号伝送方法、デバイス、およびシステムに関する。
【背景技術】
【０００２】
本出願は、参照によりその全体が本明細書に組み込まれる、２０１６年４月８日に中国特許庁に出願された「ＲＥＦＥＲＥＮＣＥ  ＳＩＧＮＡＬ  ＴＲＡＮＳＭＩＳＳＩＯＮ  ＭＥＴＨＯＤ，  ＵＳＥＲ  ＥＱＵＩＰＭＥＮＴ，  ＢＡＳＥ  ＳＴＡＴＩＯＮ，  ＡＮＤ  ＳＹＳＴＥＭ」という名称の中国特許出願第２０１６１０２１８１１０．４号の優先権を主張するものである。
【０００３】
本出願は、参照によりその全体が本明細書に組み込まれる、２０１６年９月２９日に中国特許庁に出願された「ＲＥＦＥＲＥＮＣＥ  ＳＩＧＮＡＬ  ＴＲＡＮＳＭＩＳＳＩＯＮ  ＭＥＴＨＯＤ，  ＤＥＶＩＣＥ，  ＡＮＤ  ＳＹＳＴＥＭ」という名称の中国特許出願第２０１６１０８６７１１５．Ｘ号の優先権を主張するものである。
【０００４】
第５世代（５ｔｈ  Ｇｅｎｅｒａｔｉｏｎ、５Ｇ）ネットワークは、ＮＲ（Ｎｅｗ  Ｒａｄｉｏ／ＲＡＴ）とも呼ばれる。国際電気通信連合（Ｉｎｔｅｒｎａｔｉｏｎａｌ  Ｔｅｌｅｃｏｍｍｕｎｉｃａｔｉｏｎｓ  Ｕｎｉｏｎ、ＩＴＵ）は、５Ｇの予想および要件における３つのタイプのサービス、すなわち、拡張モバイルブロードバンド（Ｅｎｈａｎｃｅｄ  Ｍｏｂｉｌｅ  Ｂｒｏａｄｂａｎｄ、ｅＭＢＢ）サービス、超高信頼低遅延通信（Ｕｌｔｒａ−ｒｅｌｉａｂｌｅ  ａｎｄ  Ｌｏｗ  Ｌａｔｅｎｃｙ  Ｃｏｍｍｕｎｉｃａｔｉｏｎｓ、ＵＲＬＬＣ）サービス、および大規模マシンタイプ通信（Ｍａｓｓｉｖｅ  Ｍａｃｈｉｎｅ  Ｔｙｐｅ  Ｃｏｍｍｕｎｉｃａｔｉｏｎ、ｍＭＴＣ）サービスを定義する。ＵＲＬＬＣサービスにおける予想遅延は極めて短く、最短遅延は１ｍｓにすぎない。ＵＲＬＬＣサービスは緊急遅延を有するので、データが到着すると、リソースが直ちにスケジュールされ、待機なしに割り当てられることが必要である。さらに、ＵＲＬＬＣサービスは高信頼性要件を有し、通常、９９．９９９％という超高信頼性を必要とする。
【０００５】
本発明の実施形態に関連する従来技術では、ロングタームエボリューション（Ｌｏｎｇ  Ｔｅｒｍ  Ｅｖｏｌｕｔｉｏｎ、ＬＴＥ）におけるアップリンクマルチユーザマルチ入力マルチ出力（Ｕｐｌｉｎｋ  Ｍｕｌｔｉ−Ｕｓｅｒ  Ｍｕｌｔｉｐｌｅ−Ｉｎｐｕｔ  Ｍｕｌｔｉｐｌｅ−Ｏｕｔｐｕｔ、ＵＬ  ＭＵ−ＭＩＭＯ）システムでは、ＵＬ  ＭＵ−ＭＩＭＯにおいてペアにされたユーザ機器（Ｕｓｅｒ  Ｅｑｕｉｐｍｅｎｔ、ＵＥ）の間で基準信号（Ｒｅｆｅｒｅｎｃｅ  ｓｉｇｎａｌ、ＲＳ）リソース多重化を実施するように、符号分割多重化（Ｃｏｄｅ  Ｄｉｖｉｓｉｏｎ  Ｍｕｌｔｉｐｌｅｘｉｎｇ、ＣＤＭ）様式で、同じ時間周波数リソース上で相互に直交する復調基準信号（Ｄｅｍｏｄｕｌａｔｉｏｎ  Ｒｅｆｅｒｅｎｃｅ  Ｓｉｇｎａｌ、ＤＭＲＳ）を定義することが可能にされている。ＵＬ  ＭＵ−ＭＩＭＯにおいてペアにされたＵＥが異なる帯域幅を占有し、その帯域幅が部分的に重複する場合、異なるＵＥは、異なる長さの基準信号基本系列を使用する。この場合、異なるＵＥのＲＳ間の直交性は、基本系列の循環シフトのみを使用することによって保証不可能である。類似の問題は、ダウンリンクマルチユーザマルチ入力マルチ出力（Ｄｏｗｎｌｉｎｋ  Ｍｕｌｔｉ−Ｕｓｅｒ  Ｍｕｌｔｉｐｌｅ−Ｉｎｐｕｔ  Ｍｕｌｔｉｐｌｅ−Ｏｕｔｐｕｔ、ＤＬ  ＭＵ−ＭＩＭＯ）システムにおいてペアにされたＵＥが異なる帯域幅を占有し、その帯域幅が部分的に重複するシナリオ、および異なるセル間の直交／擬似直交パイロット設計のシナリオにも存在する。複数のＵＥのＲＳリソース多重化を実施するために異なる帯域幅シナリオにおいて異なるＵＥのＲＳ間の直交性をどのようにして保証するかは、本発明の実施形態において解決されるべき技術的問題である。
【発明の概要】
【０００６】
本発明の実施形態は、複数のＵＥのＲＳリソース多重化を実施するために、基準信号伝送方法、デバイス、およびシステムを提供する。
【０００７】
第１の態様によれば、基準信号伝送方法が提供され、この方法は、基準信号を搬送するシンボル上にあり、この基準信号を送信するために使用される少なくとも１つの周波数領域リソースグループに対応する少なくとも１つの基本系列を第１のユーザ機器によって決定することであって、１つの周波数領域リソースグループは１つの基本系列に対応し、各周波数領域リソースグループは、同じ量を有する複数の副搬送波を含む、決定することと、少なくとも１つの基本シーケンスに基づいて基準信号を第１のユーザ機器によって生成し、基準信号を、その時間領域がシンボルであり、その周波数領域が少なくとも１つの周波数領域リソースグループである時間周波数リソースにマッピングすることとを含む。
【０００８】
第１の態様を参照して、第１の可能な実装形態では、第１のユーザ機器と第２のユーザ機器の両方が第３の周波数領域リソースグループ上で基準信号系列を生成する場合、第３の基本系列に基づいて基準信号系列を生成するために第１のユーザ機器および第２のユーザ機器によって使用される循環シフトは異なり、第３の周波数領域リソースグループは少なくとも１つの周波数領域リソースグループのうちの１つであり、第３の基本系列は第３の周波数領域リソースグループに対応する基本系列である。
【０００９】
第１の態様または第１の態様の第１の可能な実装形態を参照して、第２の可能な実装形態では、基準信号を搬送するシンボル上にあり、この基準信号を送信するために使用される少なくとも１つの周波数領域リソースグループに対応する少なくとも１つの基本系列を第１のユーザ機器によって決定することの具体的な実装形態は、第１の周波数領域リソースグループに対応する第１の基本系列を第１のユーザ機器によって決定し、第２の周波数領域リソースグループに対応する第２の基本系列を決定することであり、少なくとも１つの基本系列に基づいて基準信号を第１のユーザ機器によって生成し、基準信号を、その時間領域が基準信号を搬送するシンボルであり、その周波数領域が少なくとも１つの周波数領域リソースグループである時間周波数リソースにマッピングすることの具体的な実装形態は、第１の基本系列に基づいて基準信号の第１の基準信号系列を第１のユーザ機器によって生成し、この第１の基準信号系列を、その時間領域がシンボルであり、その周波数領域が第１の周波数領域リソースグループである時間周波数リソースにマッピングすることと、第２の基本系列に基づいて基準信号の第２の基準信号系列を第１のユーザ機器によって生成し、この第２の基準信号系列を、その時間領域がシンボルであり、その周波数領域が第２の周波数領域リソースグループである時間周波数リソースにマッピングすることである。
【００１０】
第１の態様の第２の可能な実装形態を参照して、第３の可能な実装形態では、第１の基準信号系列を生成するために第１のユーザ機器によって使用される循環シフトは、第２の基準信号系列を生成するために使用される循環シフトと同じである。
【００１１】
第１の態様の第３の可能な実装形態を参照して、第４の可能な実装形態では、循環シフトは基地局によって第１のユーザ機器に通知される、または、循環シフトは、構成パラメータに基づいて第１のユーザ機器によって決定され、この構成パラメータは、第１のユーザ機器のものである、ユーザ機器固有構成パラメータ、時間領域固有構成パラメータ、セル固有構成パラメータ、および周波数領域固有構成パラメータ、のうちの１つまたは複数を含み、この構成パラメータは、セル固有構成パラメータまたは周波数領域固有構成パラメータのみを含むことはできない。
【００１２】
第１の態様の前述の可能な実装形態を参照して、第５の可能な実装形態では、周波数領域リソースグループと基準系列の間の対応は、事前定義されている、または、周波数領域リソースグループと基本系列の間の対応は、基地局によって第１のユーザ機器に送信される。
【００１３】
第２の態様によれば、第１の態様または第１の態様の可能な実装形態のいずれか１つにおける方法を実行するように構成されたユーザ機器が提供される。
【００１４】
具体的には、ユーザ機器は、第１の態様または第１の態様の可能な実装形態のいずれか１つにおける方法を実行するように構成されたユニットを含んでよい。
【００１５】
第３の態様によれば、メモリとプロセッサとを含む別のユーザ機器が提供され、メモリは命令を記憶するように構成され、プロセッサは、メモリ内に記憶された命令を遂行するように構成され、プロセッサが第１の態様または第１の態様の可能な実装形態のいずれか１つにおける方法を実行するように、メモリ内に記憶された命令を遂行する。
【００１６】
第４の態様によれば、コンピュータプログラムを記憶するように構成されたコンピュータ可読記憶媒体が提供され、このコンピュータプログラムは、第１の態様または第１の態様の可能な実装形態のいずれか１つにおける方法を実行するために使用される命令を含む。
【００１７】
第５の態様によれば、別の基準信号伝送方法が提供され、この方法は、基地局によって送信されたダウンリンク制御シグナリングをユーザ機器によって受信することであって、このダウンリンク制御シグナリングは、基準信号を搬送するシンボル上にあり、この基準信号を送信するためにユーザ機器によって使用される周波数領域リソースグループを示すために使用される、受信することと、基準信号系列をユーザ機器によって生成し、この基準信号系列を、その時間領域がシンボルであり、その周波数領域が周波数領域リソースグループである時間周波数リソースにマッピングすることとを含む。
【００１８】
第５の態様を参照して、第５の態様の第１の可能な実装形態では、方法は、ユーザ機器によって占有される周波数領域リソースおよび周波数領域コムに基づいて周波数領域リソースグループをユーザ機器によって決定することであって、この周波数領域リソースグループは、複数の均等に離隔されたコム歯を含む（１つのコム歯は１つの副搬送波である）、決定することをさらに含む。
【００１９】
第５の態様または第５の態様の第１の可能な実装形態を参照して、第５の態様の第２の可能な実装形態では、周波数領域コムは、複数の均等に離隔されたコム歯（副搬送波）を取得する目的で、連続的な周波数領域リソースからＮ個の副搬送波の間隔で１つの副搬送波を取得するために使用される。
【００２０】
第５の態様ならびに第５の態様の第１の可能な実装形態および第２の可能な実装形態を参照して、第５の態様の第３の可能な実装形態では、コム構造は、Ｎ個の副搬送波の間隔で取得されるＭ個の連続した副搬送波を含んでよく、複数のＭ個の副搬送波間の間隔は等しい。
【００２１】
第６の態様によれば、第５の態様または第５の態様の可能な実装形態のいずれか１つにおける方法を実行するように構成されたユーザ機器が提供される。
【００２２】
具体的には、ユーザ機器は、第５の態様または第５の態様の可能な実装形態のいずれか１つにおける方法を実行するように構成されたユニットを含んでよい。
【００２３】
第７の態様によれば、メモリとプロセッサとを含む別のユーザ機器が提供され、メモリは命令を記憶するように構成され、プロセッサは、メモリ内に記憶された命令を遂行するように構成され、プロセッサが第５の態様または第５の態様の可能な実装形態のいずれか１つにおける方法を実行するように、メモリ内に記憶された命令を遂行する。
【００２４】
第８の態様によれば、コンピュータプログラムを記憶するように構成されたコンピュータ可読記憶媒体が提供され、このコンピュータプログラムは、第５の態様または第５の態様の可能な実装形態のいずれか１つにおける方法を実行するために使用される命令を含む。
【００２５】
第９の態様によれば、別の基準信号通信方法が提供され、この方法は、ユーザ機器の基準信号を搬送する周波数領域リソースをユーザ機器によって決定することであって、この周波数領域リソースは、周波数領域内で等間隔に分散された副搬送波であり、基準信号はデータチャネル復調に使用される、決定することと、周波数領域リソース上で基地局に基準信号をユーザ機器によって送信すること、または、基地局によって送信された基準信号を周波数領域リソース上でユーザ機器によって受信することとを含む。
【００２６】
第９の態様を参照して、第９の態様の第１の可能な実装形態では、ユーザ機器の基準信号を搬送する周波数領域リソースをユーザ機器によって決定することは、ユーザ機器の基準信号を搬送する周波数領域リソースを第１のパラメータに基づいてユーザ機器によって決定することを含み、この第１のパラメータは、以下のパラメータ、すなわち、ユーザ機器固有パラメータ、時間領域固有パラメータ、セル固有パラメータ、周波数領域固有パラメータ、および基地局からの第１の構成パラメータ、のうちの少なくとも１つを含み、この基地局からの第１の構成パラメータは、基地局によってユーザ機器に送信される構成情報であり、この構成情報は、ユーザ機器の基準信号を搬送する周波数領域リソースを決定するためにユーザ機器によって使用される。
【００２７】
第９の態様の第１の可能な実装形態を参照して、第９の態様の第２の可能な実装形態では、基地局からの第１の構成パラメータは、以下のパラメータ、すなわち、アンテナポート、伝送コムの周波数領域開始場所、伝送コムインデックス、および副搬送波セットインデックス、のうちの少なくとも１つを含む。
【００２８】
第９の態様または第９の態様の第１の可能な実装形態および第２の可能な実装形態のいずれか１つを参照して、第９の態様の第３の可能な実装形態では、ユーザ機器は、基準信号の系列に使用される循環シフトおよび／または直交カバーコードを第２のパラメータに基づいて決定し、この第２のパラメータは、以下のパラメータ、すなわち、ユーザ機器固有パラメータ、時間領域固有パラメータ、セル固有パラメータ、周波数領域固有パラメータ、および基地局からの第２の構成パラメータ、のうちの少なくとも１つを含み、この基地局からの第２の構成パラメータは、基地局によってユーザ機器に送信される構成情報であり、この構成情報は、基準信号の系列に使用される循環シフトおよび／または直交カバーコードを決定するためにユーザ機器によって使用される。
【００２９】
第９の態様の第３の可能な実装形態を参照して、第９の態様の第４の可能な実装形態では、基地局からの第２の構成パラメータは、以下のパラメータ、すなわち、アンテナポート、伝送コムの周波数領域開始場所、伝送コムインデックス、副搬送波セットインデックス、循環シフト識別子、および直交カバーコード識別子、のうちの少なくとも１つを含む。
【００３０】
第１０の態様によれば、第９の態様または第９の態様の可能な実装形態のいずれか１つにおける方法を実行するように構成されたユーザ機器が提供される。
【００３１】
第１１の態様によれば、メモリとプロセッサとを含む別のユーザ機器が提供され、メモリは命令を記憶するように構成され、プロセッサは、メモリ内に記憶された命令を遂行するように構成され、プロセッサが第９の態様または第９の態様の可能な実装形態のいずれか１つにおける方法を実行するように、メモリ内に記憶された命令を遂行する。
【００３２】
第１２の態様によれば、コンピュータプログラムを記憶するように構成されたコンピュータ可読記憶媒体が提供され、このコンピュータプログラムは、第９の態様または第９の態様の可能な実装形態のいずれか１つにおける方法を実行するために使用される命令を含む。
【００３３】
第１３の態様によれば、別の基準信号伝送方法が提供され、この方法は、ユーザ機器にダウンリンク制御シグナリングを基地局によって送信することであって、ダウンリンク制御シグナリングは、基準信号を搬送するシンボル上にあり、この基準信号を送信するためにユーザ機器によって使用される周波数領域リソースグループを示すために使用される、送信することと、周波数領域リソースグループ上でユーザ機器によって送信された基準信号を基地局によって受信することとを含む。
【００３４】
第１３の態様を参照して、第１３の態様の第１の可能な実装形態では、ダウンリンク制御シグナリングは周波数領域コムインデックスを搬送し、この周波数領域コムインデックスは、ユーザ機器の周波数領域リソースと組み合わせて周波数領域リソースグループを決定するために使用され、この周波数領域リソースグループは、複数の均等に離隔されたコム歯を含む（１つのコム歯は１つの副搬送波である）。
【００３５】
第１３の態様および第１３の態様の第１の可能な実装形態を参照して、第１３の態様の第２の可能な実装形態では、周波数領域コムは、１つのタイプの基本系列に対応し、周波数領域コムインデックスは、基準信号系列を生成するために使用される基本系列を決定するためにユーザ機器によってさらに使用され、周波数領域コムと基本系列の間に多対１または１対１の対応があってよい。
【００３６】
第１３の態様ならびに第１３の態様の第１の可能な実装形態および第２の可能な実装形態を参照して、第１３の態様の第３の可能な実装形態では、基地局は、ＵＥ固有メッセージを使用することなどによってダウンリンク制御シグナリングを送信する。
【００３７】
第１４の態様によれば、第１３の態様または第１３の態様の可能な実装形態のいずれか１つにおける方法を実行するように構成された基地局が提供される。
【００３８】
具体的には、基地局は、第１３の態様または第１３の態様の可能な実装形態のいずれか１つにおける方法を実行するように構成されたユニットを含んでよい。
【００３９】
第１５の態様によれば、メモリとプロセッサとを含む別の基地局が提供され、メモリは命令を記憶するように構成され、プロセッサは、メモリ内に記憶された命令を遂行するように構成され、プロセッサが第１３の態様または第１３の態様の可能な実装形態のいずれか１つにおける方法を実行するように、メモリ内に記憶された命令を遂行する。
【００４０】
第１６の態様によれば、コンピュータプログラムを記憶するように構成されたコンピュータ可読記憶媒体が提供され、このコンピュータプログラムは、第１３の態様または第１３の態様の可能な実装形態のいずれか１つにおける方法を実行するために使用される命令を含む。
【００４１】
第１７の態様によれば、別の基準信号通信方法が提供され、この方法は、ユーザ機器にダウンリンク制御シグナリングを基地局によって送信することであって、このダウンリンク制御シグナリングは、ユーザ機器の基準信号を搬送する周波数領域リソースを決定するようにユーザ機器に指示するために使用され、この周波数領域リソースは、周波数領域内で等間隔に分散された副搬送波であり、基準信号はデータチャネル復調に使用される、送信することと、周波数領域リソース上でユーザ機器に基準信号を基地局によって送信すること、または、ユーザ機器によって送信された基準信号を周波数領域リソース上で基地局によって受信することとを含む。
【００４２】
第１７の態様を参照して、第１７の態様の第１の可能な実装形態では、ダウンリンク制御シグナリングは第１のパラメータを搬送し、この第１のパラメータは、ユーザ機器の基準信号を搬送する周波数領域リソースを決定するために使用され、第１のパラメータは、以下のパラメータ、すなわち、ユーザ機器固有パラメータ、時間領域固有パラメータ、セル固有パラメータ、周波数領域固有パラメータ、および基地局からの第１の構成パラメータ、のうちの少なくとも１つを含み、この基地局からの第１の構成パラメータは、基地局によってユーザ機器に送信される構成情報であり、この構成情報は、ユーザ機器の基準信号を搬送する周波数領域リソースを決定するためにユーザ機器によって使用される。
【００４３】
第１７の態様および第１７の態様の第１の可能な実装形態を参照して、第１７の態様の第２の可能な実装形態では、基地局からの第１の構成パラメータは、以下のパラメータ、すなわち、アンテナポート、伝送コムの周波数領域開始場所、伝送コムインデックス、および副搬送波セットインデックス、のうちの少なくとも１つを含む。
【００４４】
第１７の態様ならびに第１７の態様の第１の可能な実装形態および第２の可能な実装形態を参照して、第１７の態様の第３の可能な実装形態では、ダウンリンク制御シグナリングは第２のパラメータを搬送し、この第２のパラメータは、基準信号の系列に使用される循環シフトおよび／または直交カバーコードを決定するために使用され、第２のパラメータは、以下のパラメータ、すなわち、ユーザ機器固有パラメータ、時間領域固有パラメータ、セル固有パラメータ、周波数領域固有パラメータ、および基地局からの第２の構成パラメータ、のうちの少なくとも１つを含み、この基地局からの第２の構成パラメータは、基地局によってユーザ機器に送信される構成情報であり、この構成情報は、基準信号の系列に使用される循環シフトおよび／または直交カバーコードを決定するためにユーザ機器によって使用される。
【００４５】
第１７の態様および第１７の態様の第１の可能な実装形態から第３の可能な実装形態を参照して、第１７の態様の第４の可能な実装形態では、基地局からの第２の構成パラメータは、以下のパラメータ、すなわち、アンテナポート、伝送コムの周波数領域開始場所、伝送コムインデックス、副搬送波セットインデックス、循環シフト識別子、および直交カバーコード識別子、のうちの少なくとも１つを含む。
【００４６】
第１８の態様によれば、第１７の態様または第１７の態様の可能な実装形態のいずれか１つにおける方法を実行するように構成された基地局が提供される。
【００４７】
具体的には、基地局は、第１７の態様または第１７の態様の可能な実装形態のいずれか１つにおける方法を実行するように構成されたユニットを含んでよい。
【００４８】
第１９の態様によれば、メモリとプロセッサとを含む別の基地局が提供され、メモリは命令を記憶するように構成され、プロセッサは、メモリ内に記憶された命令を遂行するように構成され、プロセッサが第１７の態様または第１７の態様の可能な実装形態のいずれか１つにおける方法を実行するように、メモリ内に記憶された命令を遂行する。
【００４９】
第２０の態様によれば、コンピュータプログラムを記憶するように構成されたコンピュータ可読記憶媒体が提供され、このコンピュータプログラムは、第１７の態様または第１７の態様の可能な実装形態のいずれか１つにおける方法を実行するために使用される命令を含む。
【００５０】
第２１の態様によれば、基準信号伝送方法が提供され、この方法は、基準信号を搬送するシンボル上にあり、この基準信号を送信するために使用される少なくとも１つの周波数領域リソースグループに対応する少なくとも１つの基準信号生成系列を第１のデバイスによって決定することであって、１つの周波数領域リソースグループは１つの基準信号生成系列に対応する、決定することと、少なくとも１つの基準信号生成系列に基づいて基準信号を第１のデバイスによって生成し、基準信号を、その時間領域がシンボルであり、その周波数領域が少なくとも１つの周波数領域リソースグループである時間周波数リソースにマッピングすることとを含む。
【００５１】
第２１の態様を参照して、第１の可能な実装形態では、第１のデバイスと第２のデバイスの両方が、基準信号を、その時間領域がシンボルであり、その周波数領域が第３の周波数領域リソースグループである時間周波数リソースにマッピングするとき、第３の基準信号生成系列に基づいて基準信号を生成するために第１のデバイスおよび第２のデバイスによって使用される循環シフトまたは直交カバーコードは異なり、第３の周波数領域リソースグループは少なくとも１つの周波数領域リソースグループのうちの１つであり、第３の基準信号生成系列は第３の周波数領域リソースグループに対応する基準信号生成系列である。
【００５２】
第２１の態様の第１の可能な実装形態を参照して、第２の可能な実装形態では、循環シフトまたは直交カバーコードは、第１のパラメータセットに基づいて第１のデバイスによって決定され、この第１のパラメータセット内のパラメータは、ユーザ機器固有パラメータ、時間領域固有パラメータ、セル固有パラメータ、ネットワーク側デバイス固有パラメータ、周波数領域固有パラメータ、ネットワーク側構成パラメータ、および組み合わせパラメータ、のうちの１つまたは複数を含み、この組み合わせパラメータは、ユーザ機器固有パラメータ、時間領域固有パラメータ、セル固有パラメータ、ネットワーク側デバイス固有パラメータ、周波数領域固有パラメータ、およびネットワーク側構成パラメータの中の複数のパラメータの組み合わせである、または、第１のデバイスがユーザ機器であるとき、循環シフトもしくは直交カバーコードは、第１のデバイスに接続されたネットワーク側デバイスによって第１のデバイスに通知される。
【００５３】
第２１の態様を参照して、第３の可能な実装形態では、第１のデバイスと第２のデバイスの両方が、基準信号を、その時間領域がシンボルであり、その周波数領域が第３の周波数領域リソースグループである時間周波数リソースにマッピングするとき、第３の周波数領域リソースグループ上の第１のデバイスに対応する基準信号生成系列は、第３の周波数領域リソースグループ上の第２のデバイスに対応する基準信号生成系列とは異なる。
【００５４】
第２１の態様の第３の可能な実装形態を参照すると、第４の可能な実装形態では、基準信号を搬送するシンボル上にあり、その基準信号を送信するために使用される少なくとも１つの周波数領域リソースグループに対応する少なくとも１つの基準信号生成系列を第１のデバイスによって決定することの具体的な実装形態は、第１の周波数領域リソースグループに対応する第１の基準信号生成系列を第１のデバイスによって決定し、第２の周波数領域リソースグループに対応する第２の基準信号生成系列を決定することであり、少なくとも１つの基準信号生成系列に基づいて基準信号を第１のデバイスによって生成し、基準信号を、その時間領域が基準信号を搬送するシンボルであり、その周波数領域が少なくとも１つの周波数領域リソースグループである時間周波数リソースにマッピングすることの具体的な実装形態は、第１の基準信号生成系列に基づいて基準信号の第１の基準信号系列を第１のデバイスによって生成し、この第１の基準信号系列を、その時間領域がシンボルであり、その周波数領域が第１の周波数領域リソースグループである時間周波数リソースにマッピングすること、および、第２の基準信号生成系列に基づいて基準信号の第２の基準信号系列を第１のデバイスによって生成し、この第２の基準信号系列を、その時間領域がシンボルであり、その周波数領域が第２の周波数領域リソースグループである時間周波数リソースにマッピングすることである。
【００５５】
第２１の態様の前述の可能な実装形態を参照して、第５の可能な実装形態では、基準信号生成系列は、第２のパラメータセットに基づいて第１のデバイスによって決定され、この第２のパラメータセット内のパラメータは、ユーザ機器固有パラメータ、時間領域固有パラメータ、セル固有パラメータ、ネットワーク側デバイス固有パラメータ、周波数領域固有パラメータ、ネットワーク側構成パラメータ、および組み合わせパラメータ、のうちの１つまたは複数を含み、この組み合わせパラメータは、ユーザ機器固有パラメータ、時間領域固有パラメータ、セル固有パラメータ、ネットワーク側デバイス固有パラメータ、周波数領域固有パラメータ、およびネットワーク側構成パラメータの中の複数のパラメータの組み合わせである、または、周波数領域リソースグループと基準信号生成系列の間の対応は事前定義されている、もしくは、第１のデバイスがユーザ機器であるとき、周波数領域リソースグループと基準信号生成系列の間の対応は、第１のデバイスに接続されたネットワーク側デバイスによって第１のデバイスに送信される。
【００５６】
第２２の態様によれば、第２１の態様または第２１の態様の可能な実装形態のいずれか１つにおける方法を実行するように構成されたデバイスが提供される。
【００５７】
具体的には、デバイスは、第２１の態様または第２１の態様の可能な実装形態のいずれか１つにおける方法を実行するように構成されたユニットを含んでよい。
【００５８】
第２３の態様によれば、メモリとプロセッサとを含む別のデバイスが提供され、メモリは命令を記憶するように構成され、プロセッサは、メモリ内に記憶された命令を遂行するように構成され、プロセッサが第２１の態様または第２１の態様の可能な実装形態のいずれか１つにおける方法を実行するように、メモリ内に記憶された命令を遂行する。
【００５９】
第２４の態様によれば、コンピュータプログラムを記憶するように構成されたコンピュータ可読記憶媒体が提供され、このコンピュータプログラムは、第２１の態様または第２１の態様の可能な実装形態のいずれか１つにおける方法を実行するために使用される命令を含む。
【００６０】
第２５の態様によれば、通信システムが提供され、この通信システムはユーザ機器を含み、このユーザ機器は、第１の態様または第１の態様の可能な実装形態のいずれか１つにおけるユーザ機器を含む。
【００６１】
第２６の態様によれば、通信システムが提供され、この通信システムは基地局とユーザ機器とを含み、このユーザ機器は、第２の態様もしくは第２の態様の可能な実装形態のいずれか１つにおけるユーザ機器、または第３の態様もしくは第３の態様の可能な実装形態のいずれか１つにおけるユーザ機器である。
【００６２】
第２７の態様によれば、通信システムが提供され、この通信システムはユーザ機器を含み、このユーザ機器は、第９の態様または第９の態様の可能な実装形態のいずれか１つにおけるユーザ機器を含む。
【００６３】
第２８の態様によれば、通信システムが提供され、この通信システムはデバイスを含み、このデバイスは、第２２の態様もしくは第２２の態様の可能な実装形態のいずれか１つにおけるデバイス、または第２３の態様もしくは第２３の態様の可能な実装形態のいずれか１つにおけるデバイスである。一方、前述の技術的解決策に基づいて、異なる基本系列が、異なる周波数領域リソースグループに基づいて決定され、基準信号系列が、基本系列に基づいて生成され、対応する時間周波数リソースにマッピングされ、異なるＵＥが、異なる帯域幅においてＲＳ直交性を実施する助けとなり、それによって、ＲＳリソース多重化効率を改善し、複数のＵＥのＲＳリソース多重化を実施する。他方、異なる周波数領域リソースグループが、基準信号を送信するために異なるユーザ機器に割り当てられ、したがって、ＲＳリソース多重化効率が改善され、複数のＵＥのＲＳリソース多重化が実施される。
【図面の簡単な説明】
【００６４】
【図１】本発明の実施形態による基準信号伝送方法の概略図である。
【図２】本発明の実施形態によるアップリンクにおける複数のユーザのＲＳリソース多重化の概略図である。
【図３】本発明の実施形態による基準信号伝送方法の概略図である。
【図４】本発明の実施形態による基準信号伝送方法の概略図である。
【図５】本発明の実施形態による周波数領域リソースおよび周波数領域コムの概略図である。
【図６】本発明の実施形態による、ＦＤＭとＣＤＭを組み合わせる方法を使用することによって複数のユーザ機器によりＲＳリソースを多重化することの概略図である。
【図７】本発明の実施形態による別の基準信号伝送方法の概略図である。
【図８】本発明の実施形態による物理装置の概略的構造図である。
【図９】本発明の実施形態によるさらに別の基準信号伝送方法の概略図である。
【図１０】本発明の実施形態によるアップリンクにおける複数のユーザのＲＳリソース多重化の別の概略図である。
【発明を実施するための形態】
【００６５】
以下は、添付の図面を参照しながら、本発明の実施形態における技術的解決策について説明する。
【００６６】
本発明の実施形態の技術的解決策は、Ｇｌｏｂａｌ  Ｓｙｓｔｅｍ  ｆｏｒ  Ｍｏｂｉｌｅ  Ｃｏｍｍｕｎｉｃａｔｉｏｎｓ（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ（登録商標））、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）システム、およびユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）などの種々の通信システムに適用されてよいことが理解されるべきである。
【００６７】
端末（Ｔｅｒｍｉｎａｌ）は、ユーザ機器（Ｕｓｅｒ  Ｅｑｕｉｐｍｅｎｔ、ＵＥ）、ユーザなどと呼ばれることがある。端末は、無線アクセスネットワーク（Ｒａｄｉｏ  Ａｃｃｅｓｓ  Ｎｅｔｗｏｒｋ、ＲＡＮ）を使用することによって１つまたは複数のコアネットワークと通信し得る。端末は、モバイル電話（「セルラー式」電話とも呼ばれる）などのモバイル端末およびモバイル端末をもつコンピュータであってよい。たとえば、端末は、音声および／またはデータを無線アクセスネットワークと交換する、ポータブル装置、ポケットサイズの装置、ハンドヘルド装置、コンピュータ内蔵装置、または車載モバイル装置であってよい。
【００６８】
本発明の実施形態を理解しやすいように、本発明の実施形態の説明に導入されるいくつかの要素が、本明細書において最初に説明される。
【００６９】
エアインタフェースリソースは、エアインタフェース時間領域リソースおよびエアインタフェース周波数領域リソースとして定義され、通常、リソース要素（Ｒｅｓｏｕｒｃｅ  Ｅｌｅｍｅｎｔ、ＲＥ）、リソースブロック（Ｒｅｓｏｕｒｃｅ  Ｂｌｏｃｋ、ＲＢ）、シンボル（ｓｙｍｂｏｌ）、副搬送波（ｓｕｂｃａｒｒｉｅｒ）、および伝送時間間隔（Ｔｒａｎｓｍｉｓｓｉｏｎ  Ｔｉｍｅ  Ｉｎｔｅｒｖａｌ、ＴＴＩ）によって表される。エアインタフェースリソースは、周波数領域および時間領域の観点から分割されてよい。周波数領域分割の最小リソース粒度は副搬送波であり、時間領域分割の最小リソース粒度はシンボルである。
【００７０】
１つのＲＥは、１つのシンボル時間内の１つの副搬送波のリソースを表し、各ＲＥは、固有の情報を搬送してよい。Ｎ個のシンボルが、時間に関して１つのＴＴＩを形成する。１つのＴＴＩ内のＭ個の副搬送波は、１つのＲＢへと組み合わされる。
【００７１】
ＵＲＬＬＣサービスの低遅延および高信頼性の要件を保証するために、ＵＲＬＬＣアップリンクサービスは、プリエンプション様式または予約様式で短いＴＴＩ内のＭＢＢアップリンクサービスの物理リソースを柔軟に占有してよい。短いＴＴＩは、本明細書では、時間に関して、より短いサブフレームである。現在、１つのＬＴＥサブフレーム長は１ｍｓであり、短いＴＴＩのサブフレームは、１ｍｓよりも短い長さを有し、たとえば、０．１２５ｍｓまたは別の時間長であってよい。短いＴＴＩでは、時間領域シンボルの量が減少されるので、アップリンクでは、アップリンクデータ復調ＲＳの伝送に使用可能なシンボルはほとんどなく、１つのシンボルしかないことがある。したがって、複数のユーザのＲＳに関するシナリオでは、２つのユーザ機器によって占有される時間周波数リソースが重複することがある。さらに、異なるセル間の直交／擬似直交パイロット設計のシナリオおよびＵＬ／ＤＬ  ＭＵ−ＭＩＭＯにおいてペアにされたＵＥが異なる帯域幅を占有する（帯域幅が部分的に重複する）シナリオは、類似の技術的問題に直面する。複数のユーザのＲＳリソース多重化をどのようにして実施するかは、本発明の実施形態において解決されるべき技術的問題である。
【００７２】
図１は、本発明の実施形態による基準信号伝送方法の概略図である。図１における方法は、ユーザ機器によって実行される。
【００７３】
１０１。第１のユーザ機器は、基準信号を搬送するシンボル上にあり、この基準信号を送信するために使用される少なくとも１つの周波数領域リソースグループに対応する少なくとも１つの基本系列を決定する。
【００７４】
１つの周波数領域リソースグループは、１つのタイプの基本系列に対応し、各周波数領域リソースグループは、同じ量を有する複数の副搬送波を含む。
【００７５】
本発明のこの実施形態では、１つの周波数領域リソースグループは、複数の周波数領域副搬送波を含んでよく、各周波数領域リソースグループは、同じ量の副搬送波を含むことが理解されるべきである。
【００７６】
本発明のこの実施形態では、基準信号を搬送するために使用されるシンボルは１つまたは複数のシンボルを含んでよいことが理解されるべきである。
【００７７】
１つの基本系列は１つのタイプの基本系列に等しくないことが理解されるべきである。１つの基本系列は基本系列量を示し、１つのタイプの基本系列は基本系列タイプを示す。
【００７８】
第１のユーザ機器は、少なくとも１つの周波数領域リソースグループ上で基準信号を送信し、各周波数領域リソースグループは、基準信号の１つの基準信号系列を送信し、少なくとも１つの周波数領域リソースグループ上で送信される少なくとも１つの基準信号系列は、基準信号を形成する。各基準信号系列は、１つの基本系列を使用することによって生成され、第１のユーザ機器は、基本系列の量は周波数領域リソースグループの量と同じであることを決定する必要がある。１つの周波数領域リソースグループは、１つのタイプの基本系列に対応し、異なる周波数領域リソースグループは、同じ基本系列または異なる基本系列を使用してよく、少なくとも１つの基本系列のタイプの総量は、少なくとも１つの基本系列の量よりも少ないかこれに等しい。１つの周波数領域リソースグループは、１つのタイプの基本系列に対応し、周波数領域リソースグループタイプは、基本系列タイプと１対１の対応があってもよいし、基本系列タイプと多対１の対応があってもよいことが理解されるべきである。たとえば、１つの周波数領域リソースグループインデックスは、１つのタイプの基本系列のインデックスに対応し、周波数領域リソースグループインデックスは、基本系列インデックスに関連することがある。具体的な例では、周波数領域リソースグループインデックス１、２、および３は、基本系列インデックス１に対応し、周波数領域リソースグループインデックス４は、基本系列インデックス２に対応する。言い換えれば、異なる周波数領域リソースグループは、同じ基本系列を使用してもよいし、異なる基本系列を使用してもよい。基準信号を送信するために使用される少なくとも１つの周波数領域リソースグループに対応する少なくとも１つの基本系列のタイプの総量は、少なくとも１つの基本系列の量よりも少ないかこれに等しい。
【００７９】
任意選択で、周波数領域リソースグループと基本系列の間の対応は、事前定義されている。
【００８０】
代替として、任意選択で、周波数領域リソースグループと基本系列の間の対応は、基地局によってユーザ機器に送信される。
【００８１】
１０２。第１のユーザ機器は、少なくとも１つの基本系列に基づいて基準信号を生成し、基準信号を、その時間領域がシンボルであり、その周波数領域が少なくとも１つの周波数領域リソースグループである時間周波数リソースにマッピングする。
【００８２】
第１のユーザ機器が、基本系列に基づいて基準信号を生成し、各基本系列は、基準信号の１つの基準信号系列を生成するために使用され、すべての生成された基準信号系列は、基準系列を形成することが理解されるべきである。
【００８３】
基準信号を生成した後、第１のユーザ機器は、基準信号を、基準信号を送信するための時間周波数リソースにマッピングしてよいことが理解されるべきである。時間周波数リソースの時間領域はシンボル（基準信号を搬送するシンボル）であり、周波数領域は、少なくとも１つの周波数領域リソースグループである。
【００８４】
基準信号を時間周波数リソースにマッピングした後、第１のユーザ機器は基準信号を送信してよいことが理解されるべきである。
【００８５】
本発明のこの実施形態では、異なる基本系列は、異なる周波数領域リソースグループに基づいて決定され、基準信号は、基本系列に基づいて生成され、対応する時間周波数リソースにマッピングされる。これは、異なる帯域幅内の異なるＵＥのＲＳの直交性を実施する助けとなり、それによって、ＲＳリソース多重化効率を改善し、複数のユーザのＲＳリソース多重化を実施する。
【００８６】
任意選択で、第１のユーザ機器および第２のユーザ機器が、シンボル上で第３の周波数領域リソースグループを多重化する場合、第３の基本系列に基づいて基準信号系列を生成するためにユーザ機器および第２のユーザ機器によって使用される循環シフトは異なる。第３の周波数領域リソースグループは、少なくとも１つの周波数領域リソースグループのうちの１つであり、第３の基本系列は、第３の周波数領域リソースグループに対応する基本系列である。
【００８７】
本発明のこの実施形態では、異なる循環シフトは、同じ周波数領域リソースグループ上の異なるＵＥの基本系列のために構成され、したがって、異なる帯域幅内のＵＥのＲＳの直交性は、同じ周波数領域リソースグループ上で実施可能である。したがって、ＲＳリソース多重化効率は改善可能であり、複数のユーザのＲＳリソース多重化が実施可能である。
【００８８】
さらに、ステップ１０１の具体的な実装形態は、第１のユーザ機器が、第１の周波数領域リソースグループに対応する第１の基本系列を決定し、第２の周波数領域リソースグループに対応する第２の基本系列を決定することである。この場合、ステップ１０２の具体的な実装形態は、第１のユーザ機器が、第１の基本系列に基づいて基準信号の第１の基準信号系列を生成し、この第１の基準信号系列を、その時間領域がシンボルであり、その周波数領域が第１の周波数領域リソースグループである時間周波数リソースにマッピングすることと、第１のユーザ機器が、第２の基本系列に基づいて基準信号の第２の基準信号系列を生成し、この第２の基準信号系列を、その時間領域がシンボルであり、その周波数領域が第２の周波数領域リソースグループである時間周波数リソースにマッピングすることである。
【００８９】
任意選択で、第１の基準信号系列を生成するために第１のユーザ機器によって使用される循環シフトは、第２の基準信号系列を生成するために使用される循環シフトとは異なる。
【００９０】
代替として、任意選択で、第１の基準信号系列を生成するために第１のユーザ機器によって使用される循環シフトは、第２の基準信号系列を生成するために使用される循環シフトと同じである。
【００９１】
さらに、第１の基準信号系列を生成するために第１のユーザ機器によって使用される循環シフトが、第２の基準信号系列を生成するために使用される循環シフトと同じであるとき、循環シフトは、基地局によってユーザ機器に通知される、または、循環シフトは、構成パラメータに基づいてユーザ機器によって決定される。構成パラメータは、ＵＥ固有構成パラメータ、時間領域固有構成パラメータ、セル固有構成パラメータ、および周波数領域固有構成パラメータ、のうちの１つまたは複数を含み、構成パラメータは、セル固有構成パラメータまたは周波数領域固有構成パラメータのみを含むことはできない。
【００９２】
本発明のこの実施形態における方法は、以下で特定の実施形態を参照しながら、さらに説明される。
【００９３】
図２は、本発明の実施形態によるアップリンクにおける複数のユーザのＲＳリソース多重化の概略図である。図２に示されるように、ＲＢは、４つの周波数領域リソースグループすなわち周波数領域におけるＮからＮ＋３と、７つのシンボルすなわち時間領域における０から６とを含む。ＵＥ１は、その時間領域がシンボル２であり、その周波数領域が周波数領域リソースグループＮからＮ＋３である時間周波数リソース上で、データを送信し、ＵＥ２は、その時間領域がシンボル４および５であり、その周波数領域が周波数領域リソースグループＮおよびＮ＋１である時間周波数リソース上で、データを送信し、ＵＥ３は、その時間領域がシンボル４および５であり、その周波数領域が周波数領域リソースグループＮ＋２およびＮ＋３である時間周波数リソース上で、データを送信する。ＵＥ１、ＵＥ２、およびＵＥ３は、シンボル３（灰色グリッドで示される時間周波数リソース）上で基準信号を送信する。ＵＥ１は、その時間領域がシンボル３であり、その周波数領域が周波数領域リソースグループＮからＮ＋３である時間周波数リソース上で、基準信号を送信し、ＵＥ２は、その時間領域がシンボル３であり、その周波数領域が周波数領域リソースグループＮおよびＮ＋１である時間周波数リソース上で、基準信号を送信し、ＵＥ３は、その時間領域がシンボル３であり、その周波数領域が周波数領域リソースグループＮ＋２およびＮ＋３である時間周波数リソース上で、基準信号を送信する。
【００９４】
本発明のこの実施形態では、１つの基準信号は、１つの基本系列に基づいて生成された１つの基準信号系列を含んでもよいし、複数の基本系列に基づいて生成された複数の基準信号系列を含んでもよい。
【００９５】
本発明のこの実施形態では、１つの周波数領域リソースグループは１つのタイプの基本系列に対応し、複数の異なる周波数領域リソースグループは、同じタイプの基本系列に対応してよい。各周波数領域リソースグループは、１つまたは複数の副搬送波を含んでよい。周波数領域リソースグループと基本系列の間の対応は、たとえば、周波数領域リソースグループインデックスが基本系列インデックスに関連することであってよい。たとえば、周波数領域リソースグループインデックス１、２、および３は、基本系列インデックス１に対応しており、周波数領域リソースグループインデックス５は、基本系列インデックス２に対応する。図２における周波数領域リソースグループＮ、Ｎ＋１、Ｎ＋２、およびＮ＋３はそれぞれ、基本系列Ｎ’、Ｎ’＋１、Ｎ’＋２、およびＮ’＋３に対応すると仮定される。
【００９６】
さらに、周波数領域リソースグループと基本系列の間の対応は、プロトコルにおいて指定されてもよいし、事前定義されてもよいし、構成メッセージを使用することによってユーザ機器に基地局によって通知されてもよいことが理解されるべきである。これは、本発明のこの実施形態では限定されない。
【００９７】
１つのＵＥの場合、ＵＥは、占有された周波数領域リソースグループ上で、周波数領域リソースグループに対応する基本系列を使用して基準信号の基準信号系列を生成し、この基準信号系列を、周波数領域リソースグループに対応する時間周波数リソースにマッピングする。
【００９８】
ＵＥ１は、一例として使用される。ＵＥは、基本系列Ｎ、Ｎ＋１、Ｎ＋２、およびＮ＋３に基づいて基準信号系列Ｎ’、Ｎ’＋１、Ｎ’＋２、およびＮ’＋３を別個に生成し、これらの基準信号系列を、その時間領域がシンボル３であり、その周波数領域が周波数領域リソースグループＮ、Ｎ＋１、Ｎ＋２、およびＮ＋３である時間周波数リソースに別個にマッピングする。
【００９９】
基本系列に基づいて基準信号系列を生成するためにユーザ機器によって使用される循環シフトは、基地局によってユーザ機器に通知されてもよいし、構成パラメータに基づいてユーザ機器によって決定されてもよいことが理解されるべきである。構成パラメータは、ユーザ機器のものである、ＵＥ固有構成パラメータ、時間領域固有構成パラメータ、セル固有構成パラメータ、および周波数領域固有構成パラメータ、のうちの１つまたは複数を含んでよい。構成パラメータはセル固有構成パラメータまたは周波数領域固有構成パラメータのみを含むことはできないことが留意されるべきである。
【０１００】
好ましくは、基本系列に基づいて基準信号系列を生成するために同じユーザ機器によって使用される循環シフトは同じである。同じユーザ機器によって使用される循環シフトが同じであるとき、基地局が、ユーザ機器に１つのタイプの循環シフトのみを通知してもよいし、ユーザ機器が、構成パラメータに基づいて、１つのタイプの循環シフトのみを決定してもよい。
【０１０１】
さらに、同じ周波数領域リソースグループ上で、異なるユーザ機器が、同じ基本系列の異なる循環シフトを使用して、それぞれの基準信号系列を生成する。たとえば、周波数領域リソースグループＮ上で、基本系列Ｎを使用することによって基準信号系列を生成するためにＵＥ１およびＵＥ２によって使用される循環シフトは異なる。
【０１０２】
各周波数領域リソースグループ上で図２における各ＵＥによって使用される基本系列および循環シフトの具体的な例は、表１に示されている。
【０１０３】
【表１】
2019516301.tif 000019
【０１０４】
表１に示されるように、１つのＵＥの観点から、複数の基本系列の同じ循環シフトが、送信されるデータに対応するＲＳに使用されてよく、したがって、基地局側制御シグナリングのオーバヘッドが大きく減少可能である。
【０１０５】
本発明のこの実施形態では、時間周波数リソースグループは、基準信号を生成するために使用される基本系列を暗黙的に示すために使用され、したがって、ＲＳリソース多重化率が増加可能であり、複数のユーザ機器のＲＳリソース多重化が実施可能であり、複数のユーザのＲＳ間の直交性がさらに保証可能である。
【０１０６】
図３は、本発明の実施形態による基準信号伝送方法の概略図である。図３における方法は、ユーザ機器によって実行される。
【０１０７】
３０１。ユーザ機器が、基地局によって送信されたダウンリンク制御シグナリングを受信し、このダウンリンク制御シグナリングは、基準信号を搬送するシンボル上にあり、基準信号を送信するためにユーザ機器によって使用される周波数領域リソースグループを示すために使用され、各周波数領域リソースグループは、同じ量を有する複数の副搬送波を含む。
【０１０８】
任意選択で、ダウンリンク制御シグナリングは、ユーザ固有ＵＥ固有構成メッセージである。
【０１０９】
３０２。ユーザ機器が、基準信号系列を生成し、この基準信号系列を、その時間領域がシンボルであり、その周波数領域が周波数領域リソースグループである時間周波数リソースにマッピングする。
【０１１０】
本発明のこの実施形態では、ユーザ機器は、基地局によって割り当てられた周波数領域リソースグループに基づいて基準信号を生成し、したがって、異なるユーザ機器は、異なる周波数領域リソースを使用して、基準信号を送信することができる。したがって、ＲＳリソース多重化効率は改善可能であり、複数のユーザのＲＳリソース多重化が実施可能である。
【０１１１】
任意選択で、ダウンリンク制御シグナリングは、周波数領域コムのインデックスを搬送する。この方法は以下のこと、すなわち、ユーザ機器が、ユーザ機器によって占有される周波数領域リソースおよび周波数領域コムに基づいて周波数領域リソースグループを決定し、この周波数領域リソースグループは、複数の均等に離隔されたコム歯を含む（１つのコム歯は１つの副搬送波である）、決定することをさらに含む。周波数領域コムは、複数の均等に離隔されたコム歯（副搬送波）を取得する目的で、連続的な周波数領域リソースからＮ個の副搬送波の間隔で１つの副搬送波を取得するために使用される。同じ周波数領域リソース（帯域幅）の場合、異なる利用可能な周波数領域リソースは、異なる周波数領域コムを使用することによって取得可能である。異なる周波数領域コムは異なるユーザに割り当てられ、したがって、ユーザ機器は、基準信号を送信するために、同じ帯域幅内で異なる周波数領域リソースを取得することができる。
【０１１２】
任意選択で、いくつかの実施形態では、コム構造は、各Ｎ個の副搬送波内にＭ個の副搬送波を含んでよく、Ｍ個の副搬送波の複数の間の間隔は等しい。
【０１１３】
たとえば、Ｍが２のとき、コム構造は、各Ｎ個の副搬送波から選択された２つの副搬送波を含んでよい。２つの副搬送波は連続しており、１つおきの副搬送波間の間隔は等しい。
【０１１４】
図４は、本発明の実施形態による基準信号伝送方法の概略図である。図４における方法は、ユーザ機器によって遂行される。
【０１１５】
４０１。ユーザ機器が、ユーザ機器の基準信号を搬送する周波数領域リソースを決定し、この周波数領域リソースは、周波数領域内で等間隔に分散された副搬送波であり、基準信号はデータチャネル復調に使用される。
【０１１６】
任意選択で、いくつかの実施形態では、基準信号を送信するために使用されるアンテナポートは、基準信号を使用することによって復調されるデータチャネルのアンテナポートに関連する。一般に、２つのアンテナポートのアンテナポート番号は同じである。
【０１１７】
４０２。ユーザ機器が、周波数領域リソース上で基地局に基準信号を送信する、または、基地局によって送信された基準信号を周波数領域リソース上で受信する。
【０１１８】
任意選択で、いくつかの実施形態では、周波数領域内で等間隔に分散された副搬送波は、周波数領域コム歯であってよい。
【０１１９】
任意選択で、いくつかの実施形態では、コム構造は、各Ｎ個の副搬送波内にＭ個の副搬送波を含んでよく、Ｍ個の副搬送波の複数の間の間隔は等しい。
【０１２０】
任意選択で、いくつかの実施形態では、ユーザ機器は、第１のパラメータに基づいて、ユーザ機器の基準信号を搬送する周波数領域リソースを決定してよい。
【０１２１】
任意選択で、いくつかの実施形態では、第１のパラメータは、ユーザ機器固有パラメータ、時間領域固有パラメータ、セル固有パラメータ、周波数領域固有パラメータ、および基地局からの第１の構成パラメータ、のうちの１つまたは複数であってよい。
【０１２２】
ユーザ機器固有パラメータの値は、ユーザ機器の関連パラメータ、たとえば、ユーザ機器の識別子情報または無線ネットワーク一時識別子（Ｒａｄｉｏ  Ｎｅｔｗｏｒｋ  Ｔｅｍｐｏｒａｒｙ  Ｉｄｅｎｔｉｔｙ、ＲＮＴＩ）を識別するために使用可能であることが理解されるべきである。
【０１２３】
セル固有パラメータの値はセルの関連パラメータを識別するために使用可能であることが理解されるべきである。たとえば、セル固有パラメータは、セルの識別子情報であってよい。
【０１２４】
時間領域固有パラメータの値は基準信号のシンボルの時間領域場所を識別するために使用可能であることが理解されるべきである。たとえば、時間領域固有パラメータは、サブフレーム番号、タイムスロット番号、ミニスロット番号、またはシンボルであってよい。
【０１２５】
周波数領域固有パラメータの値は基準信号の周波数領域場所を識別するために使用可能であることが理解されるべきである。たとえば、周波数領域固有パラメータは、リソースブロック（ｒｅｓｏｕｒｃｅ  ｂｌｏｃｋ、ＲＢ）番号、リソースブロックグループ（ｒｅｓｏｕｒｃｅ  ｂｌｏｃｋ  ｇｒｏｕｐ、ＲＢＧ）番号、副搬送波番号、またはリソース要素グループ（ｒｅｓｏｕｒｃｅ  ｅｌｅｍｅｎｔ  ｇｒｏｕｐ、ＲＥＧ）番号であってよい。
【０１２６】
任意選択で、いくつかの実施形態では、第１の構成パラメータは、基地局によってユーザ機器のために構成されたパラメータであってもよいし、基地局によってユーザ機器のために構成されたパラメータのうちの少なくともいくつかまたはすべてであってもよい。
【０１２７】
任意選択で、いくつかの実施形態では、第１の構成パラメータはさらに、基地局によってユーザ機器のために構成された構成情報内のパラメータのうちの少なくともいくつかまたはすべてであってよい。
【０１２８】
任意選択で、いくつかの実施形態では、第１の構成パラメータは、ユーザ機器の基準信号を搬送する周波数領域リソースを決定するために使用される。
【０１２９】
任意選択で、いくつかの実施形態では、基地局からの第１の構成パラメータは、アンテナポート、伝送コムの周波数領域開始場所、伝送コムインデックス、および副搬送波セットインデックス、のうちの１つまたは複数であってよい。
【０１３０】
任意選択で、いくつかの実施形態では、ユーザ機器は、第２のパラメータに基づいて、基準信号の系列に使用される循環シフト（Ｃｙｃｌｉｃ  Ｓｈｉｆｔ、ＣＳ）および／または直交カバーコード（Ｏｒｔｈｏｇｏｎａｌ  Ｃｏｖｅｒ  Ｃｏｄｅ、ＯＣＣ）を決定してよい。第２のパラメータは、ユーザ機器固有パラメータ、時間領域固有パラメータ、セル固有パラメータ、周波数領域固有パラメータ、および基地局からの第２の構成パラメータ、のうちの１つまたは複数である。
【０１３１】
ユーザ機器固有パラメータの値は、ユーザ機器の関連パラメータ、たとえば、ユーザ機器の識別子情報または無線ネットワーク一時識別子（Ｒａｄｉｏ  Ｎｅｔｗｏｒｋ  Ｔｅｍｐｏｒａｒｙ  Ｉｄｅｎｔｉｔｙ、ＲＮＴＩ）を識別するために使用可能であることが理解されるべきである。
【０１３２】
セル固有パラメータの値はセルの関連パラメータを識別するために使用可能であることが理解されるべきである。たとえば、セル固有パラメータはセルの識別子情報であってよい。
【０１３３】
時間領域固有パラメータの値は基準信号のシンボルの時間領域場所を識別するために使用可能であることが理解されるべきである。たとえば、時間領域固有パラメータは、サブフレーム番号、タイムスロット番号、ミニスロット番号、またはシンボルであってよい。
【０１３４】
周波数領域固有パラメータの値は基準信号の周波数領域場所を識別するために使用可能であることが理解されるべきである。たとえば、周波数領域固有パラメータは、リソースブロック（ｒｅｓｏｕｒｃｅ  ｂｌｏｃｋ、ＲＢ）番号、リソースブロックグループ（ｒｅｓｏｕｒｃｅ  ｂｌｏｃｋ  ｇｒｏｕｐ、ＲＢＧ）番号、副搬送波番号、またはリソース要素グループ（ｒｅｓｏｕｒｃｅ  ｅｌｅｍｅｎｔ  ｇｒｏｕｐ、ＲＥＧ）番号であってよい。
【０１３５】
任意選択で、いくつかの実施形態では、第２の構成パラメータは、基地局によってユーザ機器のために構成されたパラメータであってもよいし、基地局によってユーザ機器のために構成されたパラメータのうちの少なくともいくつかまたはすべてであってもよい。
【０１３６】
任意選択で、いくつかの実施形態では、第２の構成パラメータはさらに、基地局によってユーザ機器のために構成された構成情報内のパラメータのうちの少なくともいくつかまたはすべてであってよい。
【０１３７】
任意選択で、いくつかの実施形態では、第２の構成パラメータは、基準信号の系列に使用される循環シフトおよび／または直交カバーコードを決定するために使用される。
【０１３８】
任意選択で、いくつかの実施形態では、第２の構成パラメータは、アンテナポート、伝送コムの周波数領域開始場所、伝送コムインデックス、副搬送波セットインデックス、循環シフト識別子、および直交カバーコード識別子、のうちの１つまたは複数であってよい。
【０１３９】
第１のパラメータと第２のパラメータは同じであってもよいし、異なってもよいし、または、第１のパラメータと第２のパラメータは部分的に重複してもよいことが理解されるべきである。たとえば、第１のパラメータが第２のパラメータを含む、または、第２のパラメータが第１のパラメータを含む、または、第１のパラメータおよび第２のパラメータの中のいくつかのパラメータが同じである。
【０１４０】
たとえば、図５は、本発明の実施形態による周波数領域リソースおよび周波数領域コムの概略図である。図５に示されるように、周波数領域コム１に示される周波数領域コム歯のグループは、周波数領域コム１に基づいて取得されてよく（第１の副搬送波が開始点として使用され、その後、１つの副搬送波が、１つの副搬送波の間隔で取得される）、周波数領域コム２に示される周波数領域コム歯のグループは、周波数領域コム２に基づいて取得されてよい（第２の副搬送波が開始点として使用され、その後、１つの副搬送波が、１つの副搬送波の間隔で取得される）。図５に示されるように、同じ周波数領域リソース（周波数領域リソース１）の場合、異なる周波数領域リソースグループは、異なる周波数領域コムに基づいて取得されてよい。
【０１４１】
さらに、ユーザ機器と第２のユーザ機器が同じ周波数領域リソースを占有する場合、ユーザ機器および第２のユーザ機器によって使用される周波数領域コムは異なる。
【０１４２】
ユーザ機器と第２のユーザ機器が異なる周波数領域リソースを占有する場合、異なるユーザ機器が、重複された周波数領域リソース上で異なる周波数領域コムを使用するという条件で、ユーザ機器および第２のユーザ機器によって使用される周波数領域コムは、同じであってもよいし、異なってもよい。
【０１４３】
本発明のこの実施形態の実装形態では、方法は、ユーザ機器が、周波数領域コムに基づいて基本系列を決定し、この基本系列に基づいて基準信号系列を生成し、周波数領域コムは１つのタイプの基本系列に対応することをさらに含む。周波数領域コムと基本系列の間の多対１または１対１のマッピング対応があってよい。
【０１４４】
任意選択で、周波数領域コムと基本系列の間の対応は、事前定義されている。
【０１４５】
代替として、任意選択で、周波数領域コムと基本系列の間の対応は、基地局によってユーザ機器に送信される。
【０１４６】
本発明のこの実施形態の別の実装形態では、ユーザ機器は、既存のＦＤＭ技術における基本系列に基づいて基準信号系列を生成する様式を使用してよい。特定の実装形態については、従来技術を参照されたい。詳細は、本発明のこの実施形態では、本明細書において説明されない。
【０１４７】
任意選択で、いくつかの実施形態では、ネットワーク内に複数のユーザ機器があり、複数のユーザ機器の基準信号は直交または擬似直交である必要があり、ユーザ機器の周波数領域リソースは同じまたは部分的に重複されるとき、ＲＳリソースは、周波数分割多重化（Ｆｒｅｑｕｅｎｃｙ  Ｄｉｖｉｓｉｏｎ  Ｍｕｌｔｉｐｌｅｘｉｎｇ、ＦＤＭ）の方法を使用する、またはＦＤＭと符号分割多重化（Ｃｏｄｅ  Ｄｉｖｉｓｉｏｎ  Ｍｕｌｔｉｐｌｅｘｉｎｇ、ＣＤＭ）を組み合わせることによって多重化されてよい。コム構造はＦＤＭに使用されてよく、ＣＳ、ＯＣＣ、またはそれらの組み合わせはＣＤＭに使用されてよい。
【０１４８】
基準信号が直交するとき、基準信号の系列が完全に無相関であることが考えられ得ることが理解されるべきである。基準信号が擬似直交であるとき、擬似直交基準信号間に特定の相関があるが、相関は比較的低い。
【０１４９】
別の例では、図６は、本発明の実施形態による、ＦＤＭとＣＤＭを組み合わせる方法を使用することによって複数のユーザ機器によりＲＳリソースを多重化することの概略図である。図６に示されるように、ユーザ機器２、ユーザ機器３、およびユーザ機器１の周波数領域リソースは部分的に重複し、ユーザ機器４の周波数領域リソースは、ユーザ機器１、２、および３の周波数領域リソースの各々と部分的に重複する。この場合、ＦＤＭの方法に２つのコム歯のみがある場合、４つのユーザ機器のＲＳは、２つのコム歯のみを使用することによっては直交であることができず、４つのユーザ機器のＲＳは、ＦＤＭとＣＤＭを組み合わせる多重化様式で互いと直交することができる。図６に示されるように、ユーザ機器１は、コム１を第１のＣＳまたは第１のＯＣＣと組み合わせる方法を使用し、ユーザ機器２は、コム２を第１のＣＳまたは第１のＯＣＣと組み合わせる方法を使用し、ユーザ機器３は、コム２を第１のＣＳまたは第１のＯＣＣと組み合わせる方法を使用し、ユーザ機器４は、コム１を第２のＣＳまたは第２のＯＣＣと組み合わせる方法を使用する。このようにして、４つのユーザ機器のＲＳは、周波数領域および符号領域多重化方法を使用することによって、互いに対して直交する。
【０１５０】
本発明のこの実施形態における複数のユーザ機器は、同じセルに限定されない。ユーザ機器は、同じセル内に配置されてもよいし、異なるセル内に配置されてもよく、ユーザ機器がデータを送信する方向は、同じであってもよいし、異なってもよく、具体的に言えば、複数のユーザ機器は、アップリンクまたはダウンリンクに使用されてよく、すなわち、ユーザ機器のうちのいくつかはアップリンクに使用され、いくつかのユーザ機器はダウンリンクに使用される。この実施形態における解決策は、複数のユーザ機器のＲＳが実際のネットワーク内で直交または擬似直交である必要があるときに使用されてよい。
【０１５１】
ユーザ機器は、ユーザ機器のＲＳに使用されるように基地局によって構成されたアンテナポートを使用することによって、ＲＳに使用されるコム歯を決定してもよく、または、ユーザのために基地局によって構成された伝送コム歯の識別子を使用することによって、もしくは、サウンディング基準信号（Ｓｏｕｎｄｉｎｇ  Ｒｅｆｅｒｅｎｃｅ  Ｓｉｇｎａｌ、ＳＲＳ）標識方法に類似した方法を使用することによって、基地局は、コムの周波数領域開始場所を示し、ユーザ機器は、周波数領域開始場所に基づいて、使用のためにコム歯を決定する。さらに、基地局は、異なるコム歯をいくつかの副搬送波セットとしてさらに使用し、副搬送波セット系列番号をユーザ機器のために構成することによって、ユーザ機器によって占有されるコム歯を示してよい。
【０１５２】
ユーザ機器のＲＳ系列に使用されるＣＳおよび／またはＯＣＣは、ＲＳのアンテナポート、伝送コム、周波数領域開始場所、および副搬送波セット系列番号などのパラメータのうちの１つまたは複数に関連してよい。たとえば、ＲＳのアンテナポート、伝送コム、コムの周波数領域開始場所、または副搬送波セット系列番号が、ＣＳおよび／またはＯＣＣの識別子との１対１の対応であることがあらかじめ定義される。いくつかのシナリオでは、基地局は、ＲＳ系列に使用されるＣＳおよび／またはＯＣＣの識別子を直接的に構成してよい。この場合、ＣＳおよび／またはＯＣＣの識別子は、ＣＳおよび／またはＯＣＣのものであり、ＲＳのアンテナポート、伝送コム、周波数領域開始場所、または副搬送波セット系列番号に対応する識別子とは異なってよい。
【０１５３】
前述のパラメータに加えて、ユーザ機器によって決定される、ＲＳおよびＣＳに使用されるコム歯ならびに／またはＲＳ系列に使用されるＯＣＣは、ユーザ機器固有パラメータ、時間領域固有パラメータ、セル固有パラメータ、ネットワーク側デバイス固有パラメータ、周波数領域固有パラメータ、およびネットワーク側構成パラメータ、のうちの１つまたは複数にさらに関連してよい。図７は、本発明の実施形態による基準信号伝送方法の概略図である。図７における方法は、基地局によって実行される。
【０１５４】
７０１。基地局は、ダウンリンク制御シグナリングをユーザ機器に送信し、ダウンリンク制御シグナリングは、基準信号を搬送するシンボル上にあり、基準信号を送信するためにユーザ機器によって使用される、周波数領域リソースグループを示すために使用され、各周波数領域リソースグループは、同じ量を有する複数の副搬送波を含む。
【０１５５】
７０２。基地局は、周波数領域リソースグループ上で、ユーザ機器によって送信された基準信号を受信する。
【０１５６】
本発明のこの実施形態では、基地局は、基準信号を生成するためにユーザ機器に周波数領域リソースグループを割り当て、したがって、異なるユーザ機器は、異なる周波数領域リソースを使用して基準信号を送信することができる。したがって、ＲＳリソース多重化効率は改善可能であり、複数のユーザのＲＳリソース多重化が実施可能である。
【０１５７】
任意選択で、ダウンリンク制御シグナリングは周波数領域コムインデックスを搬送し、周波数領域コムインデックスは、ユーザ機器の周波数領域リソースと組み合わせて周波数領域リソースグループを決定するために使用される。周波数領域リソースグループは、複数の均等に離隔されたコム歯を含む（１つのコム歯は１つの副搬送波である）。
【０１５８】
任意選択で、周波数領域コムは１つのタイプの基本系列に対応し、周波数領域コムインデックスは、基準信号系列を生成するために使用される基本系列を決定するためにユーザ機器によってさらに使用される。周波数領域コムと基本系列の間の多対１または１対１の対応があってよい。
【０１５９】
任意選択で、基地局は、ＵＥ固有メッセージなどを使用することによって、ダウンリンク制御シグナリングを送信する。
【０１６０】
本発明の実施形態は、図１に示される実施形態において第１のユーザ機器によって実行される方法を実行するように構成されたユーザ機器１をさらに開示する。具体的には、ユーザ機器１は、図１に示される実施形態において第１のユーザ機器によって実行される方法を実行するように構成されたユニットを含んでよい。
【０１６１】
本発明の実施形態は、図３に示される実施形態においてユーザ機器によって実行される方法を実行するように構成されたユーザ機器２をさらに開示する。具体的には、ユーザ機器２は、図３に示される実施形態においてユーザ機器によって実行される方法を実行するように構成されたユニットを含んでよい。
【０１６２】
本発明の実施形態は、図４に示される実施形態においてユーザ機器によって実行される方法を実行するように構成されたユーザ機器３をさらに開示する。具体的には、ユーザ機器３は、図４に示される実施形態においてユーザ機器によって実行される方法を実行するように構成されたユニットを含んでよい。
【０１６３】
本発明の実施形態は、図７に示される実施形態において基地局によって実行される方法を実行するように構成された基地局１をさらに開示する。具体的には、基地局１は、図７に示される実施形態において基地局によって実行される方法を実行するように構成されたユニットを含んでよい。
【０１６４】
本発明の実施形態は、ユーザ機器４をさらに提供する。ユーザ機器４の物理装置の概略的構造図は、図８における物理装置８００であってよく、この物理装置は、プロセッサ８０２と、メモリ８０３と、送信機８０１と、受信機８０４とを含む。
【０１６５】
受信機８０４、送信機８０１、プロセッサ８０２、およびメモリ８０３は、バス８０６を使用することによって互いに接続される。バス８０６は、ＩＳＡバス、ＰＣＩバス、ＥＩＳＡバスなどであってよい。バスは、アドレスバス、データバス、制御バスなどに分類されてよい。標識しやすいように、バスは、図８における両方向矢印１つのみを使用することによって示される。しかしながら、それは、１つのバスのみまたは１つのタイプのバスのみがあることを意味しない。特定の適用例では、送信機８０１および受信機８０４は、アンテナ８０５に結合されてよい。
【０１６６】
任意選択で、いくつかの実施形態では、受信機８０４、送信機８０１、プロセッサ８０２、およびメモリ８０３は、制御および／またはデータ信号を送信するために、内部リンクを使用することによって互いとさらに通信してよい。メモリ８０３は、プログラムを記憶するように構成される。具体的には、プログラムはプログラムコードを含んでよく、プログラムコードはコンピュータ動作命令を含む。メモリ８０３は、読み出し専用メモリとランダムアクセスメモリとを含み、プロセッサ８０２に命令およびデータを提供してよい。メモリ８０３は、高速ランダムアクセスメモリ（ｒａｎｄｏｍ  ａｃｃｅｓｓ  ｍｅｍｏｒｙ、略してＲＡＭ）を含んでもよいし、少なくとも１つの磁気ディスクストレージなどの非一時的なメモリ（ｎｏｎ−ｔｒａｎｓｉｔｏｒｙ  ｍｅｍｏｒｙ）をさらに含んでもよい。
【０１６７】
プロセッサ８０２は、メモリ８０３内に記憶されたプログラムを遂行するように構成される。
【０１６８】
具体的には、ユーザ機器４において、プロセッサ８０２は、図１に示される実施形態における方法を実行し、図１に示される実施形態における第１のユーザ機器の機能を実施するように構成されてよい。
【０１６９】
プロセッサ８０２は、集積回路チップであってよく、信号処理性能を有する。実装形態プロセスでは、前述の方法におけるステップは、プロセッサ８０２内のハードウェアの集積論理回路またはソフトウェアの形をとる命令を使用することによって完了されてよい。プロセッサ８０２は、中央処理ユニット（Ｃｅｎｔｒａｌ  Ｐｒｏｃｅｓｓｉｎｇ  Ｕｎｉｔ、ＣＰＵ）、ネットワークプロセッサ（Ｎｅｔｗｏｒｋ  Ｐｒｏｃｅｓｓｏｒ、ＮＰ）などを含む汎用プロセッサであってもよいし、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、または別のプログラマブル論理デバイス、ディスクリートゲートもしくはトランジスタ論理デバイス、またはディスクリートハードウェアアセンブリであってもよい。プロセッサ８０２は、本発明の実施形態に開示されている方法、ステップ、および論理ブロック図を実施または実行してよい。汎用プロセッサはマイクロプロセッサであってもよいし、プロセッサは任意の従来のプロセッサなどであってもよい。本発明の実施形態を参照して開示される方法のステップは、ハードウェア復号プロセッサを使用することによって直接的に実行および完了されてもよいし、復号プロセッサ内でハードウェアモジュールとソフトウェアモジュールの組み合わせを使用することによって実行および完了されてもよい。ソフトウェアモジュールは、ランダムアクセスメモリ、フラッシュメモリ、読み出し専用メモリ、プログラマブル読み出し専用メモリ、電気的消去可能プログラマブルメモリ、またはレジスタなどの、当分野における十分発達した記憶媒体内に配置されてよい。記憶媒体は、メモリ８０３内に配置される。プロセッサ８０２は、メモリ８０３内の情報を読み取り、プロセッサのハードウェアと組み合わせて前述の方法のステップを完了する。
【０１７０】
本発明の実施形態は、ユーザ機器５をさらに提供する。ユーザ機器５の物理装置の概略的構造図は図８に示され得、ユーザ機器５に含まれる物理ユニットは、ユーザ機器４のそれらに類似している。詳細は、再度説明されない。
【０１７１】
具体的には、ユーザ機器５において、プロセッサ８０２は、図３に示される実施形態における方法を実行し、図３に示される実施形態におけるユーザ機器の機能を実施するように構成されてよい。
【０１７２】
本発明の実施形態は、ユーザ機器６をさらに提供する。ユーザ機器６の物理装置の概略的構造図は図８に示され得、ユーザ機器６に含まれる物理ユニットは、ユーザ機器４のそれらに類似している。詳細は、再度説明されない。
【０１７３】
具体的には、ユーザ機器６において、プロセッサ８０２は、図４に示される実施形態における方法を実行し、図４に示される実施形態におけるユーザ機器の機能を実施するように構成されてよい。
【０１７４】
本発明の実施形態は、基地局２をさらに提供する。基地局２の物理装置の概略的構造図は図８に示され得、基地局２に含まれる物理ユニットは、ユーザ機器４のそれらに類似している。詳細は、再度説明されない。
【０１７５】
具体的には、基地局２において、プロセッサ８０２は、図７に示される実施形態における方法を実行し、図７に示される実施形態における基地局の機能を実施するように構成されてよい。
【０１７６】
本発明の実施形態は、基準信号伝送装置１を提供し、この装置は、プロセッサと、メモリとを含む。
【０１７７】
任意選択で、装置１は、受信機と、送信機とをさらに含む。
【０１７８】
具体的には、装置１において、メモリはプログラムコードを記憶するように構成され、プロセッサは、図１に示される実施形態における方法を実施するためにプログラムコードを呼び出すように構成される。
【０１７９】
本発明の実施形態は、基準信号伝送装置２を提供し、この装置は、プロセッサと、メモリとを含む。
【０１８０】
任意選択で、装置２は、受信機と、送信機とをさらに含む。
【０１８１】
具体的には、装置２において、メモリはプログラムコードを記憶するように構成され、プロセッサは、図３に示される実施形態における方法を実施するためにプログラムコードを呼び出すように構成される。
【０１８２】
本発明の実施形態は、基準信号伝送装置３を提供し、この装置は、プロセッサと、メモリとを含む。
【０１８３】
任意選択で、装置３は、受信機と、送信機とをさらに含む。
【０１８４】
具体的には、装置３において、メモリはプログラムコードを記憶するように構成され、プロセッサは、図４に示される実施形態における方法を実施するためにプログラムコードを呼び出すように構成される。
【０１８５】
本発明の実施形態は、基準信号伝送装置４を提供し、この装置は、プロセッサと、メモリとを含む。
【０１８６】
任意選択で、装置４は、受信機と、送信機とをさらに含む。
【０１８７】
具体的には、装置４において、メモリはプログラムコードを記憶するように構成され、プロセッサは、図７に示される実施形態における方法を実施するためにプログラムコードを呼び出すように構成される。
【０１８８】
本発明の実施形態はコンピュータ可読記憶媒体１をさらに提供し、このコンピュータ可読記憶媒体は１つまたは複数のプログラムを記憶し、この１つまたは複数のプログラムは命令を含み、複数のアプリケーションプログラムを含むポータブル電子デバイスによって遂行されるとき、命令は、ポータブル電子デバイスが、図１に示される実施形態における方法を実行することを可能にする。
【０１８９】
本発明の実施形態はコンピュータ可読記憶媒体２をさらに提供し、このコンピュータ可読記憶媒体は１つまたは複数のプログラムを記憶し、この１つまたは複数のプログラムは命令を含み、複数のアプリケーションプログラムを含むポータブル電子デバイスによって遂行されるとき、命令は、ポータブル電子デバイスが、図３に示される実施形態における方法を実行することを可能にする。
【０１９０】
本発明の実施形態はコンピュータ可読記憶媒体３をさらに提供し、このコンピュータ可読記憶媒体は１つまたは複数のプログラムを記憶し、この１つまたは複数のプログラムは命令を含み、複数のアプリケーションプログラムを含むポータブル電子デバイスによって遂行されるとき、命令は、ポータブル電子デバイスが、図４に示される実施形態における方法を実行することを可能にする。
【０１９１】
本発明の実施形態はコンピュータ可読記憶媒体４をさらに提供し、このコンピュータ可読記憶媒体は１つまたは複数のプログラムを記憶し、この１つまたは複数のプログラムは命令を含み、複数のアプリケーションプログラムを含むポータブル電子デバイスによって遂行されるとき、命令は、ポータブル電子デバイスが、図７に示される実施形態における方法を実行することを可能にする。
【０１９２】
本発明の実施形態は、基地局とユーザ機器とを含む通信システムをさらに提供する。ユーザ機器は、前述の実施形態におけるユーザ機器１、ユーザ機器２、またはユーザ機器３であってよく、基地局は、前述の実施形態における基地局１または基地局２であってよい。
【０１９３】
図９は、本発明の実施形態による基準信号伝送方法の概略図である。図９における方法は、第１のデバイスによって実行される。第１のデバイスは、ユーザ機器であってもよいし、基地局などのネットワーク側デバイスであってもよい。
【０１９４】
９０１。第１のデバイスは、基準信号を搬送するシンボル上にあり、基準信号を送信するために使用される少なくとも１つの周波数領域リソースグループに対応する少なくとも１つの基準信号生成系列を決定する。
【０１９５】
１つの周波数領域リソースグループは、１つの基準信号生成系列に対応する。
【０１９６】
本発明のこの実施形態では、１つの周波数領域リソースグループは複数の周波数領域副搬送波を含んでよく、各周波数領域リソースグループは、同じ量の副搬送波を含んでもよいし、異なる量の副搬送波を含んでもよいことが理解されるべきである。
【０１９７】
本発明のこの実施形態では、基準信号を搬送するために使用されるシンボルは１つまたは複数のシンボルを含んでよいことが理解されるべきである。
【０１９８】
基準信号生成系列は、異なるタイプの系列、たとえば、ＺＣ系列または擬似ランダム系列を含んでもよいし、相関要件を満たす別の系列であってもよいことが理解されるべきである。このことは、本発明のこの実施形態では限定されない。
【０１９９】
第１のデバイスは、少なくとも１つの周波数領域リソースグループ上で基準信号を送信する。各周波数領域リソースグループは、基準信号の１つの基準信号系列を送信するために使用され、少なくとも１つの周波数領域リソースグループ上で送信される少なくとも１つの基準信号系列は、基準信号を形成する。各基準信号系列は、１つの基準信号生成系列を使用することによって生成され、第１のデバイスは、基準信号生成系列の量が周波数領域リソースグループの量と同じであることを決定する必要がある。１つの周波数領域リソースグループは１つの基準信号生成系列に対応し、異なる周波数領域リソースグループは、同じ基準信号生成系列を使用してもよいし、異なる基準信号生成系列を使用してもよい。１つの周波数領域リソースグループが１つの基準信号生成系列に対応し、周波数領域リソースグループと基準信号生成系列の間に１対１または多対１の対応があってよいことが理解されるべきである。たとえば、１つの周波数領域リソースグループインデックスは１つの基準信号生成系列インデックスに対応し、周波数領域リソースグループインデックスは、基準信号生成系列インデックスに関連することがある。具体的な例では、周波数領域リソースグループインデックス１、２、および３は、基準信号生成系列インデックス１に対応し、周波数領域リソースグループインデックス４は、基準信号生成系列インデックス２に対応する。言い換えれば、同じ基準信号生成系列または異なる基準信号生成系列が、異なる周波数領域リソースグループに使用されてよい。
【０２００】
任意選択で、実施形態では、基準信号生成系列は、第２のパラメータセットに基づいて第１のデバイスによって決定され、第２のパラメータセット内のパラメータは、ユーザ機器固有パラメータ、時間領域固有パラメータ、セル固有パラメータ、ネットワーク側デバイス固有パラメータ、周波数領域固有パラメータ、ネットワーク側構成パラメータ、および組み合わせパラメータ、のうちの１つまたは複数を含む。組み合わせパラメータは、ユーザ機器固有パラメータ、時間領域固有パラメータ、セル固有パラメータ、ネットワーク側デバイス固有パラメータ、周波数領域固有パラメータ、およびネットワーク側構成パラメータの中の複数のパラメータの組み合わせである。
【０２０１】
代替として、任意選択で、別の実施形態では、周波数領域リソースグループと基準信号生成系列の間の対応は、事前定義されている。たとえば、基準信号生成系列と周波数領域リソースグループの周波数領域リソース場所の間のマッピング関係テーブルは、プロトコルにおいて指定されることがある。
【０２０２】
代替として、任意選択で、さらに別の実施形態では、第１のデバイスがユーザ機器であるとき、周波数領域リソースグループと基準信号生成系列の間の対応は、ネットワーク側デバイスによって第１のユーザ機器に送信される。
【０２０３】
９０２。第１のデバイスが、少なくとも１つの基準信号生成系列に基づいて基準信号を生成し、この基準信号を、その時間領域がシンボルであり、その周波数領域が少なくとも１つの周波数領域リソースグループである時間周波数リソースにマッピングする。
【０２０４】
第１のデバイスは、基準信号生成系列に基づいて基準信号を生成し、各基準信号生成系列は、基準信号の１つの基準信号系列を生成するために使用され、すべての生成された基準信号系列は基準信号を形成することが理解されるべきである。
【０２０５】
基準信号を生成した後、第１のデバイスは、基準信号を、基準信号を送信するための時間周波数リソースにマッピングしてよいことが理解されるべきである。時間周波数リソースの時間領域はシンボル（基準信号を搬送するシンボル）であり、周波数領域は、少なくとも１つの周波数領域リソースグループである。
【０２０６】
基準信号を時間周波数リソースにマッピングした後、第１のデバイスは基準信号を送信してよいことが理解されるべきである。
【０２０７】
本発明のこの実施形態では、異なる基準信号生成系列は、異なる周波数領域リソースグループに基づいて決定され、基準信号は、基準信号生成系列に基づいて生成され、対応する時間周波数リソースにマッピングされる。これは、異なる帯域幅内の異なるデバイスに対してＲＳ直交性／擬似直交性を実施する助けとなり、それによって、ＲＳリソース多重化効率を改善し、複数のデバイスのＲＳリソース多重化を実施する。
【０２０８】
任意選択で、実施形態では、第１のデバイスと第２のデバイスの両方が、基準信号を、その時間領域がシンボルであり、その周波数領域が第３の周波数領域リソースグループである時間周波数リソースにマッピングするとき、第３の基準信号生成系列に基づいて基準信号を生成するために第１のデバイスおよび第２のデバイスによって使用される循環シフトまたは直交カバーコードは、異なる。第３の周波数領域リソースグループは少なくとも１つの周波数領域リソースグループのうちの１つであり、第３の基準信号生成系列は、第３の周波数領域リソースグループに対応する基準信号生成系列である。
【０２０９】
任意選択で、この実施形態の具体的な実装形態では、循環シフトまたは直交カバーコードは、第１のパラメータセットに基づいて第１のデバイスによって決定され、第１のパラメータセット内のパラメータは、ユーザ機器固有パラメータ、時間領域固有パラメータ、セル固有パラメータ、ネットワーク側デバイス固有パラメータ、周波数領域固有パラメータ、およびネットワーク側構成パラメータ、のうちの１つまたは複数を含む。
【０２１０】
代替として、任意選択で、この実施形態の別の具体的な実装形態では、第１のデバイスがユーザ機器であるとき、循環シフトまたは直交カバーコードは、第１のデバイスに接続されたネットワーク側デバイスによって第１のデバイスに通知される。
【０２１１】
任意選択で、別の実施形態では、第１のデバイスと第２のデバイスの両方が、基準信号を、その時間領域がシンボルであり、その周波数領域が第３の周波数領域リソースグループである時間周波数リソースにマッピングするとき、第３の周波数領域リソースグループ上の第１のデバイスに対応する基準信号生成系列は、第３の周波数領域リソースグループ上の第２のデバイスに対応する基準信号生成系列とは異なる。
【０２１２】
たとえば、第３の周波数領域リソースグループは少なくとも１つの周波数領域リソースグループのうちの１つであり、第３の基準信号生成系列は、第３の周波数領域リソースグループ上の第１のデバイスに対応する基準信号生成系列であり、第４の基準信号生成系列は、第３の周波数領域リソースグループ上の第２のデバイスに対応する基準信号生成系列である。第１のデバイスと第２のデバイスは、基準信号を、その時間領域がシンボルであり、その周波数領域が第３の周波数領域リソースグループである時間周波数リソースにマッピングする。この場合、第１のデバイスは、第３の基準信号生成系列に基づいて基準信号を生成してよく、第２のデバイスは、第４の基準信号生成系列に基づいて基準信号を生成してよい。
【０２１３】
第１のデバイスは第１のユーザ機器であってよく、第２のデバイスは第２のユーザ機器であってよく、第１のユーザ機器および第２のユーザ機器は、同じネットワーク側デバイスに接続する／この上に存在してもよいし、異なるネットワーク側デバイスに接続する／この上に存在してもよく、または、第１のデバイスは第１のネットワーク側デバイスであってよく、第２のデバイスは第２のネットワーク側デバイスであってよく、または、第１のデバイスは第１のネットワーク側デバイスであってよく、第２のデバイスは第２のユーザ機器であってよく、それに／その上に第２のユーザ機器が接続する／存在するネットワーク側デバイスは、第１のネットワーク側デバイスと同じであってもよいし、これと異なってもよく、または、第１のデバイスは第１のユーザ機器であってよく、第２のデバイスは第２のネットワーク側デバイスであってよく、それに／その上に第１のユーザ機器が接続する／存在するネットワーク側デバイスは、第２のネットワーク側デバイスと同じであってもよいし、これと異なってもよいことが理解されるべきである。
【０２１４】
ネットワーク側デバイスは、ＬＴＥにおける進化型ＮｏｄｅＢ（Ｅｖｏｌｖｅｄ  ＮｏｄｅＢ、ｅＮＢ）またはＮＲにおける送信／受信点（Ｔｒａｎｓｍｉｓｓｉｏｎ／Ｒｅｃｅｐｔｉｏｎ  Ｐｏｉｎｔ、ＴＲＰ）などの、ユーザ機器をスケジュールおよび制御することが可能なデバイスであってよいことが理解されるべきである。
【０２１５】
任意選択で、実施形態では、基準信号生成系列は、第２のパラメータセットに基づいて第１のデバイスによって決定され、第２のパラメータセット内のパラメータは、ユーザ機器固有パラメータ、時間領域固有パラメータ、セル固有パラメータ、ネットワーク側デバイス固有パラメータ、周波数領域固有パラメータ、ネットワーク側構成パラメータ、および組み合わせパラメータ、のうちの１つまたは複数を含む。組み合わせパラメータは、ユーザ機器固有パラメータ、時間領域固有パラメータ、セル固有パラメータ、ネットワーク側デバイス固有パラメータ、周波数領域固有パラメータ、およびネットワーク側構成パラメータの中の複数のパラメータの組み合わせである。
【０２１６】
任意選択で、別の実施形態では、周波数領域リソースグループと基準信号生成系列の間の対応は、事前定義されている。
【０２１７】
任意選択で、さらに別の実施形態では、第１のデバイスがユーザ機器であるとき、周波数領域リソースグループと基準信号生成系列の間の対応は、第１のデバイスに接続されたネットワーク側デバイスによって第１のデバイスに送信される。
【０２１８】
本発明のこの実施形態では、伝送のために異なる帯域幅を占有するデバイスが同じ周波数領域リソースグループ上でＲＳ直交性を実施するように、異なる循環シフトまたは直交カバーコードは、同じ周波数領域リソースグループ上の異なるデバイスの基準信号生成系列のために構成される、または、異なる基準信号生成系列は、同じ周波数領域リソースグループ上の異なるデバイスのために構成される。したがって、ＲＳリソース多重化効率は改善可能であり、複数のデバイスによるＲＳリソース多重化が実施可能である。
【０２１９】
さらに、ステップ９０１の具体的な実装形態は、第１のデバイスが、第１の周波数領域リソースグループに対応する第１の基準信号生成系列を決定し、第２の周波数領域リソースグループに対応する第２の基準信号生成系列を決定することである。この場合、ステップ９０２の具体的な実装形態は、第１のデバイスが、第１の基準信号生成系列に基づいて基準信号の第１の基準信号系列を生成し、この第１の基準信号系列を、その時間領域がシンボルであり、その周波数領域が第１の周波数領域リソースグループである時間周波数リソースにマッピングすることと、第１のユーザ機器が、第２の基準信号生成系列に基づいて基準信号の第２の基準信号系列を生成し、この第２の基準信号系列を、その時間領域がシンボルであり、その周波数領域が第２の周波数領域リソースグループである時間周波数リソースにマッピングすることである。
【０２２０】
第１の基準信号系列を生成するために第１のデバイスによって使用される循環シフトまたは直交カバーコードは、第２の基準信号系列を生成するために使用される循環シフトまたは直交カバーコードと同じであってもよいし、これと異なってもよいことが理解されるべきである。
【０２２１】
本発明のこの実施形態における方法は、以下で特定の実施形態を参照しながら、さらに説明される。
【０２２２】
図１０は、本発明の実施形態による複数のデバイスのＲＳリソース多重化の概略図である。図１０に示されるように、ＲＢは、４つの周波数領域リソースグループすなわち周波数領域におけるＮからＮ＋３と、７つのシンボルすなわち時間領域における０から６とを含む。デバイス１は、その時間領域がシンボル２であり、その周波数領域が周波数領域リソースグループＮからＮ＋３である時間周波数リソース上で、データを送信し、デバイス２は、その時間領域がシンボル４および５であり、その周波数領域が周波数領域リソースグループＮおよびＮ＋１である時間周波数リソース上で、データを送信し、デバイス３は、その時間領域がシンボル４および５であり、その周波数領域が周波数領域リソースグループＮ＋２およびＮ＋３である時間周波数リソース上で、データを送信する。デバイス１、デバイス２、およびデバイス３は、シンボル３（灰色グリッドで示される時間周波数リソース）上で基準信号を送信する。デバイス１は、その時間領域がシンボル３であり、その周波数領域が周波数領域リソースグループＮからＮ＋３である時間周波数リソース上で、基準信号を送信し、デバイス２は、その時間領域がシンボル３であり、その周波数領域が周波数領域リソースグループＮおよびＮ＋１である時間周波数リソース上で、基準信号を送信し、デバイス３は、その時間領域がシンボル３であり、その周波数領域が周波数領域リソースグループＮ＋２およびＮ＋３である時間周波数リソース上で、基準信号を送信する。
【０２２３】
本発明のこの実施形態では、１つの基準信号は、１つの基準信号生成系列に基づいて生成される１つの基準信号系列を含んでもよいし、複数の基準信号生成系列に基づいて生成される複数の基準信号系列を含んでもよい。
【０２２４】
本発明のこの実施形態では、１つの周波数領域リソースグループは１つの基準信号生成系列に対応し、複数の異なる周波数領域リソースグループ内の周波数領域リソースグループは、異なる基準信号生成系列に対応してもよいし、同じ基準信号生成系列に対応してもよい。各周波数領域リソースグループは、１つまたは複数の副搬送波を含んでよい。周波数領域リソースグループと基準信号生成系列の間の対応は、たとえば、周波数領域リソースグループインデックスが基準信号生成系列インデックスに関連することであってよい。たとえば、周波数領域リソースグループインデックス１、２、および３は基準信号生成系列インデックス１に対応し、周波数領域リソースグループインデックス５は基準信号生成系列インデックス２に対応する。図１０における周波数領域リソースグループＮ、Ｎ＋１、Ｎ＋２、およびＮ＋３はそれぞれ、基準信号生成系列Ｍ０、Ｍ１、Ｍ２、およびＭ３に対応すると仮定される。Ｍ０、Ｍ１、Ｍ２、およびＭ３は、同じであってもよいし、互いと異なってもよいし、部分的に同じであってもよい。
【０２２５】
さらに、特定の周波数領域リソースグループ上でデバイスによって使用される基準信号生成系列は、第２のパラメータセットに基づいてデバイスによって決定されてよいことが理解されるべきである。第２のパラメータセット内のパラメータは、ユーザ機器固有パラメータ、時間領域固有パラメータ、セル固有パラメータ、ネットワーク側デバイス固有パラメータ、周波数領域固有パラメータ、ネットワーク側構成パラメータ、および組み合わせパラメータ、のうちの１つまたは複数を含む。組み合わせパラメータは、ユーザ機器固有パラメータ、時間領域固有パラメータ、セル固有パラメータ、ネットワーク側デバイス固有パラメータ、周波数領域固有パラメータ、およびネットワーク側構成パラメータの中の複数のパラメータの組み合わせである。代替として、第２のパラメータセットは、プロトコルにおいて指定されてもよいし、デバイスがユーザ機器であるとき、ネットワーク側デバイスによってユーザ機器に通知されてもよい。このことは、本発明のこの実施形態では限定されない。
【０２２６】
１つのデバイスの場合、デバイスは、占有された周波数領域リソースグループ上で、周波数領域リソースグループに対応する基準信号生成系列を使用して、基準信号の基準信号系列を生成し、この基準信号系列を周波数領域リソースグループに対応する時間周波数リソースにマッピングする。
【０２２７】
デバイス１は、一例として使用される。デバイス１は、基準信号生成系列Ｍ０、Ｍ１、Ｍ２、およびＭ３に基づいて基準信号系列を別個に生成し、この基準信号系列を、その時間領域がシンボル３であり、その周波数領域が周波数領域リソースグループＮ、Ｎ＋１、Ｎ＋２、およびＮ＋３である時間周波数リソースに別個にマッピングする。
【０２２８】
基準信号生成系列に基づいて基準信号系列を生成するとき、デバイスは、対応する直交パラメータを使用して、異なるデバイスの基準信号間の直交性／擬似直交性を保証することがあることが理解されるべきである。たとえば、使用される基準信号生成系列がＺＣ系列であるとき、直交パラメータは循環シフトである、または、使用される基準信号生成系列が擬似ランダム系列であるとき、直交パラメータは直交カバーコードである。使用される直交パラメータは、第１のパラメータセットに基づいてデバイスによって決定されてよい。第１のパラメータセット内のパラメータは、ユーザ機器固有パラメータ、時間領域固有パラメータ、セル固有パラメータ、ネットワーク側デバイス固有パラメータ、周波数領域固有パラメータ、およびネットワーク側構成パラメータ、のうちの１つまたは複数を含む。デバイスがユーザ機器であるとき、第１のパラメータセットは、ネットワーク側デバイスによってユーザ機器に通知されてよい。このことは、本発明のこの実施形態では限定されない。
【０２２９】
基準信号生成系列に基づいて基準信号系列を生成するために同じデバイスによって使用される直交パラメータは、同じであってもよいし、異なってもよく、デバイスは、好ましくは、同じ直交パラメータを使用する。同じデバイスによって使用される直交パラメータが同じとき、デバイスは、パラメータに基づいて循環シフトを決定してよい。この場合、デバイスがユーザ機器である場合、ネットワーク側デバイスは、ユーザ機器に、１つの直交パラメータのみを通知してよい。
【０２３０】
同じ周波数領域リソースグループ上で、異なるデバイスは、同じ基準信号生成系列の異なる直交パラメータを使用して、それぞれの基準信号系列を生成してよい。たとえば、周波数領域リソースグループＮ上で、基準信号生成系列Ｍ０を使用することによって基準信号系列を生成するためにデバイス１およびデバイス２によって使用される直交パラメータは、異なる。さらに、同じ周波数領域リソースグループ上で、異なるデバイスは、異なる基準信号生成系列を使用して、それぞれの基準信号系列を生成してよい。たとえば、周波数領域リソースグループＮ上で、デバイス１およびデバイス２は、基準信号生成系列Ｍ１およびＭ２を使用することによって、それぞれの基準信号系列を別個に生成する。
【０２３１】
各周波数領域リソースグループ上で図１０における各デバイスによって使用される基準信号生成系列および直交パラメータの５つの具体的な例が、表２、表３、表４、表５、および表６に示されている。
【０２３２】
【表２】
2019516301.tif 000020
【０２３３】
【表３】
2019516301.tif 000021
【０２３４】
【表４】
2019516301.tif 000022
【０２３５】
【表５】
2019516301.tif 000023
【０２３６】
【表６】
2019516301.tif 000024
【０２３７】
表２に示されるように、１つのデバイスの観点から、複数の基準信号生成系列の同じ直交パラメータが、送信されるデータに対応するＲＳに使用されることがある。
【０２３８】
表３に示されるように、１つのデバイスの観点から、複数の基準信号生成系列の異なる直交パラメータが、送信されるデータに対応するＲＳに使用されることがある。
【０２３９】
表４に示されるように、１つのデバイスの観点から、異なる周波数領域リソースグループ上で、同じ基準信号生成系列が、送信されるデータに対応するＲＳに使用されることがある。
【０２４０】
表５に示されるように、異なるデバイスの観点から、同じ周波数領域リソースグループ上で、異なる基準信号生成系列が、送信されるデータに対応するＲＳに使用されることがある。１つのデバイスの観点から、異なる周波数領域リソースグループ上で、異なる基準信号生成系列が、送信されるデータに対応するＲＳに使用されることがある。
【０２４１】
表６に示されるように、異なるデバイスの観点から、同じ周波数領域リソースグループ上で、異なる基準信号生成系列が、送信されるデータに対応するＲＳに使用されることがある。１つのデバイスの観点から、異なる周波数領域リソースグループ上で、同じ基準信号生成系列が、送信されるデータに対応するＲＳに使用されることがある。
【０２４２】
本発明のこの実施形態では、基準信号を生成するために使用される基準信号生成系列は周波数領域リソースグループに対応し、したがって、ＲＳリソース多重化率が増加可能であり、複数のデバイスのＲＳリソース多重化が実施可能であり、複数のデバイスのＲＳ間の直交性／擬似直交性がさらに保証可能である。
【０２４３】
本発明の実施形態は、図９に示される実施形態において第１のデバイスによって実行される方法を実行するように構成されたデバイス１をさらに開示する。このデバイスは、図９に示される実施形態において第１のデバイスによって実行される方法を実行するように構成されたユニットを含んでよい。
【０２４４】
具体的には、デバイスは、決定ユニットと、信号生成ユニットとを含んでよい。決定ユニットは、基準信号を搬送するシンボル上にあり、基準信号を送信するために使用される少なくとも１つの周波数領域リソースグループに対応する少なくとも１つの基準信号生成系列を決定するように構成され、１つの周波数領域リソースグループは、１つの基準信号生成系列に対応する。信号生成ユニットは、少なくとも１つの基準信号生成系列に基づいて基準信号を生成し、基準信号を、その時間領域がシンボルであり、その周波数領域が少なくとも１つの周波数領域リソースグループである時間周波数リソースにマッピングするように構成される。
【０２４５】
任意選択で、実施形態では、第１のデバイスと第２のデバイスの両方が、基準信号を、その時間領域がシンボルであり、その周波数領域が第３の周波数領域リソースグループである時間周波数リソースにマッピングするとき、第３の基準信号生成系列に基づいて基準信号を生成するために第１のデバイスおよび第２のデバイスによって使用される循環シフトまたは直交カバーコードは、異なる。第３の周波数領域リソースグループは少なくとも１つの周波数領域リソースグループのうちの１つであり、第３の基準信号生成系列は、第３の周波数領域リソースグループに対応する基準信号生成系列である。
【０２４６】
任意選択で、この実施形態の実装形態では、循環シフトまたは直交カバーコードは、第１のパラメータセットに基づいて第１のデバイスによって決定され、第１のパラメータセット内のパラメータは、ユーザ機器固有パラメータ、時間領域固有パラメータ、セル固有パラメータ、ネットワーク側デバイス固有パラメータ、周波数領域固有パラメータ、およびネットワーク側構成パラメータ、のうちの１つまたは複数を含む。
【０２４７】
代替として、任意選択で、この実施形態の別の実装形態では、第１のデバイスがユーザ機器であるとき、循環シフトまたは直交カバーコードは、第１のデバイスに接続されたネットワーク側デバイスによって第１のデバイスに通知される。
【０２４８】
任意選択で、別の実施形態では、第１のデバイスと第２のデバイスの両方が、基準信号を、その時間領域がシンボルであり、その周波数領域が第３の周波数領域リソースグループである時間周波数リソースにマッピングするとき、この第３の周波数領域リソースグループ上の第１のデバイスに対応する基準信号生成系列は、第３の周波数領域リソースグループ上の第２のデバイスに対応する基準信号生成系列とは異なる。
【０２４９】
任意選択で、決定ユニットは、具体的には、第１の周波数領域リソースグループに対応する第１の基準信号生成系列を決定し、第２の周波数領域リソースグループに対応する第２の基準信号生成系列を決定するように構成される。信号生成ユニットは、具体的には、第１の基準信号生成系列に基づいて基準信号の第１の基準信号系列を生成して、この第１の基準信号系列を、その時間領域がシンボルであり、その周波数領域が第１の周波数領域リソースグループである時間周波数リソースにマッピングし、第２の基準信号生成系列に基づいて基準信号の第２の基準信号系列を生成して、この第２の基準信号系列を、その時間領域がシンボルであり、その周波数領域が第１の周波数領域リソースグループである時間周波数リソースにマッピングするように構成される。
【０２５０】
任意選択で、基準信号生成系列は、第２のパラメータセットに基づいてデバイスによって決定され、第２のパラメータセット内のパラメータは、ユーザ機器固有パラメータ、時間領域固有パラメータ、セル固有パラメータ、ネットワーク側デバイス固有パラメータ、周波数領域固有パラメータ、ネットワーク側構成パラメータ、および組み合わせパラメータ、のうちの１つまたは複数を含む。組み合わせパラメータは、ユーザ機器固有パラメータ、時間領域固有パラメータ、セル固有パラメータ、ネットワーク側デバイス固有パラメータ、周波数領域固有パラメータ、およびネットワーク側構成パラメータの中の複数のパラメータの組み合わせである。
【０２５１】
代替として、任意選択で、周波数領域リソースグループと基準信号生成系列の間の対応は、事前定義されている。
【０２５２】
代替として、任意選択で、デバイスがユーザ機器であるとき、周波数領域リソースグループと基準信号生成系列の間の対応が、デバイスに接続されたネットワーク側デバイスによってデバイスに送信される。
【０２５３】
本発明の実施形態は、デバイス２をさらに開示する。デバイスの物理装置の概略的構造図は、図８における物理装置８００であってよく、この物理装置８００は、プロセッサ８０２と、メモリ８０３と、送信機８０１と、受信機８０４とを含む。
【０２５４】
受信機８０４、送信機８０１、プロセッサ８０２、およびメモリ８０３は、バス８０６を使用することによって互いに接続される。バス８０６は、ＩＳＡバス、ＰＣＩバス、ＥＩＳＡバスなどであってよい。バスは、アドレスバス、データバス、制御バスなどに分類されてよい。標識しやすいように、バスは、図６における両方向矢印１つのみを使用することによって示される。しかしながら、それは、１つのバスのみまたは１つのタイプのバスのみがあることを意味しない。特定の適用例では、送信機８０１および受信機８０４は、アンテナ８０５に結合されてよい。
【０２５５】
任意選択で、いくつかの実施形態では、受信機８０４、送信機８０１、プロセッサ８０２、およびメモリ８０３は、制御および／またはデータ信号を送信するために、内部リンクを使用することによって互いとさらに通信してよい。
【０２５６】
メモリ８０３は、プログラムを記憶するように構成される。具体的には、プログラムはプログラムコードを含んでよく、プログラムコードはコンピュータ動作命令を含む。メモリ８０３は、読み出し専用メモリとランダムアクセスメモリとを含み、プロセッサ８０２に命令およびデータを提供してよい。メモリ８０３は、高速ＲＡＭメモリを含んでよく、非一時的なメモリ（ｎｏｎ−ｔｒａｎｓｉｔｏｒｙ  ｍｅｍｏｒｙ）、たとえば、少なくとも１つのディスクメモリをさらに含んでよい。
【０２５７】
プロセッサ８０２は、メモリ８０３内に記憶されたプログラムを遂行するように構成される。
【０２５８】
具体的には、デバイス内で、プロセッサ８０２は、以下の方法、すなわち、
基準信号を搬送するシンボル上にあり、この基準信号を送信するために使用される少なくとも１つの周波数領域リソースグループに対応する少なくとも１つの基準信号生成系列を決定することであって、１つの周波数領域リソースグループは１つの基準信号生成系列に対応する、決定することと、
少なくとも１つの基準信号生成系列に基づいて基準信号を生成し、基準信号を、その時間領域がシンボルであり、その周波数領域が少なくとも１つの周波数領域リソースグループである時間周波数リソースにマッピングすることと
を実行するように構成される。
【０２５９】
第１のデバイスによって実行され、本発明の図９における実施形態に開示されている前述の方法は、プロセッサ８０２に適用されてもよいし、プロセッサ８０２によって実施されてもよい。プロセッサ８０２は、集積回路チップであってよく、信号処理性能を有する。実装形態プロセスでは、前述の方法におけるステップは、プロセッサ８０２内のハードウェアの集積論理回路またはソフトウェアの形をとる命令を使用することによって完了されてよい。プロセッサ８０２は、ＣＰＵ、ネットワークプロセッサ（Ｎｅｔｗｏｒｋ  Ｐｒｏｃｅｓｓｏｒ、ＮＰ）などを含む汎用プロセッサであってもよいし、ＤＳＰ、ＡＳＩＣ、ＦＰＧＡ、または別のプログラマブル論理デバイス、ディスクリートゲートもしくはトランジスタ論理デバイス、またはディスクリートハードウェア構成要素であってもよい。プロセッサ８０２は、本発明の実施形態に開示されている方法、ステップ、および論理ブロック図を実施または実行してよい。汎用プロセッサはマイクロプロセッサであってもよいし、プロセッサは任意の従来のプロセッサなどであってよい。本発明の実施形態を参照して開示される方法のステップは、ハードウェア復号プロセッサを使用することによって直接的に実行および完了されてもよいし、復号プロセッサ内でハードウェアモジュールとソフトウェアモジュールの組み合わせを使用することによって実行および完了されてもよい。ソフトウェアモジュールは、ランダムアクセスメモリ、フラッシュメモリ、読み出し専用メモリ、プログラマブル読み出し専用メモリ、電気的消去可能プログラマブルメモリ、またはレジスタなどの、当分野における十分発達した記憶媒体内に配置されてよい。記憶媒体は、メモリ８０３内に配置される。プロセッサ８０２は、メモリ８０３内の情報を読み取り、プロセッサのハードウェアと組み合わせて前述の方法のステップを完了する。
【０２６０】
任意選択で、実施形態では、第１のデバイスと第２のデバイスの両方が、基準信号を、その時間領域がシンボルであり、その周波数領域が第３の周波数領域リソースグループである時間周波数リソースにマッピングするとき、第３の基準信号生成系列に基づいて基準信号を生成するために第１のデバイスおよび第２のデバイスによって使用される循環シフトまたは直交カバーコードは、異なる。第３の周波数領域リソースグループは少なくとも１つの周波数領域リソースグループのうちの１つであり、第３の基準信号生成系列は、第３の周波数領域リソースグループに対応する基準信号生成系列である。
【０２６１】
任意選択で、この実施形態の具体的な実装形態では、循環シフトまたは直交カバーコードは、第１のパラメータセットに基づいて第１のデバイスによって決定され、第１のパラメータセット内のパラメータは、ユーザ機器固有パラメータ、時間領域固有パラメータ、セル固有パラメータ、ネットワーク側デバイス固有パラメータ、周波数領域固有パラメータ、およびネットワーク側構成パラメータ、のうちの１つまたは複数を含む。
【０２６２】
代替として、任意選択で、この実施形態の別の具体的な実装形態では、第１のデバイスがユーザ機器であるとき、循環シフトまたは直交カバーコードは、第１のデバイスに接続されたネットワーク側デバイスによって第１のデバイスに通知される。
【０２６３】
任意選択で、別の実施形態では、第１のデバイスと第２のデバイスの両方が、基準信号を、その時間領域がシンボルであり、その周波数領域が第３の周波数領域リソースグループである時間周波数リソースにマッピングするとき、第３の周波数領域リソースグループ上の第１のデバイスに対応する基準信号生成系列は、第３の周波数領域リソースグループ上の第２のデバイスに対応する基準信号生成系列とは異なる。
【０２６４】
任意選択で、実施形態では、基準信号生成系列は、第２のパラメータセットに基づいて第１のデバイスによって決定され、第２のパラメータセット内のパラメータは、ユーザ機器固有パラメータ、時間領域固有パラメータ、セル固有パラメータ、ネットワーク側デバイス固有パラメータ、周波数領域固有パラメータ、ネットワーク側構成パラメータ、および組み合わせパラメータ、のうちの１つまたは複数を含む。組み合わせパラメータは、ユーザ機器固有パラメータ、時間領域固有パラメータ、セル固有パラメータ、ネットワーク側デバイス固有パラメータ、周波数領域固有パラメータ、およびネットワーク側構成パラメータの中の複数のパラメータの組み合わせである。
【０２６５】
任意選択で、別の実施形態では、周波数領域リソースグループと基準信号生成系列の間の対応は、事前定義されている。
【０２６６】
任意選択で、さらに別の実施形態では、第１のデバイスがユーザ機器であるとき、周波数領域リソースグループと基準信号生成系列の間の対応は、第１のデバイスに接続されたネットワーク側デバイスによって第１のデバイスに送信される。
【０２６７】
さらに、基準信号を搬送するシンボル上にあり、基準信号を送信するために使用される少なくとも１つの周波数領域リソースグループに対応する少なくとも１つの基準信号生成系列をプロセッサ８０２によって決定する具体的な実装形態は、プロセッサ８０２が、第１の周波数領域リソースグループに対応する第１の基準信号生成系列を決定し、第２の周波数領域リソースグループに対応する第２の基準信号生成系列を決定することである。この場合、少なくとも１つの基準信号生成系列に基づいて基準信号をプロセッサ８０２によって生成し、基準信号を、その時間領域がシンボルであり、その周波数領域が少なくとも１つの周波数領域リソースグループである時間周波数リソースにマッピングする具体的な実装形態は、プロセッサ８０２が、第１の基準信号生成系列に基づいて基準信号の第１の基準信号系列を生成し、この第１の基準信号系列を、その時間領域がシンボルであり、その周波数領域が第１の周波数領域リソースグループである時間周波数リソースにマッピングし、第２の基準信号生成系列に基づいて基準信号の第２の基準信号系列を生成して、この第２の基準信号系列を、その時間領域がシンボルであり、その周波数領域が第２の周波数領域リソースグループである時間周波数リソースにマッピングすることである。
【０２６８】
本発明の実施形態はコンピュータ可読記憶媒体４をさらに提供し、このコンピュータ可読記憶媒体は１つまたは複数のプログラムを記憶し、この１つまたは複数のプログラムは命令を含み、複数のアプリケーションプログラムを含むポータブル電子デバイスによって遂行されるとき、命令は、ポータブル電子デバイスが、図９に示される実施形態における方法を実行することを可能にする。
【０２６９】
本発明の実施形態は、前述のデバイス１またはデバイス２を含む通信システムをさらに提供する。
【０２７０】
当業者は、本明細書に開示されている実施形態において説明された例と組み合わせて、ユニットおよびアルゴリズムステップは、電子ハードウェアまたはコンピュータソフトウェアと電子ハードウェアの組み合わせによって実施されてよいことを認識してよい。機能がハードウェアによって実行されるかソフトウェアによって実行されるかは、特定の適用例および技術的解決策の設計制約条件に依存する。当業者は、異なる方法を使用して、各特定の適用例のために説明された機能を実施し得るが、実装形態が本発明の実施形態の範囲を越えることが考慮されるべきではない。
【０２７１】
簡便で簡潔な説明の目的で、前述のシステム、装置、およびユニットの詳細な作業プロセスについて、前述の方法実施形態における対応するプロセスに対して参照がなされてよく、詳細は、本明細書において再度説明されないことが、当業者によって明確に理解され得る。
【０２７２】
本出願において提供されるいくつかの実施形態では、開示されるシステム、装置、および方法は他の様式で実施されてよいことが理解されるべきである。たとえば、説明される装置実施形態は例にすぎない。たとえば、ユニット分割は、論理機能分割にすぎず、実際の実装形態では他の分割であってよい。たとえば、複数のユニットまたは構成要素が別のシステムへと組み合わされても統合されてもよいし、いくつかの特徴が無視されてもよいし、実行されなくてもよい。さらに、表示または議論された相互的な結合または直接的な結合もしくは通信接続は、いくつかのインタフェースを使用することによって実施されてよい。装置またはユニット間の間接的な結合または通信接続は、電子的な形、機械的な形、または他の形で実施されてよい。
【０２７３】
別個の部分として説明されるユニットは物理的に別個であってもなくてもよく、ユニットとして表示された部分は、物理的ユニットであってもなくてもよく、１つの位置に配置されてもよいし、複数のネットワークユニット上に分散されてもよい。ユニットのうちのいくつかまたはすべては、実施形態の解決策の目的を達成するために、実際の要件に基づいて選択されてよい。
【０２７４】
さらに、本発明の実施形態における機能ユニットが１つの処理ユニットへと統合されてもよいし、ユニットの各々が物理的に単体で存在してもよいし、２つ以上のユニットが１つのユニットへと統合される。
【０２７５】
機能が、ソフトウェア機能ユニットの形で実施され、独立した製品として販売または使用されるとき、機能は、コンピュータ可読記憶媒体内に記憶されてよい。そのような理解に基づいて、本発明の実施形態の技術的解決策は本質的に、または従来技術に寄与する部分、または技術的解決策のうちのいくつかは、ソフトウェア製品の形で実施されてよい。コンピュータソフトウェア製品は、記憶媒体内に記憶され、本発明の実施形態において説明された方法のステップのうちのすべてまたはいくつかを実行するようにコンピュータデバイス（パーソナルコンピュータ、サーバ、またはネットワークデバイスであってよい）に指示するためのいくつかの命令を含む。前述の記憶媒体は、ＵＳＢフラッシュドライブ、リムーバブルハードディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなどの、プログラムコードを記憶可能な任意の媒体を含む。
【０２７６】
前述の説明は、本出願の具体的な実装形態にすぎないが、本出願の保護範囲を制限することを意図したものではない。本出願に開示されている技術的範囲内で当業者によって容易に考え出されるいかなる変形または置き換えも、本出願の保護範囲内に含まれるものとする。したがって、本出願の保護範囲は、特許請求の範囲の保護範囲に従うものとする。
【国際調査報告】
2019516301.tif 000025
2019516301.tif 000026
2019516301.tif 000027
2019516301.tif 000028